(57)【要約】【課題】稀土鉱石／トルマリン／長石等に含まれるトリウム、ウラン系列核種等は放射性壊変によってα線、β線や、残留核を発生し、水等と反応して、その化学結合やファンデルワールス力を切断し、より微細なクラスターを生成する。この性質を利用して、深層水［海面下２００メートル以上の深海から取水した深層海水、湧昇海水または、深層水］のクラスターの微細化を種々検討し、洗浄力として利用することを検討した。【解決手段】深層水を濃縮して得られる苦汁を添加した洗浄剤のクラスターの微細化の問題を解決するため、稀土鉱石／トルマリン／長石等を井桁状の陶磁器とし、深層水、純水、濃縮水等を処理し、ファンデルワールス力の切断によってクラスターの微細化を達成し、洗浄剤としての強力な洗浄力の発現を達成した。【特許請求の範囲】
【請求項１】
苦汁／稀土鉱石／トルマリン／長石とよりなる放射線発生体。
【請求項２】
発生体中の苦汁成分０−３０重量％に対して、稀土鉱石０−１００重量％、トルマリン０−３０重量％、長石０−７０重量％である請求項１記載の放射線発生体。
【請求項３】
請求項２記載の放射線発生体の微粉末を釉薬または、塗料として井桁状に組み上げたタイルの表裏に塗布し焼き上げた陶磁器の形状をした放射線発生体。
【請求項４】
苦汁／稀土鉱石／トルマリン／長石とよりなる洗浄剤
【請求項５】
洗浄剤中の苦汁成分０−３０重量％に対して、稀土鉱石０−５０重量％、トルマリン０−９０重量％、長石０−５０重量％である請求項４記載の洗浄剤。
【請求項６】
請求項５記載の洗浄剤の微粉末をボール状に焼き上げた陶磁器の形状をした洗浄剤。
【請求項７】
苦汁と酸／塩基／塩とよりなる、洗浄液の製造に利用される洗浄剤。
【請求項８】
洗浄剤中の苦汁成分量が０−１００重量％、酸／塩基／塩、０−５重量％である請求項７記載の、洗浄液の製造に利用される洗浄剤。
【請求項９】
苦汁、酸／塩基／塩、金／白金／パラジウム／イットリウム／ロジウム／銀／ジルコニウム／ルビジウムの各粒子または箔とよりなる、洗浄液の製造に利用される洗浄剤。
【請求項１０】
洗浄剤中の苦汁成分量が０−１００重量％、酸／塩基／塩、０−５重量％、金／白金／パラジウム／イットリウム／ロジウム／銀／ジルコニウム／ルビジウムの各粒子または箔の量０−２５０ｐｐｍである請求項９記載の、洗浄液の製造に利用される洗浄剤。
【請求項１１】
苦汁、酸／塩基／塩、金／白金／パラジウム／イットリウム／ロジウム／銀／ジルコニウム／ルビジウムの各粒子または箔、ヤシエキス／パインエキス、クレイパウダー／硼砂とよりなる、洗浄液の製造に利用される洗浄剤。
【請求項１２】
洗浄剤中の苦汁成分量が０−１０重量％、酸／塩基／塩、０−５重量％、金／白金／パラジウム／イットリウム／ロジウム／銀／ジルコニウム／ルビジウムの各粒子または箔０−２５０ｐｐｍ、ヤシエキス／パインエキス１−５０重量％、クレイパウダー／硼砂１−２０重量％である請求項１１記載の、洗浄液の製造に利用される洗浄剤。
【請求項１３】
苦汁、酸／塩基／塩、ヨウ素とよりなる、うがい液の製造に利用される洗浄剤。
【請求項１４】
洗浄剤中の苦汁成分量が０−１０重量％、酸／塩基／塩、０−５重量％、ヨウ素１００−９０００ｐｐｍである請求項１３記載の、うがい液の製造に利用される洗浄剤。
【請求項１５】
苦汁、酸／塩基／塩、クロルヘキシジン、チモール、ｌ−メントール、ボルネオール、銅クロロフィリンナトリウム、桂皮油とよりなる、うがい液の製造に利用される洗浄剤。
【請求項１６】
洗浄剤中の苦汁成分量が０−１０重量％、酸／塩基／塩、クロルヘキシジン０−３重量％、チモール０−３重量％、ｌ−メントール１−４重量％、ボルネオール０−１重量％、銅クロロフィリンナトリウム１０−３００ｐｐｍ、桂皮油０−１重量％である請求項１５記載の、うがい液の製造に利用される洗浄剤。
【請求項１７】
苦汁、酸／塩基／塩、塩化ベンゼトニウムとよりなる石けん液の製造に利用される洗浄剤。
【請求項１８】
洗浄剤中の苦汁が０−１０重量％、酸／塩基／塩０−５重量％、塩化ベンゼトニウム５−２０重量％、である請求項１７記載の、石けん液の製造に利用される洗浄剤。
【請求項１９】
苦汁、酸／塩基／塩、直鎖アルキルベンゼンスルホン酸ナトリウムとよりなる、洗浄液の製造に利用される洗浄剤。
【請求項２０】
洗浄剤中の苦汁が０−１０重量％、酸／塩基／塩０−５重量％、直鎖アルキルベンゼンスルホン酸ナトリウム０−６０重量％である請求項１９記載の、洗浄液の製造に利用される洗浄剤。
【請求項２１】
苦汁、酸／塩基／塩、金／白金／パラジウム／イットリウム／ロジウム／銀／ジルコニウム／ルビジウムの各粒子または箔、木酢酸とよりなる、石鹸の製造に利用される洗浄剤。
【請求項２２】
洗浄剤中の苦汁成分量が０−１０重量％、酸／塩基／塩、０−５重量％、金／白金／パラジウム／イットリウム／ロジウム／銀／ジルコニウム／ルビジウムの各粒子または箔量０−２５０ｐｐｍ、木酢酸０−３０重量％である請求項２１記載の、石鹸の製造に利用される洗浄剤。
【請求項２３】
苦汁、酸／塩基／塩、金／白金／パラジウム／イットリウム／ロジウム／銀／ジルコニウム／ルビジウムの各粒子または箔、植物エキスとよりなる、洗浄液の製造に利用される洗浄剤。
【請求項２４】
洗浄剤中の苦汁が０−１０重量％、酸／塩基／塩０−５重量％、金／白金／パラジウム／イットリウム／ロジウム／銀／ジルコニウム／ルビジウムの各粒子または箔量０−２５０ｐｐｍ、植物エキス０−４０重量％である請求項２３記載の、洗浄液の製造に利用される洗浄剤。
【請求項２５】
苦汁、酸／塩基／塩、金／白金／パラジウム／イットリウム／ロジウム／銀／ジルコニウム／ルビジウムの各粒子または箔、塩化アルキルトリメチルアンモニウム、ピリチオン亜鉛とよりなる、リンスの製造に利用される洗浄剤。
【請求項２６】
洗浄剤中の苦汁成分量が０−１０重量％、酸／塩基／塩、０−５重量％、金／白金／パラジウム／イットリウム／ロジウム／銀／ジルコニウム／ルビジウムの各粒子または箔量０−２５０ｐｐｍ、塩化アルキルトリメチルアンモニウム１−１０重量％、ピリチオン亜鉛１０−５００ｐｐｍである請求項２５記載の、リンスの製造に利用される洗浄剤。
【請求項２７】
苦汁、酸／塩基／塩、塩酸ジブカイン、塩酸ナファゾリン、マレイン酸クロルフェニラミン、塩化ベンゼトニウムとよりなる、傷口洗浄液の製造に利用される洗浄剤。
【請求項２８】
洗浄剤中の苦汁が０−１０重量％、酸／塩基／塩０−５重量％、塩酸ジブカイン、塩酸ナファゾリン、マレイン酸クロルフェニラミン、塩化ベンゼトニウム各々０．１−４重量％である請求項２７記載の、傷口洗浄液の製造に利用される洗浄剤。
【請求項２９】
苦汁、酸／塩基／塩、アクリノール、タンニンとよりなる、傷口洗浄液の製造に利用される洗浄剤。
【請求項３０】
洗浄剤中の苦汁が０−１０重量％、酸／塩基／塩０−５重量％、アクリノール、タンニン各々０−５重量％、である請求項２９記載の、傷口洗浄液の製造に利用される洗浄剤。
【請求項３１】
苦汁、酸／塩基／塩、過炭酸ナトリウムとよりなる、漂白剤の製造に利用される洗浄剤。
【請求項３２】
洗浄剤中の苦汁成分量が０−１０重量％、酸／塩基／塩、０−５重量％、過炭酸ナトリウム５０−９５重量％である請求項３１記載の、漂白剤の製造に利用される洗浄剤。
【請求項３３】
苦汁、酸／塩基／塩、金／白金／パラジウム／イットリウム／ロジウム／銀／ジルコニウム／ルビジウムの各粒子または箔、植物エキスとよりなる、シャンプーの製造に利用される洗浄剤。
【請求項３４】
洗浄剤中の苦汁成分量が０−１０重量％、酸／塩基／塩、０−５重量％、金／白金／パラジウム／イットリウム／ロジウム／銀／ジルコニウム／ルビジウムの各粒子または箔量０−２５０ｐｐｍ、植物エキス２−２５重量％である請求項３３記載の、シャンプーの製造に利用される洗浄剤。
【請求項３５】
苦汁、酸／塩基／塩、研磨剤、界面活性剤、植物エキスとよりなる、クレンザーの製造に利用される洗浄剤。
【請求項３６】
洗浄剤中の苦汁が０−１０重量％、酸／塩基／塩０−５重量％、研磨剤５０−９９重量％、植物エキス０−１０重量％である請求項３５記載の、クレンザーの製造に利用される洗浄剤。
【請求項３７】
苦汁、酸／塩基／塩とよりなる、目洗浄液の製造に利用される洗浄剤。
【請求項３８】
洗浄剤中の苦汁成分量が０−１０重量％、酸／塩基／塩、０−５重量％である請求項３７記載の、目洗浄液の製造に利用される洗浄剤。
【請求項３９】
苦汁、酸／塩基／塩とよりなる、手足洗浄液の製造に利用される洗浄剤。
【請求項４０】
洗浄剤中の苦汁が０−１０重量％、酸／塩基／塩０−５重量％である請求項３９記載の、手足洗浄液の製造に利用される洗浄剤。
【請求項４１】
苦汁、酸／塩基／塩、金／白金／パラジウム／イットリウム／ロジウム／銀／ジルコニウム／ルビジウムの各粒子または箔とよりなる、シミ・そばかす・くすみ・ほくろ除去剤の製造に利用される洗浄剤。
【請求項４２】
洗浄剤中の苦汁が０−１００重量％、酸／塩基／塩０−４０重量％、金／白金／パラジウム／イットリウム／ロジウム／銀／ジルコニウム／ルビジウムの各粒子または箔量０−２５０ｐｐｍ、である請求項４１記載の、シミ・そばかす・くすみ・ほくろ除去剤の製造に利用される洗浄剤。
【請求項４３】
苦汁、酸／塩基／塩、可溶化剤とよりなる、口腔洗浄液の製造に利用される洗浄剤。
【請求項４４】
洗浄剤中の苦汁が０−１０重量％、酸／塩基／塩０−５重量％、可溶化剤１−４０重量％である請求項４３記載の、口腔洗浄液の製造に利用される洗浄剤。
【請求項４５】
苦汁、酸／塩基／塩とよりなる、練歯磨の製造に利用される洗浄剤。
【請求項４６】
洗浄剤中の苦汁が０−１０重量％、酸／塩基／塩０−５重量％である請求項４５記載の、練歯磨の製造に利用される洗浄剤。
【請求項４７】
苦汁、酸／塩基／塩とよりなる、ＩＣ基盤洗浄液の製造に利用される洗浄剤。
【請求項４８】
洗浄剤中の苦汁が０−１０重量％、酸／塩基／塩０−５重量％である請求項４７記載の、ＩＣ基盤洗浄液の製造に利用される洗浄剤。
【請求項４９】
苦汁、酸／塩基／塩とよりなる、輸送機械洗浄液の製造に利用される洗浄剤。
【請求項５０】
洗浄剤中の苦汁が０−１０重量％、酸／塩基／塩０−５重量％である請求項４９記載の、輸送機械洗浄液の製造に利用される洗浄剤。
【請求項５１】
苦汁、酸／塩基／塩、アズレンスルホン酸ナトリウムとよりなる、うがい液の製造に利用される洗浄剤。
【請求項５２】
洗浄剤中の苦汁成分量が０−１０重量％、酸／塩基／塩０−５重量％、アズレンスルホン酸ナトリウム１０−１０００ｐｐｍ、である請求項５１記載の、うがい液の製造に利用される洗浄剤。
【請求項５３】
苦汁、酸／塩基／塩、アズレンスルホン酸ナトリウムとよりなる、うがい液の製造に利用される洗浄剤。
【請求項５４】
洗浄剤中の苦汁成分量が０−１０重量％、酸／塩基／塩０−５重量％、アズレンスルホン酸ナトリウム１０−１０００ｐｐｍ、である請求項５３記載の、うがい液の製造に利用される洗浄剤。
【請求項５５】
苦汁、酸／塩基／塩、アズレンスルホン酸ナトリウムとよりなる、目洗浄液の製造に利用される洗浄剤。
【請求項５６】
洗浄剤中の苦汁成分量が０−１０重量％、酸／塩基／塩０−５重量％、アズレンスルホン酸ナトリウム１０−１０００ｐｐｍ、である請求項５５記載の、目洗浄液の製造に利用される洗浄剤。
【請求項５７】
苦汁、酸／塩基／塩、マレイン酸クロルフェニラミンとよりなる、鼻洗浄液の製造に利用される洗浄剤。
【請求項５８】
洗浄剤中の苦汁成分量が０−１０重量％、酸／塩基／塩０−５重量％、マレイン酸クロルフェニラミン１０−１０００ｐｐｍ、である請求項５７記載の、鼻洗浄液の製造に利用される洗浄剤。
【請求項５９】
苦汁、酸／塩基／塩、カンファー、メントールとよりなる、鼻洗浄液の製造に利用される洗浄剤。
【請求項６０】
洗浄剤中の苦汁成分量が０−１０重量％、酸／塩基／塩０−５重量％、カンファー１０−１０００ｐｐｍ、メントール１０−１０００ｐｐｍ、である請求項５９記載の、鼻洗浄液の製造に利用される洗浄剤。
【請求項６１】
苦汁、酸／塩基／塩、金／白金／パラジウム／イットリウム／ロジウム／銀／ジルコニウム／ルビジウムの各粒子または箔、糖、脂肪酸ナトリウム、パパインとよりなる、洗顔料の製造に利用される洗浄剤。
【請求項６２】
洗浄剤中の苦汁成分量が０−１０重量％、酸／塩基／塩０−５重量％、金／白金／パラジウム／イットリウム／ロジウム／銀／ジルコニウム／ルビジウムの各粒子または箔０−２５０ｐｐｍ、糖０−１０重量％、脂肪酸ナトリウム１０−６０重量％、パパイン０−１５重量％である請求項６１記載の、洗顔料の製造に利用される洗浄剤。
【請求項６３】
苦汁、酸／塩基／塩、アルコールとよりなる、顔手足洗浄用おしぼりの製造に利用される洗浄剤。
【請求項６４】
洗浄剤中の苦汁が０−１０重量％、酸／塩基／塩０−５重量％、アルコール０−４０重量％である請求項６３記載の、顔手足洗浄用おしぼりの製造に利用される洗浄剤。
【請求項６５】
苦汁、酸／塩基／塩、アルコールとよりなる、耳・鼻・顔洗浄用綿棒の製造に利用される洗浄剤。
【請求項６６】
洗浄剤中の苦汁が０−１０重量％、酸／塩基／塩０−５重量％、アルコール０−４０重量％である請求項６５記載の、耳・鼻・顔洗浄用綿棒の製造に利用される洗浄剤。
【請求項６７】
苦汁、酸／塩基／塩、アルコールとよりなる、めがねクリーナーの製造に利用される洗浄剤。
【請求項６８】
洗浄剤中の苦汁が０−１０重量％、酸／塩基／塩０−５重量％、アルコール０−４０重量％である請求項６７記載の、めがねクリーナーの製造に利用される洗浄剤。
【請求項６９】
苦汁、ハイドロキノン、酸／塩基／塩、金／白金／パラジウム／イットリウム／ロジウム／銀／ジルコニウム／ルビジウムの各粒子または箔とよりなる、シミ・そばかす・くすみ・ほくろ除去剤の製造に利用される洗浄剤。
【請求項７０】
洗浄剤中の苦汁が０−１００重量％、ハイドロキノン０−２５重量％、酸／塩基／塩０−４０重量％、金／白金／パラジウム／イットリウム／ロジウム／銀／ジルコニウム／ルビジウムの各粒子または箔量０−２５０ｐｐｍ、である請求項６９記載の、シミ・そばかす・くすみ・ほくろ除去剤の製造に利用される洗浄剤。
【請求項７１】
請求項１、２および、３記載の放射線発生体と、直接的および／または、間接的に接触したことを特徴とする、請求項４〜７０記載の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、洗顔料、鼻洗浄液、輸送機械洗浄液、顔手足洗浄用おしぼり、めがねクリーナー、耳・鼻・顔洗浄用綿棒の製造に利用される洗浄剤。
【請求項７２】
洗浄剤中の苦汁成分量が０−１００重量％、金／白金／パラジウム／イットリウム／ロジウム／銀／ジルコニウム／ルビジウムの各粒子または箔量０−２５０ｐｐｍである請求項７〜７１記載の、洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄、洗顔料、鼻洗浄液、輸送機械洗浄液液、顔手足洗浄用おしぼり、めがねクリーナー、耳・鼻・顔洗浄用綿棒の製造に利用される洗浄剤。
【請求項７３】
海面下２００メートル以上の深海から取水した深層海水、湧昇海水または、深層水を濃縮して得られる苦汁を利用して製造される請求項１−６記載の放射線発生体および、請求項７〜７２記載の、洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒に利用される洗浄剤。
【発明の詳細な説明】
【０００１】
【産業上の利用分野】
この発明は、深層水［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：地下陸水で、古代に陸封されたもの、または、深層海水が地下深層部に地層を通して侵入した海水）］を濃縮して得られる苦汁（ｂｉｔｔｅｒｎ）を利用して製造される洗浄剤に関するものであり、含まれる従来にない多様なミネラルが人間の皮膚、ＩＣ基盤、輸送機械等様々なものに洗浄効果を有し、洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒に利用される洗浄剤に関するものである。さらに、また、本発明は、苦汁／稀土鉱石／トルマリン／長石とよりなる放射線発生体の作用で水のクラスター構造の微細化（構造化（ｓｔｒｕｃｔｕｒｉｚｅｄ））をなした洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒に利用される洗浄剤に関するものである。
【０００２】
【従来の技術及び発明が解決しようとする課題】
微生物、動植物等を生育させるには必ず培地が必要であり、最小培地（Ｍｉｎｉｍａｌ  ｍｅｄｉｕｍ）として炭素源、窒素源、ミネラル（Ｎａ，Ｋ，Ｍｇ，Ｆｅ等に代表されるミネラル）等を含む培地がよく知られる（川喜田正夫訳、Ｄａｖｉｄ  Ｆｒｅｉｆｅｌｄｅｒ
著、分子生物学の基礎、２頁、東京化学同人（１９８５））。
【０００３】
しかし、微生物、動植物の種によってこの最小培地は大きく異なっており、一般的な最小培地と称するものがあらゆる生物種に対して最適培地たり得ない。
たとえば微生物の場合、原栄養体（ｐｒｏｔｏｔｒｏｐｈ）、栄養素要求体（ａｕｘｏｔｒｏｐｈ）等がありその栄養要求は千差万別  である。
【０００４】
水圏において微生物、動植物、魚介類等を生育させた場合、加えた培地成分中から当該生物の栄養要求に従って培地中の栄養は消費される。
従って、培地中の栄養要求に合致しなかった成分は消費されず残査として濃縮残留される。この消費されない培地成分の水圏への残留蓄積によって連作障害、ウイルス、病気発生等種々問題が発生してくる。
【０００５】
特に、ミネラルの場合、二次要素（ｓｅｃｏｎｄａｒｙ  ｎｕｔｒｉｅｎｔｓ；  Ｃａ，  Ｍｇ，  Ｓｉ，  Ｓ）、微量要素（ｍｉｃｒｏｎｕｔｒｉｅｎｔｓ；  Ｍｎ，  Ｂ，  Ｆｅ，  Ｃｕ，  Ｚｎ，  Ｍｏ，  Ｃｌ，  その他）が植物等の生育に必要（必須ミネラル）とされ、培地として供給が考慮されている。しかし、ミネラルの種類は１００種以上におよび、必須のミネラルが必要量供給されているとは言えないのが現状である。（参考文献：遠藤克己、三輪一智著、生化学ガイドブック、２４７頁、（１９８８）南光堂）
【０００６】
その結果、水圏中のミネラル不足が多くの場合発生している。その場合極微量の必須ミネラルの不足によって重篤な症状（センチュウ（ｎｅｍａｔｏｄｅ）などによる連作障害、ウイルス発生による養殖魚介類の大量死等）が多くの場合生じ、健全な食物連鎖を崩す有害な優占種の発生を見る。活性汚泥法による糸状性バルキング（Ｚｏｏｇｌｏｅａ  ｂｕｌｋｉｎｇ）の発生（須藤隆一、廃水処理の生物学、３１１、産業用水調査会（１９７７）、土木学会衛生工学委員会編、環境微生物学工学研究法、技報堂出版（１９９３））、湖沼の藻類の発生（渡辺真利代、原田健一、藤木博太編、アオコその出現と毒素、東京大学出版会（１９９４））、赤潮の発生、畑でのシストセンチュウの発生（三枝敏郎、センチュウ、農文協（１９９３））、松幹でのマツノザイセンチュウの発生、エビ養殖池でのウイルスによる大量死（Ｃ．Ｊ．Ｓｉｎｄｅｒｍａｎｎ，  Ｄ．Ｖ．Ｌｉｇｈｔｎｅｒ  ｅｄ．，  Ｄｅｖｅｌｏｐｍｅｎｔｓ  ｉｎ  Ａｑｕａｃｕｌｔｕｒｅ  ａｎｄ  Ｆｉｓｈｅｒｉｅｓ  Ｓｃｉｅｎｃｅ，  １７，  Ｄｉｓｅａｓｅ  Ｄｉａｇｎｏｓｉｓ  ａｎｄ  ｃｏｎｔｒｏｌ  ｉｎ  Ｎｏｒｔｈ  Ａｍｅｒｉｃａｎ  Ｍａｒｉｎｅ  Ａｑｕａｃｕｌｔｕｒｅ，  Ｅｌｓｅｖｉｅｒ，  Ａｍｓｔｅｒｄａｍ，  （１９８８））、キノコ（Ａｇａｒｉｃｕｓ  ｂｌａｚｅｉ  Ｍｕｒｒｉｌｌ）栽培中の青かび（Ｔｒｉｃｏｄｅｒｍａ  ｓｐ．，  Ａｓｐｅｒｇｉｌｌｕｓ  ｓｐ．，Ｐｅｎｉｃｉｌｌｉｕｍ  ｓｐ．）の発生等がミネラルバランスの欠如によって引き起こされている。ガン細胞の増殖、アトピー性皮膚炎症、花粉症等もミネラルバランスの欠如が誘因となっているといえる（崔昌禄、ガン治療の決定打、特効薬はミネラルだった、現代書林（１９９１））。
人体に関しては、ミネラル不足は、皮膚表皮、体内の免疫作用の低下、アトピーの発生、成人病の発症等様々な症状が発現する。従来、発明者は深層海水成分を用いた、清涼飲料、水質浄化剤、土壌活性剤等を提唱している（特開平１０−１５０９６０，１０−１５１４７２，１０−１５２６８１，  ＵＳ  ＰＡＴ  ６，２５４，８００Ｂ１）。
【０００７】
本発明者は、洗浄剤に関する諸問題を解決するため、深層水［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）］を濃縮して得られる苦汁（ｂｉｔｔｅｒｎ）をミネラル源として着目して種々化学的処理を行った結果、本発明に到達したものである。また、本発明は、苦汁／稀土鉱石／トルマリン／長石とよりなる放射線発生体の作用で洗浄剤に使用する水、油、溶剤等の分子のクラスター構造の更なる微細化（構造化（ｓｔｒｕｃｔｕｒｉｚａｔｉｏｎ））をなす性質を利用して、苦汁、金／白金／パラジウム／イットリウム／ロジウム／銀／ジルコニウム／ルビジウムの各粒子または箔等の混合液に対して種々化学的処理を行った結果、本発明に到達したものである。
【０００８】
【課題を解決するための手段】
即ち、本発明の請求項１の発明は、苦汁／稀土鉱石／トルマリン／長石とよりなる放射線発生体に関するものである。
【０００９】
本発明の請求項２の発明は、発生体中の苦汁成分０−３０重量％に対して、稀土鉱石０−１００重量％、トルマリン０−３０重量％、長石０−７０重量％である請求項１記載の放射線発生体に関するものである。
【００１０】
本発明の請求項３の発明は、請求項２記載の放射線発生体の微粉末を釉薬または、塗料として井桁状に組み上げたタイルの表裏に塗布し焼き上げた陶磁器の形状をした放射線発生体に関するものである。
【００１１】
本発明の請求項４の発明は、苦汁／稀土鉱石／トルマリン／長石とよりなる洗浄剤に関するものである。
【００１２】
本発明の請求項５の発明は、洗浄剤中の苦汁成分０−３０重量％に対して、稀土鉱石０−５０重量％、トルマリン０−９０重量％、長石０−５０重量％である請求項４記載の洗浄剤に関するものである。
【００１３】
本発明の請求項６の発明は、請求項５記載の洗浄剤の微粉末をボール状に焼き上げた陶磁器の形状をした洗浄剤に関するものである。
【００１４】
本発明の請求項７の発明は、苦汁と酸／塩基／塩とよりなる、洗浄液の製造に利用される洗浄剤に関するものである。ここで、［／］は［および、または］を意味する。以下、同様である。
【００１５】
本発明の請求項８の発明は、苦汁、酸／塩基／塩、金／白金／パラジウム／イットリウム／ロジウム／銀／ジルコニウム／ルビジウムの各粒子または箔とよりなる、洗浄液の製造に利用される洗浄剤に関するものである。
【００１６】
本発明の請求項９の発明は、苦汁、酸／塩基／塩、金／白金／パラジウム／イットリウム／ロジウム／銀／ジルコニウム／ルビジウムの各粒子または箔、ヤシエキス／パインエキス、クレイパウダー／硼砂とよりなる、洗浄液の製造に利用される洗浄剤に関するものである。
【００１７】
本発明の請求項１０の発明は、洗浄剤中の苦汁成分量が０−１００重量％、酸／塩基／塩、０−５重量％、金／白金／パラジウム／イットリウム／ロジウム／銀／ジルコニウム／ルビジウムの各粒子または箔量０−２５０ｐｐｍである請求項９記載の、洗浄液の製造に利用される洗浄剤に関するものである。
【００１８】
本発明の請求項１１の発明は、苦汁、酸／塩基／塩、金／白金／パラジウム／イットリウム／ロジウム／銀／ジルコニウム／ルビジウムの各粒子または箔、ヤシエキス／パインエキス、クレイパウダー／硼砂とよりなる、洗浄液の製造に利用される洗浄剤に関するものである。
【００１９】
本発明の請求項１２の発明は、洗浄剤中の苦汁成分量が０−１０重量％、酸／塩基／塩、０−５重量％、金／白金／パラジウム／イットリウム／ロジウム／銀／ジルコニウム／ルビジウムの各粒子または箔０−２５０ｐｐｍ、ヤシエキス／パインエキス１−５０重量％、クレイパウダー／硼砂１−２０重量％である請求項１１記載の、洗浄液の製造に利用される洗浄剤に関するものである。
【００２０】
本発明の請求項１３の発明は、苦汁、酸／塩基／塩、ヨウ素とよりなる、うがい液の製造に利用される洗浄剤に関するものである。
【００２１】
本発明の請求項１４の発明は、洗浄剤中の苦汁成分量が０−１０重量％、酸／塩基／塩、０−５重量％、ヨウ素１００−９０００ｐｐｍである請求項１３記載の、うがい液の製造に利用される洗浄剤に関するものである。
【００２２】
本発明の請求項１５の発明は、苦汁、酸／塩基／塩、クロルヘキシジン、チモール、ｌ−メントール、ボルネオール、銅クロロフィリンナトリウム、桂皮油とよりなる、うがい液の製造に利用される洗浄剤に関するものである。
【００２３】
本発明の請求項１６の発明は、苦汁０−１０重量％、酸／塩基／塩０−５重量％、クロルヘキシジン０−５重量％、チモール０−５重量％、ｌ−メントール０−５重量％、ボルネオール０−５重量％、銅クロロフィリンナトリウム０−７重量％、桂皮油０−１０重量％である請求項１５記載の、うがい液の製造に利用される洗浄剤に関するものである。
【００２４】
本発明の請求項１７の発明は、苦汁、酸／塩基／塩、塩化ベンゼトニウムとよりなる石けん液の製造に利用される洗浄剤に関するものである。
【００２５】
本発明の請求項１８の発明は、洗浄剤中の苦汁が０−１０重量％、酸／塩基／塩０−５重量％、塩化ベンゼトニウム５−２０重量％、である請求項１７記載の、石けん液の製造に利用される洗浄剤に関するものである。
【００２６】
本発明の請求項１９の発明は、苦汁、酸／塩基／塩、直鎖アルキルベンゼンスルホン酸ナトリウムとよりなる、洗浄液の製造に利用される洗浄剤に関するものである。
【００２７】
本発明の請求項２０の発明は、洗浄剤中の苦汁が０−１０重量％、酸／塩基／塩０−５重量％、直鎖アルキルベンゼンスルホン酸ナトリウム０−６０重量％である請求項１９記載の、洗浄液の製造に利用される洗浄剤に関するものである。
【００２８】
本発明の請求項２１の発明は、苦汁、酸／塩基／塩、金／白金／パラジウム／イットリウム／ロジウム／銀／ジルコニウム／ルビジウムの各粒子または箔、木酢酸とよりなる、石鹸の製造に利用される洗浄剤に関するものである。
【００２９】
本発明の請求項２２の発明は、洗浄剤中の苦汁成分量が０−１０重量％、酸／塩基／塩、０−５重量％、金／白金／パラジウム／イットリウム／ロジウム／銀／ジルコニウム／ルビジウムの各粒子または箔量０−２５０ｐｐｍ、木酢酸０−３０重量％である請求項２１記載の、石鹸の製造に利用される洗浄剤に関するものである。
【００３０】
本発明の請求項２３の発明は、苦汁、酸／塩基／塩、金／白金／パラジウム／イットリウム／ロジウム／銀／ジルコニウム／ルビジウムの各粒子または箔、植物エキスとよりなる、洗浄液の製造に利用される洗浄剤に関するものである。
【００３１】
本発明の請求項２４の発明は、洗浄剤中の苦汁が０−１０重量％、酸／塩基／塩０−５重量％、金／白金／パラジウム／イットリウム／ロジウム／銀／ジルコニウム／ルビジウムの各粒子または箔量０−２５０ｐｐｍ、植物エキス０−４０重量％である請求項２３記載の、洗浄液の製造に利用される洗浄剤に関するものである。
【００３２】
本発明の請求項２５の発明は、苦汁、酸／塩基／塩、金／白金／パラジウム／イットリウム／ロジウム／銀／ジルコニウム／ルビジウムの各粒子または箔、塩化アルキルトリメチルアンモニウム、ピリチオン亜鉛とよりなる、リンスの製造に利用される洗浄剤に関するものである。
【００３３】
本発明の請求項２６の発明は、洗浄剤中の苦汁成分量が０−１０重量％、酸／塩基／塩、０−５重量％、金／白金／パラジウム／イットリウム／ロジウム／銀／ジルコニウム／ルビジウムの各粒子または箔量０−２５０ｐｐｍ、塩化アルキルトリメチルアンモニウム１−１０重量％、ピリチオン亜鉛１０−５００ｐｐｍである請求項２５記載の、リンスの製造に利用される洗浄剤に関するものである。
【００３４】
本発明の請求項２７の発明は、苦汁、酸／塩基／塩、塩酸ジブカイン、塩酸ナファゾリン、マレイン酸クロルフェニラミン、塩化ベンゼトニウムとよりなる、傷口洗浄液の製造に利用される洗浄剤に関するものである。
【００３５】
本発明の請求項２８の発明は、洗浄剤中の苦汁が０−１０重量％、酸／塩基／塩０−５重量％、塩酸ジブカイン、塩酸ナファゾリン、マレイン酸クロルフェニラミン、塩化ベンゼトニウム各々０．１−４重量％である請求項２７記載の、傷口洗浄液の製造に利用される洗浄剤に関するものである。
【００３６】
本発明の請求項２９の発明は、苦汁、酸／塩基／塩、アクリノール、タンニンとよりなる、傷口洗浄液の製造に利用される洗浄剤に関するものである。
【００３７】
本発明の請求項３０の発明は、洗浄剤中の苦汁が０−１０重量％、酸／塩基／塩０−５重量％、アクリノール、タンニン各々０−５重量％、である請求項２９記載の、傷口洗浄液の製造に利用される洗浄剤に関するものである。
【００３８】
本発明の請求項３１の発明は、苦汁、酸／塩基／塩、過炭酸ナトリウムとよりなる、漂白剤の製造に利用される洗浄剤に関するものである。
【００３９】
本発明の請求項３２の発明は、洗浄剤中の苦汁成分量が０−１０重量％、酸／塩基／塩、０−５重量％、過炭酸ナトリウム５０−９５重量％である請求項３１記載の、漂白剤の製造に利用される洗浄剤に関するものである。
【００４０】
本発明の請求項３３の発明は、苦汁、酸／塩基／塩、金／白金／パラジウム／イットリウム／ロジウム／銀／ジルコニウム／ルビジウムの各粒子または箔、植物エキスとよりなる、シャンプーの製造に利用される洗浄剤に関するものである。
【００４１】
本発明の請求項３４の発明は、洗浄剤中の苦汁成分量が０−１０重量％、酸／塩基／塩、０−５重量％、金／白金／パラジウム／イットリウム／ロジウム／銀／ジルコニウム／ルビジウムの各粒子または箔量０−２５０ｐｐｍ、植物エキス２−２５重量％である請求項３３記載の、シャンプーの製造に利用される洗浄剤に関するものである。
【００４２】
本発明の請求項３５の発明は、苦汁、酸／塩基／塩、研磨剤、界面活性剤、植物エキスとよりなる、クレンザーの製造に利用される洗浄剤に関するものである。
【００４３】
本発明の請求項３６の発明は、洗浄剤中の苦汁が０−１０重量％、酸／塩基／塩０−５重量％、研磨剤５０−９９重量％、植物エキス０−１０重量％である請求項３５記載の、クレンザーの製造に利用される洗浄剤に関するものである。
【００４４】
本発明の請求項３７の発明は、苦汁、酸／塩基／塩とよりなる、目洗浄液の製造に利用される洗浄剤に関するものである。
【００４５】
本発明の請求項３８の発明は、洗浄剤中の苦汁成分量が０−１０重量％、酸／塩基／塩、０−５重量％である請求項３７記載の、目洗浄液の製造に利用される洗浄剤に関するものである。
【００４６】
本発明の請求項３９の発明は、苦汁、酸／塩基／塩とよりなる、手足洗浄液の製造に利用される洗浄剤に関するものである。
【００４７】
本発明の請求項４０の発明は、洗浄剤中の苦汁が０−１０重量％、酸／塩基／塩０−５重量％である請求項３９記載の、手足洗浄液の製造に利用される洗浄剤に関するものである。
【００４８】
本発明の請求項４１の発明は、苦汁、酸／塩基／塩、金／白金／パラジウム／イットリウム／ロジウム／銀／ジルコニウム／ルビジウムの各粒子または箔とよりなる、シミ・そばかす・くすみ・ほくろ除去剤の製造に利用される洗浄剤に関するものである。
【００４９】
本発明の請求項４２の発明は、洗浄剤中の苦汁が０−１００重量％、酸／塩基／塩０−４０重量％、金／白金／パラジウム／イットリウム／ロジウム／銀／ジルコニウム／ルビジウムの各粒子または箔量０−２５０ｐｐｍ、である請求項４１記載の、シミ・そばかす・くすみ・ほくろ除去剤の製造に利用される洗浄剤に関するものである。
【００５０】
本発明の請求項４３の発明は、苦汁、酸／塩基／塩、可溶化剤とよりなる、口腔洗浄液の製造に利用される洗浄剤に関するものである。
【００５１】
本発明の請求項４４の発明は、洗浄剤中の苦汁が０−１０重量％、酸／塩基／塩０−５重量％、可溶化剤１−４０重量％である請求項４３記載の、口腔洗浄液の製造に利用される洗浄剤に関するものである。
【００５２】
本発明の請求項４５の発明は、苦汁、酸／塩基／塩とよりなる、練歯磨の製造に利用される洗浄剤に関するものである。
【００５３】
本発明の請求項４６の発明は、洗浄剤中の苦汁が０−１０重量％、酸／塩基／塩０−５重量％である請求項４５記載の、練歯磨の製造に利用される洗浄剤に関するものである。
【００５４】
本発明の請求項４７の発明は、苦汁、酸／塩基／塩とよりなる、ＩＣ基盤洗浄液の製造に利用される洗浄剤に関するものである。
【００５５】
本発明の請求項４８の発明は、洗浄剤中の苦汁が０−１０重量％、酸／塩基／塩０−５重量％である請求項４７記載の、ＩＣ基盤洗浄液の製造に利用される洗浄剤に関するものである。
【００５６】
本発明の請求項４９の発明は、苦汁、酸／塩基／塩とよりなる、輸送機械洗浄液の製造に利用される洗浄剤に関するものである。
【００５７】
本発明の請求５０の発明は、洗浄剤中の苦汁が０−１０重量％、酸／塩基／塩０−５重量％である請求項４９記載の、輸送機械洗浄液の製造に利用される洗浄剤に関するものである。
【００５８】
本発明の請求項５１の発明は、苦汁、酸／塩基／塩、アズレンスルホン酸ナトリウムとよりなる、うがい液の製造に利用される洗浄剤に関するものである。
【００５９】
本発明の請求項５２の発明は、洗浄剤中の苦汁成分量が０−１０重量％、酸／塩基／塩０−５重量％、アズレンスルホン酸ナトリウム１０−１０００ｐｐｍ、である請求項５１記載の、うがい液の製造に利用される洗浄剤に関するものである。
【００６０】
本発明の請求項５３の発明は、苦汁、酸／塩基／塩、アズレンスルホン酸ナトリウムとよりなる、うがい液の製造に利用される洗浄剤に関するものである。
【００６１】
本発明の請求項５４の発明は、洗浄剤中の苦汁成分量が０−１０重量％、酸／塩基／塩０−５重量％、アズレンスルホン酸ナトリウム１０−１０００ｐｐｍ、である請求項５３記載の、うがい液の製造に利用される洗浄剤に関するものである。
【００６２】
本発明の請求項５５の発明は、苦汁、酸／塩基／塩、アズレンスルホン酸ナトリウムとよりなる、目洗浄液の製造に利用される洗浄剤に関するものである。
【００６３】
本発明の請求項５６の発明は、洗浄剤中の苦汁成分量が０−１０重量％、酸／塩基／塩０−５重量％、アズレンスルホン酸ナトリウム１０−１０００ｐｐｍ、である請求項５５記載の、目洗浄液の製造に利用される洗浄剤に関するものである。
【００６４】
本発明の請求項５７の発明は、苦汁、酸／塩基／塩、マレイン酸クロルフェニラミンとよりなる、鼻洗浄液の製造に利用される洗浄剤に関するものである。
【００６５】
本発明の請求項５８の発明は、洗浄剤中の苦汁成分量が０−１０重量％、酸／塩基／塩０−５重量％、マレイン酸クロルフェニラミン１０−１０００ｐｐｍ、である請求項５７記載の、鼻洗浄液の製造に利用される洗浄剤に関するものである。
【００６６】
本発明の請求項５９の発明は、苦汁、酸／塩基／塩、カンファー、メントールとよりなる、鼻洗浄液の製造に利用される洗浄剤に関するものである。
【００６７】
本発明の請求項６０の発明は、洗浄剤中の苦汁成分量が０−１０重量％、酸／塩基／塩０−５重量％、カンファー１０−１０００ｐｐｍ、メントール１０−１０００ｐｐｍ、である請求項５９記載の、鼻洗浄液の製造に利用される洗浄剤に関するものである。
【００６８】
本発明の請求項６１の発明は、苦汁、酸／塩基／塩、金／白金／パラジウム／イットリウム／ロジウム／銀／ジルコニウム／ルビジウムの各粒子または箔、糖、脂肪酸ナトリウム、パパインとよりなる、洗顔料の製造に利用される洗浄剤に関するものである。
【００６９】
本発明の請求項６２の発明は、洗浄剤中の苦汁成分量が０−１０重量％、酸／塩基／塩０−５重量％、金／白金／パラジウム／イットリウム／ロジウム／銀／ジルコニウム／ルビジウムの各粒子または箔０−２５０ｐｐｍ、糖０−１０重量％、脂肪酸ナトリウム１０−６０重量％、パパイン０−１５重量％である請求項６１記載の、洗顔料の製造に利用される洗浄剤に関するものである。
【００７０】
本発明の請求項６３の発明は、苦汁、酸／塩基／塩、アルコールとよりなる、顔手足洗浄用おしぼりの製造に利用される洗浄剤に関するものである。
【００７１】
本発明の請求項６４の発明は、洗浄剤中の苦汁が０−１０重量％、酸／塩基／塩０−５重量％、アルコール０−４０重量％である請求項６３記載の、顔手足洗浄用おしぼりの製造に利用される洗浄剤に関するものである。
【００７２】
本発明の請求項６５の発明は、苦汁、酸／塩基／塩、アルコールとよりなる、耳・鼻・顔洗浄用綿棒の製造に利用される洗浄剤に関するものである。
【００７３】
本発明の請求項６６の発明は、洗浄剤中の苦汁が０−１０重量％、酸／塩基／塩０−５重量％、アルコール０−４０重量％である請求項６５記載の、耳・鼻・顔洗浄用綿棒の製造に利用される洗浄剤に関するものである。
【００７４】
本発明の請求項６７の発明は、苦汁、酸／塩基／塩、アルコールとよりなる、めがねクリーナーの製造に利用される洗浄剤に関するものである。
【００７５】
本発明の請求項６８の発明は、洗浄剤中の苦汁が０−１０重量％、酸／塩基／塩０−５重量％、アルコール０−４０重量％である請求項６７記載の、めがねクリーナーの製造に利用される洗浄剤に関するものである。
【００７６】
本発明の請求項６９の発明は、苦汁、ハイドロキノン、酸／塩基／塩、金／白金／パラジウム／イットリウム／ロジウム／銀／ジルコニウム／ルビジウムの各粒子または箔とよりなる、シミ・そばかす・くすみ・ほくろ除去剤の製造に利用される洗浄剤に関するものである。
【００７７】
本発明の請求項７０の発明は、洗浄剤中の苦汁が０−１００重量％、ハイドロキノン０−２５重量％、酸／塩基／塩０−４０重量％、金／白金／パラジウム／イットリウム／ロジウム／銀／ジルコニウム／ルビジウムの各粒子または箔量０−２５０ｐｐｍ、である請求項６９記載の、シミ・そばかす・くすみ・ほくろ除去剤の製造に利用される洗浄剤に関するものである。
【００７８】
本発明の請求項７１の発明は、請求項１、２および、３記載の放射線発生体と、直接的および／または、間接的に接触したことを特徴とする、請求項４〜７０記載の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、洗顔料、鼻洗浄液、輸送機械洗浄液、顔手足洗浄用おしぼり、めがねクリーナー、耳・鼻・顔洗浄用綿棒の製造に利用される洗浄剤に関するものである。
【００７９】
本発明の請求項７２の発明は、洗浄剤中の苦汁成分量が０−１００重量％、金／白金／パラジウム／イットリウム／ロジウム／銀／ジルコニウム／ルビジウムの各粒子または箔量０−２５０ｐｐｍである請求項７〜７１記載の、洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄、洗顔料、鼻洗浄液、輸送機械洗浄液液、顔手足洗浄用おしぼり、めがねクリーナー、耳・鼻・顔洗浄用綿棒の製造に利用される洗浄剤に関するものである。
【００８０】
本発明の請求項７３の発明は、海面下２００メートル以上の深海から取水した深層海水、湧昇海水または、深層水を濃縮して得られる苦汁を利用して製造される請求項１−６記載の放射線発生体および、請求項７〜７２記載の、洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒に利用される洗浄剤に関するものである。
【００８１】
【発明の実施の形態】
本発明の洗浄剤は、深層水［海面下２００メートル以上の深海から取水した深層海水、湧昇海水または、深層水］を濃縮して得られる苦汁を利用したものであり、含まれる従来にない多様なミネラルが人間の皮膚や、ＩＣ基盤、輸送機械等に対して洗浄効果を有する、洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒に利用される洗浄剤に関するものである。さらに、また、本発明は、請求項１〜３記載の苦汁／稀土鉱石／トルマリン／長石とよりなる放射線発生体が、請求項４〜７１記載の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒等と直接または／および、間接的に接触することによって、クラスターが微細化（構造化）される作用を有する洗浄剤を得たものである。
【００８２】
本発明で利用する稀土鉱石は、フェルグソン鉱石等であり、トリウム１．８％以下、ウラン０．６％以下である。放射能濃度は３７０Ｂｑ／ｇ以下で、核原料物質、核燃料物質及び原子炉の規制に関する法律（施行例第１９条）、電離放射線障害防止規制（労働省第４１号）で、いずれも対象外である。
【００８３】
本発明で利用するトルマリンは、電気石とも称されるものであり、その代表的な化学組成は、３（ＮａＸ３Ａｌ６（ＢＯ３）Ｓｉ６Ｏ１８（ＯＨＦ）４）（Ｘ＝Ｍｇ，  Ｆｅ，  Ｌｉ，  Ａｌ等）である（久保哲治郎、新しい水の科学と利用技術、３０３（１９９２））。
【００８４】
本発明で添加する長石は、化学組成がＳｉＯ２  ５６．５９％，  Ａｌ２Ｏ３  １２．６０％，  Ｆｅ２Ｏ３  ０．３４％，  ＣａＯ  ０．４０％，  ＭｇＯ  ０．１５％，  Ｎａ２Ｏ  ２．４１％，  Ｋ２Ｏ  ７．７５％，  Ｕ３Ｏ８  ０．０１％，  ＴｈＯ２  １．４２％  Ｒ２Ｏ３  （Ｔｏｔａｌ  ｒａｒｅ  ｅａｒｔｈ）  １２．００％，  ＺｙＯ２  ０．３０％，  Ｐ２Ｏ５  ５．６２％  のものである。
【００８５】
放射線発生体をマルチチャンネル波高分析器によるγ線スペクトル測定したところ、ウラン系列核種とトリウム系列核種から放出されるγ線が検出された。ウラン系列核種では、親核種２３８Ｕの娘核種である２２６Ｒａ，  ２１４Ｐｂ，  ２１４Ｂｉから放出されるγ線が検出された。また、トリウム系列核種では親核種２３８Ｔｈの娘核種である２２８Ａｃ，  ２１２Ｐｂ，  ２１２Ｂｉ，  ２０８Ｔｌから放出されるγ線が検出された。これらの核種について放射能濃度および、放射平衡を仮定したときの系列親核種の質量濃度を計算した。
【００８６】
2004155901.tif 000002
【００８７】
トリウム系列
核種  γ線のエネルギー（ＫｅＶ）  放射能濃度  放射平衡成立時Ｔｈ濃度（％）
2004155901.tif 000003
【００８８】
これらの結果は、ウラン、トリウム濃度とも安全基準値の１／１００に収まっている。放射能濃度についても届出値（３７０Ｂｑ／ｇ）を下回るものである。
【００８９】
放射線発生体をｐＨ０．８−ｐＨ１３の範囲で溶出試験を行い放射線量を測定したところ、いずれもトリウム、ウラン等放射性物質の溶出を認めなかった。
【００９０】
放射線発生体と水を直接または、間接的に接触させた場合、水のクラスターの微細化は１７Ｏ−ＮＭＲ  の半値幅が  １００−１４０  Ｈｚ  から  ５０−６０  Ｈｚ  に低下することによって認められる。また、  ＩＲ  スペクトルで、１８００−６００  ｃｍ−１  近辺に広幅吸収帯が認められ、クラスター形成（構造化（ｓｔｒｕｃｔｕｒｉｚｅｄ））が認められる。（綿貫邦彦、久保田昌治監修、新しい水の科学と利用技術、２１７，  ２３７，  ２６３  サイエンスフォーラム（１９９２））
【００９１】
稀土鉱石、トルマリン、長石等に含まれるトリウム（Ｔｈ）、ウラン（Ｕ）系列核種等の放射性壊変によって発生するα線、β線や、残留核（Ｒｎ等：数百ｅＶの反跳エネルギーを有する）は水等と反応して、その化学結合（数ｅＶ）や水分子間のファンデルワールス力（Ｖａｎ  ｄｅｒ  Ｗａａｌｓ  ｆｏｒｃｅ）を切断することによって、より微細なクラスター形成（構造化（ｓｔｒｕｃｔｕｒｉｚａｔｉｏｎ））へと移行する。一方、深層海水に含まれるミネラルイオンは水分と水和（ｓｏｌｖａｔｉｏｎ）しやすい。深層海水に含まれるミネラルの場合、二次要素（ｓｅｃｏｎｄａｒｙ  ｎｕｔｒｉｅｎｔｓ；  Ｃａ，  Ｍｇ，  Ｓｉ，  Ｓ）、微量要素（ｍｉｃｒｏｎｕｔｒｉｅｎｔｓ；  Ｍｎ  ，Ｂ，  Ｆｅ，  Ｃｕ，  Ｚｎ，  Ｍｏ，  Ｃｌ，  その他）が豊富に含まれ（野崎義行、現代海洋化学の展望、海洋、号外  Ｎｏ．８，  ５  （１９９５））微細なクラスターを形成して活性化されている。放射性壊変によって発生するα線、β線や、残留核は水和ミネラルイオンの微細クラスターと反応して、水素結合（ｈｙｄｒｏｇｅｎ  ｂｏｎｄ）や、ファンデルワールス力（Ｖａｎ  ｄｅｒ  Ｗａａｌｓ  ｆｏｒｃｅ）を切断することによって、さらに微細なクラスター形成へと作用する。ミネラルイオンを核に水和した水はより安定な微細クラスターを形成する（構造化〈ｓｔｒｕｃｔｕｒｉｚａｔｉｏｎ〉）。水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成が認められる。
【００９２】
通常、海洋の表層部に存在する海水のＩＣＰ分析は以下の通りである：  Ｎａ  １０７７０，  Ｍｇ  １２９０，  Ｓ  ９０５，  Ｃａ  ４１２，  Ｋ  ３８０，  Ｓｒ  ８，  Ｂ  ４．４４，  Ｓｉ  ２，  Ｌｉ  ０．１８，  Ｒｂ  ０．１２，  Ｍｏ  ０．０１，  Ｚｎ  ０．００４９，  Ａｓ  ０．００３７，  Ｕ  ０．００３３，  Ｖ  ０．００２５，  Ａｌ  ０．００２，  Ｆｅ  ０．００２，  Ｂａ０．００２，  Ｎｉ  ０．００１７，  Ｔｉ  ０．００１，  Ｃｓ  ０．０００４，  Ｃｒ  ０．０００３，  Ｓｂ  ０．０００２４，  Ｍｎ  ０．０００２，  Ｓｅ  ０．０００２，  Ｗ  ０．０００１，  Ｃｏ  ０．００００５，  Ｇｅ  ０．００００５，  Ｃｕ  ０．００００３，  Ｇａ  ０．００００３，  Ｚｒ  ０．００００３，  Ｔｌ  ０．００００２，  Ｂｉ  ０．００００２，  Ｎｂ  ０．００００１，  Ｓｎ  ０．００００１，  Ｐｂ  ０．００００１，  Ｂｅ  ０．０００００５６，  Ａｕ  ０．０００００４，  Ｌａ  ０．０００００３１，  Ｎｄ  ０．０００００２５，  Ｔａ  ０．０００００２，  Ｈｇ  ０．０００００２，  Ｃｅ  ０．０００００１２，  Ｃｄ  ０．００００００５，  Ｙ０．００００００１３，  Ａｇ  ０．０００００００６  （ｐｐｍ）。
【００９３】
海洋の深層部に存在する海水のＩＣＰ分析は以下の通りである：  Ｎａ  １１０５５，  Ｍｇ  １３２０，  Ｓ  ２６３６，  Ｃａ  ４１０，  Ｋ  ３７２，  Ｓｒ  ８．１，  Ｂ  ４．７，  Ｓｉ  ２．５，  Ｌｉ  ０．１８，  Ｒｂ  ０．１２，  Ｍｏ０．００５５，  Ｚｎ  ０．００２２，  Ａｓ  ０．００２６，  Ｖ  ０．００１，  Ａｌ  ０．００７８，  Ｆｅ  ０．０２，  Ｂａ  ０．００８，  Ｎｉ０．０００６，  Ｃｒ  ０．０００６，  Ｍｎ  ０．００１３，  Ｓｅ  ＜０．０００２，  Ｃｏ  ０．００００４，  Ｇｅ  ＜０．０１，  Ｃｕ  ０．０００１２，  Ｓｎ  ＜０．００００２，  Ｐｂ  ０．００００３，  Ｈｇ  ＜０．００００２，  Ｃｄ  ０．００００６  （ｐｐｍ）。
【００９４】
海洋深層水は、極地より深海溝に沈み込んだ海流が、長い滞留時間を経て回流する水であり、源流はアイルランド沖が有名であり、その他いくつか発見されている。その存在は、１９９１年に海水大循環ベルトコンベアモデルとしてＢｒｏｅｃｋｅｒによって提唱されたものである。海洋深層水の特徴は、表層水と異なり一般に、Ｂｅ，  Ｓｃ，  Ｔｉ，  Ｆｅ，  Ｎｉ，  Ｃｕ，  Ｚｎ，  Ｇａ，  Ｇｅ，  Ｓｅ，  Ｙ，  Ｚｙ，  Ｒｈ，  Ｐｄ，  Ａｇ，  Ｃｄ，  Ｂａ，  Ｈｇ，  Ｐｏ，Ｒｎ，  Ｒａ，  Ｌａ，  Ｐｒ，  Ｎｄ，  Ｓｍ，  Ｅｕ，  Ｇｄ，  Ｔｂ，  Ｄｙ，  Ｈｏ，  Ｅｒ，  Ｔｍ，  Ｙｂ，  Ｌｕ，  Ａｃ  等の存在比が高く、Ａｌ，  Ｍｎ，  Ｃｏ，  Ｉｎ，  Ｓｎ，  Ｔｅ，  Ｐｂ，  Ｂｉ，  Ｔｈ，  Ｐｕ，  Ａｍ等の存在比が低い。また、重同位元素の存在比が高い（野崎義行、現代海洋化学の展望、海洋、号外  Ｎｏ．８，  ５  （１９９５））。
【００９５】
生体内における様々な反応は液層反応である。溶媒（ｓｏｌｖｅｎｔ）としては水が中心となっている。水が、より小さなクラスターによる階層構造を形成し安定化すると、ここで安定化エネルギーが得られる。この安定化エネルギーが、構造水の大きな波動放出の源である。ここで、基質（ｓｕｂｓｔｒａｔｅ）や、試薬（ｒｅａｇｅｎｔ）、ミネラル等が存在した場合、水和（ｓｏｌｖａｔｉｏｎ）によって安定化され、反応の自由エネルギー差（ΔＧ゜：ｓｔａｎｄａｒｄ  ｆｒｅｅ  ｅｎｅｒｇｙ  ｄｉｆｆｅｒｅｎｃｅ）を減少させる。この安定化エネルギーの差は生体内の酵素反応速度を最大１００倍程度（ｐＫａにして約２）高める効果を有する。
【００９６】
酵素、ミネラル等の様々な基質、試薬等は構造水を結合している。これら試薬等が構造水や自由水（ｆｒｅｅ  ｗａｔｅｒ）の中に分散している構造が、水溶液である。水溶液中の、自由水に対する構造水の割合が大きくなるほど、生体反応に限らず、様々な素反応（ｒｅａｃｔｉｏｎ）にとってエネルギー的に有利となる。深層水とは、各種ミネラルを溶質（ｓｏｌｕｔｅ）とした構造水の一形態にすぎない。構造化の割合が最も大きい部類に属する水として深層水は考えられる。深層水のミネラル構成比（ｍｉｎｅｒａｌ  ｖａｌｅｎｃｅ）は表層水（ｓｕｒｆａｃｅ  ｓｅａ  ｗａｔｅｒ）と微妙に異なる。生命発生の由来から、生体反応には深層水のミネラルバランスの方がより適しているといえよう。
【００９７】
本洗浄剤に利用される濃縮深層水のＩＣＰ発光分析法による定量分析結果は以下のとおりである：Ｎａ  ６３０，  Ｍｇ  ２６３７，  Ｓ  ８３７，  Ｃａ  １．３８６，  Ｋ  ５９７，  Ｂ  ７．８，  Ｌｉ  １．０１７，  Ｚｎ  ０．０００４８，  Ａｌ  ０．０１１，  Ｆｅ  ０．０１４７，  Ｍｎ  ０．０８１３，  Ｒｂ，  Ｍｏ，  Ａｓ，  Ｖ，  Ｂａ，  Ｎｉ，  Ｔｉ，Ｃｓ，  Ｃｒ，  Ｓｂ，  Ｓｅ，  Ｗ，  Ｃｏ，  Ｇｅ，  Ｃｕ，  Ｇａ，  Ｚｒ，  Ｔｌ，  Ｂｉ，  Ｎｂ，  Ｓｎ，  Ｐｂ，  Ｂｅ，  Ａｕ，  Ｔａ，  Ｈｇ，  Ｃｄ，  Ｙ，  Ａｇ  ＜  ０．００００１  （ｐｐｍ）．  ｐＨ＜３．
【００９８】
また、本濃縮深層水のマウスに対する急性毒性試験（経口）結果はマウス経口投与  ２０  ｍｌ／ｋｇ体重で死亡例を認めない。ただし、試験動物は  ｄｄｙ系、５週齢の雄マウス、１群１０匹を使用した。
【００９９】
１０００−１００００倍希釈液を２４時間常温放置下後ミネラルウォーター類の原水の規格基準への適否を試験した：一般細菌：０個／ｍｌ、大腸菌群：不検出、Ｃｄ＜０．００１，  Ｈｇ＜０．０００５，  Ｓｅ＜０．００１ｌ，  Ｐｂ＜０．００５，  Ｂａ＜０．１，  Ａｓ＜０．００５，  Ｃｒ（ＶＩ）＜０．００５，  ＣＮ＜０．０１，  ＮＯ２  ＋  ＮＯ  ＜  ２．６，  Ｆ＜０．１，  Ｈ３ＢＯ４＜１．０，  Ｚｎ＜０．００５，  Ｃｕ＜０．０１，  Ｍｎ＜０．００５，  有機物等  ＜  ２．２，  硫化物＜０．０５  （ｍｇ／ｌ）。
上記試験項目については、ミネラルウォーター類の原水の規格基準に適合する。
【０１００】
本濃縮深層水を任意の希釈下に洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒に加えた場合、微細なクラスターを形成し、表層水圏、表層土壌圏等にはない多様でバランスのよいミネラルが表皮細胞及び、皮膚組織に触媒的効果を及ぼし、また、中性・イオン性夾雑物（ｉｍｐｕｒｉｔｙ）に対して微細なミセル（ｍｉｃｅｌｌ）を形成することによって優れた洗浄効果を示す。
【０１０１】
また、添加された酸、塩基、塩がミネラルをイオン化し、水の構造化（クラスターの形成）、酸素の活性化、溶存化、夾雑物とのミセル化を促進する。
【０１０２】
本発明に供する苦汁は、海面下２００メートル以上の深海から取水した深層海水、湧昇流海水、深層水から食塩を製造する際に副産物として得られるものであり、また、更に、様々な濃縮を繰り返した結果得られた苦汁を利用したものである。
【０１０３】
本発明で添加する酸は、無機酸、有機酸、無機酸塩または有機酸塩であり、それらは単独で添加することも、あるいは併用することも可能である。それらの酸の一例としてはリン酸、硫酸、硝酸、塩酸等の無機酸、リン酸カリウム、リン酸マグネシウム、硫酸アンモニウム、硫酸カルシウム等の無機酸塩、蟻酸、プロピオン酸、酪酸、カプロン酸、２−ヒドロキシ安息香酸、クエン酸、コハク酸、酢酸、乳酸、マロン酸、アジピン酸、マレイン酸、グルタル酸、４−ヒドロキシペンタン酸、イタコン酸、酒石酸、ピルビン酸、リンゴ酸、フマール酸、オキザロ酢酸、シスアコニット酸、イソクエン酸、オキザロコハク酸、α−ケトグルタル酸、コーヒー酸、シナピン酸、クマール酸、アスパラギン酸、ポリアクリル酸、木酢酸、ホスファチジン酸、ウロカニン酸、］ムコン酸、β−ケトアジピン酸、桂皮酸、クマリン酸、シノリン酸、クロロゲン酸、インドール乳酸、キサンツレン酸、ピコリン酸、キノリン酸、５−ヒドロキシインドール酢酸、オキサロ酢酸、ニコチン酸、インドール酢酸、β−３Ｈ−インドリデノピルビン酸、シキミ酸、コリスミ酸、フェニルピルビン酸、システイン酸、γ−アミノ酪酸、Ｄ−ピロリドン−５−カルボン酸、２−ケト−６−アミノカプロン酸、２−ケト−５−アミノ吉草酸、ホスホエノールピルビン酸、アセチルリン酸、グリオキシル酸、ジヒドロキシフマル酸、３−ホスホグリセリン酸、３−ヒドロキシプロピオン酸、メチルマロン酸、２−オキソグルタル酸、アセト酢酸、４−アミノ酪酸、アセト乳酸、ジメチルリンゴ酸、Ｌ−シトラマル酸、ジメチルマレイン酸、ｃｉｓ−アコニット酸、３−メチルイタコン酸、メチルオキサロ酢酸、２−オキソ酪酸、グリオキシル酸、イソクエン酸、７，８−ジヒドロ葉酸、５，６，７，８−テトラヒドロ葉酸、５−メチルテトラヒドロ葉酸、３−ホスホ−Ｄ−グリセリン酸、チアミンピロリン酸、チアミン酢酸、５−ピリドキシン酸、４−ピリドキシン酸、パントテン酸、パントイン酸、ケトパントイン酸、ヒメリン酸、７−ケト−８−アミノペラルゴン酸、葉酸、ＶＢ１２、コビリン酸、δ−アミノレブリン酸、Ｌ−グロン酸、Ｌ−デヒドロアスコルビン酸、Ｌ−トレオン酸、レチノイン酸、β−アポ−８’−カロテン酸、シキミ酸、ホモゲンチジン酸、プレフェン酸、アントラニル酸、ピペコリン酸、リゼルグ酸、メバロン酸、アビエチン酸、レボピマール酸、ネオアビエチン酸エチドロン酸、含硫珪酸、グルタミン酸、珪酸、ペンテト酸、脂肪酸（ステアリン酸、ヒドロキシステアリン酸、ミリスチン酸、ラノリン酸、テトラオレイン酸、デヒドロ酢酸、パルミチン酸、ウンデシレン酸等）、ヒアルロン酸、エデト酸、ノナン酸、グリコール酸、タンニン酸トリＰＥＧ−８アルキル（Ｃ−１２−１５）リン酸、パーフルオロアルキルＰＥＧリン酸、ジラウレス−４リン酸、チオグリコール酸、ジチオグリコール酸、カルボン酸誘導体、フェノール誘導体、リン酸誘導体、スルホン酸誘導体等の有機酸がある。
【０１０４】
塩の一例としては、酒石酸カリウムナトリウム、酢酸ナトリウム、クエン酸カリウム、クエン酸ナトリウム、乳酸カルシウム、コハク酸カルシウム、リンゴ酸マグネシウム、ポリアクリル酸ナトリウム、グリチルリチン酸２Ｋ、ココイルイセチオン酸Ｎａ、スルホコハク酸ラウレス２Ｎａ、ＤＮＡ−Ｋ、デヒドロ酢酸Ｎａ、銅クロロフィリンＮａ、ヒアルロン酸Ｎａ、ペンテト酸５Ｎａ、リン酸アスコルビルＭｇ、安息香酸Ｎａ、ＥＤＴＡ−２Ｎａ、ＥＤＴＡ−３Ｎａ、ＥＤＴＡ−４Ｎａ、塩化アルキルトリメチルアンモニウム、ベヘントリモニウムクロリド、塩化ジステアリルジメチルアンモニウム、ジステアリルジモニウムクロリド、塩素ステアリルジメチルベンジルアンモニウム、ステアラルコニウムクロリド、塩化ステアリルトリメチルアンモニウム、ステアルトリモニウムクロリド、塩化セチルピリジニウム、塩化ベンザルコニウム、塩化ベンゼトニウム、塩化ラウリルメチルアンモニウム、塩化リゾチーム、塩酸アルキルジアミノエチルグリシン、塩酸クロルヘキシジン、塩酸ジフェンヒドラミン、グアイアズレンスルホン酸Ｎａ、セチル硫酸Ｎａ、ＲＡＳ−ＮＡ、デヒドロ酢酸Ｎａ、ｐ−フェノールスルホン酸Ｚｎ、ポリオキシエチレンラウリルエーテル硫酸塩、ラウリル硫酸トリエタノールアミン、水添タロウグルタミン酸Ｎａ、Ｎ−ステアロイル−Ｎ−メチルタウリンＮａ、Ｎ−ミリストイル−Ｌ−グルタミン酸Ｎａ、ココイルグルタミン酸Ｋ、硬化牛脂脂肪酸アシル−Ｌ−グルタミン酸Ｎａ、Ｎ−ラウリルヒドロキシ酢酸アミド硫酸Ｎａ、ラウロアンホジ酢酸２Ｎａ／トリデセス硫酸Ｎａ、ラウロイルアスパラギン酸Ｎａ、ラウロイルグルタミン酸Ｋ、ラウロイルグルタミン酸Ｍｇ、ラウロイルトレオニンＫ、ラウロアンホジ酢酸２Ｎａ、ラウロアンホ酢酸Ｎａ、オクトキシノール−２−エタンスルホン酸Ｎａ、スルホコハク酸ＰＥＧ−２オレアミド２Ｎａ、スルホコハク酸ＰＥＧ−５ラウラミド２Ｎａ、スルホコハク酸ＰＥＧ−５オレアミド２Ｎａ、スルホコハク酸ラウリル２Ｎａ、セテアリル硫酸Ｎａ、オレフィン（Ｃ１４−１６）スルホン酸Ｎａ、パーム核脂肪酸アミドエチルヒドロキシエチルアミノプロピオン酸Ｎａ、ラウラミノプロピオン酸Ｎａ、ポリアクリル酸Ｎａ、ポリアクリル酸Ｋ、ミリストイルメチルタウリンＮａ、ココイルサルコシンＮａ、ココイルタウリンＮａ、ココイルメチルアラニンＮａ、ココイルメチルタウリンＭｇ、ラウリミノジプロピオン酸Ｎａ、ラウリル硫酸Ｎａ、ラウロイルサルコシンＮａ、ラウロイルメチルアラニンＮａ、チオグリコール酸アンモニウム、チオグリコール酸モノエタノールアミン等の有機酸塩さらに、珪酸Ａｌ／Ｍｇ等の無機酸塩等があげられる。
【０１０５】
また、本発明で添加する塩基は、無機塩基または、有機塩基であり、それらは単独で添加することも、あるいは併用することも可能である。それらの塩基や塩の一例としては水酸化ナトリウム、水酸化カルシウム、水酸化マグネシウム、水酸化カリウム、炭酸ナトリウム、炭酸カリウム、炭酸水素ナトリウム、炭酸水素カリウム、炭酸カルシウム、炭酸マグネシウム、アンモニア、重炭酸アンモニウム、臭素酸ナトリウム等の無機塩基、エステル化グリシルアラニン（Ｃ−末端エステル化ペプチド）、グルコサミン（アミノ糖）、ヒスチジン、アルギニン、アスパラギン、塩基性多糖（キチン、キトサン、キチン誘導体、キトサン誘導体）、アルカノールアミン誘導体（ジイソプロパノールアミン、エタノールアミン、ジエタノールアミン、トリイソプロパノールアミン、トリエタノールアミン）、アルキルアミン誘導体（メチルアミン、エチルアミン、ジエチルアミン、トリエチルアミン）等の有機塩基等があげられる。
【０１０６】
苦汁と酸／塩基／塩との混合率は、苦汁０−１００重量％、酸／塩基／塩０−７０重量％が適当である。このことによって中和や緩衝効果が現れ、苦汁に含まれるカチオンまたは、アニオン濃度が充分となる。酸アニオンとしては、リン酸および／または、硫酸の添加がミセル化を活性化する。
【０１０７】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される植物抽出油の一例としては次のものが考えられる：オリーブ、チョウジ、ミツロウ、ホホバ、ナタネ、ククイナッツ、イランイラン、サンダルウッド、パチュリー、ベチバー、クローブ、コリアンダー、シナモン、ブラックペッパー、ローレル、ジャスミン、スパイクラベンダー、ゼラニウム、ネロリ、ラバンジン、ラベンダー、リンデン、ローズ、ローマンカモミール、サイブレス、シダーウッド、ジュニパーベリー、ティートリー、パイン、バーチ、プチグレン、ユーカリ、ローズウッド、オレンジ、グレープフルーツ、シトロネラ、ベルガモット、マンダリン、メリッサ、ライム、レモン、レモナグラス、キャロットシード、クラリセージ、スペアミント、セージ、バジル、ヒソップ、フェンネル、ペパーミント、マージョラム、ヤロウ、ローズマリー、アロエ、キダチアロエ、アロエベラ等。
【０１０８】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される植物抽出物の一例としては次のものが考えられる：ダイズ、オタネニンジン、シコン、サンショウ、センブリ、タンポポ、ハイビスカス、マロウ、ミント、レモンバーム、ローズヒップス、ローズ、エルダーフラワー、ジャーマンカモミール、ヒソップンデン、アンズ、発芽玄米、ハス、ウメ、ビワ、プラム、ゴボウ、キャベツ、ブロッコリー、長芋、ユキノシタ、セロリー、小豆、糠、オオバク、スギナ、アシタバ、アボカド、アマチャ、アルテア、アルニカ、キダチアロエ、アロエベラ、イタドリ、イノンド、インドジャボク、イラクサ、イリス、イチョウ、イラクサウイキョウ、ウイキョウ、ウスバサイシン、ウツボグサ、ウンシュウミカン、ウコン、エゴノキ、エビスグサ、エンジュ、エンジツ、エゾウコギ、エチナシ、エンメイソウ、オオツヅラフジ、オケラ、オニノヤガラ、オウゴン、オウバク、オウレン、オトギリソウ、オドリコソウ、オランダカラシ、カカオ、カガミグサ、ガジュツ、カタクリ、ガマ、カラスビシャク、カワラケツメイ、カンゾウ、カッコン、カノコソウ、カミツレ、カワラヨモギ、キキョウ、キササゲ、キハダ、キョウチクトウ、キンミズヒキ、キイチゴ、キウイ、キュウリ、クチナシ、クコ、クズ、クスノキ、クマザサ、クララ、クレマティス、クロレラ、ケイノキ、ケシ、ゲンチアナ、ゲンノショウコ、コエンドロ、コガネバチ、ゴシュユ、コーヒーノキ、コブシ、コンフリー、サイシン、サフラン、サルビア、サンシュユ、サボンソウ、サンザシ、サンショウ、ジギタリス、シャクナゲ、シャクヤク、ショウガ、シラン、シア、キノコ（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ  、イリオモテクマゼミタケ、スズキセミタケ、コゴメセミタケ、コニシセミタケ、セミノハリセンボン、セミタケ、ヒグラシタケ、シロセミタケ、トサノセミタケ、イネゴセミタケ、ヒナセミタケ、イシカリセミタケ、アイヌセミタケ、オオセミタケ、アブラゼミタケ、ハヤカワセミタケ、ツブノセミタケ、ウンカハリタケ、ハゴロモツブタケ、アワフキムシタケ、ヨコバイタケ、カイガラムシタケ、カメムシタケ、サナギタケ、タマサナギタケ、シロサナギタケ、オオミノサナギタケ、ヒメサナギタケ、ベニイモムシタケ、イラガハリタケ、エゾサナギタケ、ラクロムシタケ、コガネムシタケ、テッポウムシタケ、ニッコウムシタケ、オグラムシタケ、ミヤマムシタケ、カブヤマツブタケ、オサムシタンポタケ、サヌキクチムシタケ、ムラサキクビオレタケ、コメツキムシタケ、クチキカノツノタケ、オサムシタケ、ゾウムシタケ、��チタケ、ヒメハリタケ、アリタケ、マルミアリタケ、ケラタケ、ゴキブリタケ、ヤンマタケ、シロアリタケ、ハエヤドリタケ、アブヤドリタケ、オグラクモタケ、ハスノミクモタケ、サンゴクモタケ、ウスジロクモタケ、タイワンハダニツブタケ、ハナヤスリタケ、トウマタンポタケ、セイヨウバッカクタケ、ササバッカクタケ、サンチュウムシタケモドキ、トウマタンポタケ、キビノムシタケモドキ等（清水大典、冬虫夏草図鑑、（１９９７）家の光協会）等）、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ）、サンザシ、サンショウ、シア、ジオウ、シナノキ、シモツケソウ、シャクヤク、ショウブ、シラカバ、シロバナムシヨケギク、スズラン、スイカズラ、セイヨウオトギリソウ、セイヨウキズタ、セイヨウサンザシ、セイヨウニワトコ、セイヨウネズ、セイヨウノコギリソウ、セイヨウハッカ、ゼニアオイ、センキュウ、センブリ、セージ、ソウハクヒ、ソテツ、タイソウ、タイム、タマザキツヅラフジ、チガヤ、チクセツニンジン、チョウセンゴミシ、チンピ、ツルドクダミ、テンダイウヤク、トウガシ、トウキ、トウゴマ、トウワタ、トウキンセンカ、トウニン、トウヒ、ドクダミ、トマト、トルメンチラ、ナンテン、ニガキ、ニワトコ、ニンニク、ハシリドコロ、ハッカ、ハトムギ、バクモンドウ、パセリ、パリエタリア、ハマメリス、ビャクダン、ヒヨス、フキタンポポ、ブクリョウ、ブッチャーブルーム、ブドウ、プルーン、ヘチマ、ベニバナ、ベラドンナ、ホオノキ、ボタン、ポンタピ、ホップ、マツ、マツホド、マロニエ、ミシマサイコ、メリッサ、ママ、ムラサキ、ムラサキオモト、オモト、モヤシ、ヤグルマギク、ヤマゴボウ、ヤマノイモ、ユーカリ、ユズ、ヨクイニン、ヨモギ、ヨウシュチョウセンアサガオ、リンドウ、リンゴ、ルイボス、レタス、レモン、レンゲソウ、ログウッド、ローズヒップ、ローズマリー、ローマカミツレ、ロベリア、ワレモコウ、ウイキョウ、クチナシ、ボタン、クロレラ、サルビア、パイン、キラヤステビア、デイゴ、赤キャベツ、紫蘇、モズク、昆布、セリ、アサガオ、アサ、アオキ、アマドコロ、アミガサユリ、ワタ、カヤ、バラ、ブドウ、ネギ、ニンニク、レタス、ホウレンソウ、タマネギ、ダイコン、イネ、オオムギ、コムギ、エンバク、ライムギ、アワ、キビ、ヒエ、シコクビエ、ソバ、ジャガイモ、サツマイモ、インゲン、ライマメ、フジマメ、ナタマメ、エンドウ、ソラマメ、ラッカセイ、クワ、タバコ、テンサイ、キクイモ、シチトウイ、フトイ、カンゾウ、サンカクイ、イグサ、コリヤナギ、アマ、タイマ、チョマ、ボウマ、ツナソ、ケナフ、ロゼルアサ、ノリアサ、ミツマタ、コウゾ、マオラン、シザルアサ、ナタネ、ゴマ、エゴマ、ハゼノ��、ココヤシ、ウルシ、アイタデ、ホップ、コンニャク、トロロアオイ、ケシ、ジョチュウギク、ニホンハッカ、ヒマ、ジギタリス、ミブヨモギ、クラムヨモギ、ロシアムラサキグサ、アメリカアリタソウ、ミシマサイコ、キハダ、ジオウ、オウレン、トウキ、サルトリイバラ、ドクウツギ、セネガ、アオツヅラフジ、クロウメモドキ、クスノキ、アブラギリ、アカクローバー、シロクローバ、アルファルファ、オーチャードグラス、フェスク、ライグラス、チモシー、ソルガム、シバ、西洋シバ、ナス、トウガラシ、ピーマン、ペピーノ、マクワウリ、メロン、シロウリ、スイカ、ヘチマ、カボチャ、ユウガオ、トウガン、ツルレイシ、ハクサイ、カブ、カラシナ、ワサビ、ワサビダイコン、ネギ、リーキ、ラッキョウ、ニラ、ワケギ、アスパラガス、ゴボウアザミ、シュンギク、フキ、アーチチョーク、ミツバ、ハマボウフウ、クレソン、ウド、チョロギ、フダンソウ、オカヒジキ、サトイモ、ヤマノイモ、クワイ、ハス、ジュンサイ、ショウガ、ミョウガ、ツルナ、オクラ、アイスランドポピー、アスター、アンモビウム、エローサルタン、カスミソウ、カルセオラリヤ、キンギョソウ、キンセンカ、キンレイカ、クレオメ、ケイトウ、コスモス、サクラソウ、サルビア、ジニア、シネラリア、スイートピー、スカビオサ、スターチス、ストック、スミレ、センニチコウ、ツキミソウ、デージー、トルコギキョウ、トレニア、ニチニチソウ、ノースポール、ハナビシソウ、バーベナ、ハルシャギク、ヒマワリ、ヒョウタン、フロックス、ペチュニア、ベニバナ、ホウセンカ、ホリホック、マリーゴールド、ムシトリナデシコ、ルドベキア、ルナリア、ルピナス、ワスレナグサ、アガパンサス、アマドコロ、アルメリア、ウケザキクンシラン、オオキンケイギク、オグルマ、オシロイバナ、オダマキ、オモト、カーネーション、ガーベラ、カランコエ、カンパニュラ、キク、ギボウシ、シオン、シバザクラ、宿根カスミソウ、スイレン、ツワブキ、ナルコユリ、ニューサイラン、ニリンソウ、ハナトリカブト、ハラン、ヒオウギ、ピレオギク、フクジュソウ、ペペロミア、ホウズキ、マーガレット、マツバギク、ミセバヤ、ミヤコワスレ、ムギワラギク、ムラサキツユクサ、ヤグルマソウ、ヤブカンゾウ、ヤブラン、ユウゼンギク、リアトリス、アネモネ、アマリリス、アリウム、イリス、カラー、カラジウム、カンナ、グラジオラス、グロキシニア、クロッカス、クロユリ、グロリオーサ、コルチカム、シクラメン、スイセン、タマスダレ、ダリヤ、チューリップ、ドイツスズラン、ハマオモト、ヒアシンス、フリージア、ラナンキュラス、リコリス、コルマナリア、サクララン、サボテン、サンセベリヤ、シンビジウム、スパティフィラム、ストレリチア、ディーフェンバキア、デンドロビウム、ナリヤラン、パフィオペディルム、ビルステケラ、ファレノプシス、カンキツ、リンゴ、ナシ、マルメロ、カリン、オウトウ、ユスラウメ、クリ、クルミ、スグリ、キイチゴ、キウイフルーツ、ヤマモモ、アケビ、ナツメ、グミ、ザクロ、ポポー、バナナ、パイナップル、ナツメヤシ、アボカド、マンゴー、パパイア、レンブ、オリーブ、ユッカ、センリョウ、ボタン、ムベ、メギ、ホソバヒイラギナンテン、モクレン、ゴブシ、��イサンボク、アジサイ、バイカウツギ、ウツギ、トベラ、マンサク、ヒュウガミズキ、シモッケ、ヤマブキ、シロヤマブキ、バラ、ハマナス、サクラ、シャリンバイ、ボケ、ビラカンサ、コトネアスター、カイドウ、ナナカマド、ハギ、フジ、ハナズオウ、エニシダ、ポインセチア、ウメモドキ、ムクゲ、フヨウ、マタタビ、ツバキ、サザンカ、ナツツバキ、ビョウヤナギ、ジンチョウゲ、サルスベリ、ヤツデ、アオキ、ハナミヅキ、ブーゲンビレア、ツツジ、シャクナゲ、カルミア、アセビ、ドウダンツツジ、ヤブコウジ、マンリョウ、エゴノキ、キンモクセイ、レンギョウ、ライラック、ブッドレア、ムラサキシキブ、ヤカランダ、クチナシ、サンゴジュ、ガマズミ、カンボク、ハコネウツギ、アベリア、スイカズラ、ビンロウ。
【０１０９】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される油分の一例としては次のものが考えられる：酢酸ポリオキシエチレンラノリンアルコール、酢酸ラノリン、酢酸ラノリンアルコール、ステアリルアルコホル、セタノール、セテアリルアルコール、セラック、ポリオキシエチレンラノリン、ポリオキシエチレンラノリンアルコール、ミリスチン酸イソプロピル、ラノリン、液状ラノリン、還元ラノリン、硬質ラノリン、ラノリンアルコール、水素添加ラノリンアルコール、ラノリン脂肪酸イソプロピル、ラノリン脂肪酸ポリエチレングリコール。
【０１１０】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用されるエステルの一例としては次のものが考えられる：酢酸リナリル、酢酸フェネチル、ステアリン酸グリセリル、セスキオレイン酸ソルビタン、ステアリン酸ＰＥＧ−１０グリセリル、ステアリン酸ＰＥＧ−２０グリセリル、オクタン酸セチル、オレイン酸ジヒドロコレステリル、オレイン酸フィトステリル、ジステアリン酸グリコール、ジステリン酸ＰＥＧ−１５０、脂肪酸（１０−３０）（コレステリル／レノステリル）、ステアリン酸ＰＧ、ステアリン酸ソルビタン、テトラオレイン酸ソルベス−６０、トリオレイン酸ソルビタン、ノナン酸コレステリル、パルミチン酸セチル、パルミチン酸レチノール、ヒドロキシステアリン酸コレステリル、ミリスチン酸オクチルドデシル、酪酸コレステリル、酪酸ジヒドロコレステリル、ラノリン酸脂肪酸オクチルドデシル、リンゴ酸ジイソステアリル等。
【０１１１】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用されるアミノ酸の一例としては次のものが考えられる：グリシン、アラニン、バリン、ロイシン、イソロイシン、プロリン、セリン、アスパラギン、グルタミン、システイン、リシン、アルギニン、ヒスチジン、アスパラギン酸、グルタミン酸、トレオニン、チロシン、トリプトファン、フェニルアラニン、メチオニン。
【０１１２】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される保湿成分の一例としては次のものが考えられる：加水分解シルク、水溶性コラーゲン、オクチルドデカノール、加水分解コラーゲン、加水分解卵殻膜、カゼイン、グリセリン、シクロメチコン、ソルビトール、ダイズタンパク、ＤＮＡ−Ｋ、デキストリン、トレハロース、尿素、ハチミツ、バチルアルコール、マルチトール、ローヤルゼリーエキス等。
【０１１３】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される顔料の一例としては次のものが考えられる：酸化チタン、水酸化クロム、黄酸化鉄、カオリン、酸化セリウム、酸化鉄、シルク、タルク、橙色２０１、グンジョウ、赤色２号、赤色２０１号、赤色２０２号、青色１号、カルミン、炭酸カルシウム、マイカ、黄色４号、カラメル、銅クロロフィル等。
【０１１４】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用されるエモリエント成分の一例としては次のものが考えられる：ビタミンＡ、スクワラン、硫酸Ｂａ、酪酸ジヒドロコレステリル、酪酸コレステリル、ラノリン酸脂肪酸エクチルドデシルヒドロキシルステアリン酸コレステリル、ジステアリン酸グリコール、オレイルアルコール、グリチルリチン酸２Ｋ、ジステアリン酸グリコール、水添ひまし油、スクワラン、トリオクタノイン、ビタミンＡ油、ミネラルオイル、ミリスチルアルコール、ワセリン等。
【０１１５】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される乳化成分の一例としては次のものが考えられる：オレイン酸イソデシル、セスキオレイン酸ソルビタン、ステアリン酸グリセル、ステアリン酸ＰＧ、テトラオレイン酸ソルベス−６０、トリオレイン酸ソルビタン、ベヘニルアルコール、ポリクオタニウム−７、ポリソルベート−６０、ラウリルアルコール、アンモニア水、コカミドＤＥＡ、コカミドＭＥＡ、コカミドピロピルベタイン、ＫＯＨ、ＮａＯＨ、水添ココグリセル、水添レシチン、ステアリン酸ソルビタン、ステアリトリモニウムクロリド、（ラウラド／ミリスタド）ＤＥＡ、等。
【０１１６】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される安定化成分の一例としては次のものが考えられる：カルボマー、カルナウバロウ、キャンデリラロウ、結晶セルロース、コレステロール、シリカ、セタノール、セチルジメチコンポリオール、セルロースガム、ＢＨＴ、ＰＥＧ−７５、ＰＶＰ、ベントナイト、ペンテト酸５Ｎａ、マイクロクリスタリンワックス、メチコン、モクロウ等。
【０１１７】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用されるアルコール成分の一例としては次のものが考えられる：ペンチレングリコール、フェノキシエタノール、フェネチルアルコール、セタノール、ベヘニルアルコール、１，３−ブチレングリコール、アラキルアルコール、エタノール、オクチルドデカノール、オリザノール、オレインアルコール、バチルアルコール、ヘキシレングリコール、ミリスチルアルコール、ラウリルアルコール等。
【０１１８】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される糖成分の一例としては次のものが考えられる：グルコース、シュクロース、キシロース、トレハロース、リブロース、マンノース、ガラクトース、リボース、アラビノース、ラクトース、マルトース、セロビオース、マルチトール、エリトルロース、プシコース、フルクトース、ソルボース、タガトース、タロース、イドース、グロース、アルトロース、アロース、リビトール、キシリトール、イノシトール、デオキシリボース、ラムノース、フコース、マルトース、イソマルトース、セロビオース、セルロース、アミロース、アミロペクチン、ヘパリン等。
【０１１９】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される天然色素成分の一例としては次のものが考えられる：シコニン、アントシアニン、アシル化アントシアニン（レオニン、ゼブリニン、コンメリニン、ヘブンリーブルーアントシアニン、ブライダルベールアントシアニン、セトクレアシン、ヤグルマギクアントシアニン）、β−カロチン、キサントフィル、ベタニジン、ベタキサンチン、フラボン、カルコン、オホロン、クロロフィル等（井高英一、特開昭６１−８５４７６，  ６１−８５４７７，  ６２−１２７３５５，  ６１−０５４３９０，  ６１−２３３７３２，  ６１−２５５４２７，  ６２−０００１０４，  ６２−０７９３９２，  ６２−１１０２４２，  ６２−１２３２８７，  ６２−１１３２０１，  ６２−２２８８９０、その他）。
【０１２０】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される防腐剤の一例としては次のものが考えられる：エチルパラベン、デヒドロ酢酸Ｎａ、ブチルパラベン、プロピルパラベン、メチルパラベン、エデト酸塩、安息香酸塩、パラベン、ジブチルヒドロキシトルエン、酢酸トコフェロール、ビタミンＥ  、ウンデシレン酸、ウンデシレン酸モノエタノールアミド、ＥＤＴＡ、塩化セチルピリジニウム、ベンザルコニウムクロリド、ベンゼトニウムクロリド、塩酸アルキルジアミノエチルグリシン、塩酸クロルヘキシジン、ｏ−フェニルフェノール、カテコール、グルコン酸クロルヘキシジン、クレゾール、クロラミンＴ、クロルキシレノール、クロルクレゾール、クロルフェネシン、クロロブタノール、メチルクロロイソチアゾリオン、サリチル酸、サリチル酸Ｎａ、ＢＨＴ、ＤＭＤＭヒダントイン、臭化アルキルイソキノリニウム、臭化ドミフェン、ソルビン酸、ソルビン酸Ｎａ、チモール、チラム、デヒドロ酢酸、デヒドロ酢酸Ｎａ、トリクロサン、トリクロロカルバニリド、ｐ−クロルフェノール、ハロカルバン、フェノール、ＢＨＡ、ヘキサクロロフェン、没食子酸プロピル、メチルイソチアゾリオン、Ｎ，Ｎ”−メチレンビス［Ｎ’−（３−ヒドロキシメチル−２，５−ジオキソ−４−イミダゾリジニル）ウレア］、ラウロイルサルコシンＮａ、レゾルシン等。
【０１２１】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される界面活性剤の一例としては次のものが考えられる：（オクタン酸／ステアリン酸／アジピン酸）グリセリル、アルキル（Ｃ１４−１８）スルホン酸Ｎａ、デシルグルコシド、アルキル（Ｃ１２，１３）硫酸ＤＥＡ、イソステアラミドＤＥＡ、イソステアリン酸ＰＥＧ−１５グリセリル、イソステアロイル加水分解コラーゲンＡＭＰＤ、イソパルミチン酸ポリグリセリル−２、クオタニウム−３３、エチレンジアミンテトラキスヒドロキシイソプロピルジオレイン酸、ポリキサミン１１０１、アルキル（Ｃ１２，１４）オキシヒドロキシプロピルアルギニンＨＣｌ、水添タロウグルタミン酸Ｎａ、水添タロウグルタミン酸２Ｎａ、ステアロイルメチルタウリンＮａ、パルミトイルアスパラギン酸２ＴＥＡ、ミリストイルグルタミン酸Ｎａ、ミリストイルメチルアラニンＮａ、ココイルグリシンＴＥＡ、ココイルグタミン酸Ｋ、（ヤシ油脂肪酸−水添牛脂脂肪酸）グルタミン酸Ｎａ、ココイルメチルアラニン、ラウリルＤＥＡ、ラウリルヒドロキシ酢酸アミド硫酸Ｎａ、ラウロアンホジ酢酸２Ｎａ／トリデセス硫酸Ｎａ、ラウロイルアスパラギン酸Ｎａ、ラウロイルグルタミン酸Ｋ、ジラウロイルグルタミン酸Ｍｇ、ラウロイルトレオニンＫ、ラウロアンホジ酢酸２Ｎａ／ラウロイルサルコシン、ラウロアンホ酢酸Ｎａ、ラウロイルメチルアラニン、ラウロイルメチルアラニンＴＥＡ、ベヘントリモニウムクロリド、イソステアリルラウリルジモニウムクロリド、オクタニウム、ジアルキルジモニウムクロリド、ジココジモニウムクロリド、ジステアリルジモニウムクロリド、ジセチルジモニウムクロリド、ＰＥＧ−２オレアンモニウムクロリド、ＰＥＧ−５ステアリルメチルアンモニウムクロリド、ステアラルコニウムクロリド、ステアルトリモニウムクロリド、セトリモニウムクロリド、セチルピリジニウムクロリド、ＰＥＧ−５ステアリルアンモニウムクロリド、ベンザルコニウムクロリド、ＰＰＧ−２５ジエチルモニウムクロリド、クオタニウム−１４、ラウリルトリモニウムクロリド、ラウリルピリジニウムクロリド、ラウリウムクロリド、ヒドロキシステアリン酸グリセリル、オクタン酸ＰＥＧ−４、ノノキシノール−１４、オクトキシノール−２エタンスルホン酸Ｎａ、オクテニルコハク酸デキストリンＴＥＡ、スルホコハク酸ＰＥＧ−２オレアミド２Ｎａ、オレアミドＤＥＡ、オレイン酸ＰＧ、オレアミンオキシド、オレオイルサルコシン、ロジン加水分解コラーゲン、ロジン加水分解コラーゲンＡＭＰＤ、ステアルジモニウムヒドロキシプロピル加水分解ケラチン、ポリクオタニウム、水添ラノリン、カプラミドＤＥＡ、タロウアミドＭＥＡ、酢酸グリセリル、クエン酸脂肪酸グリセリル、水添タロウアミドＤＥＡ、ＰＥＧ、脂肪酸アミドＤＥＡ、酢酸ラネス、ラウリルイソキノリウムブロミド、セトリモニウムブロミド、ポリリシノレイン酸ポリグリセリル、ジイソステアリン酸ＰＥＧ、ジイソステアリン酸ＰＧ、ジイソステアリン酸ポリグリセリル、ジオレイン酸ＰＥＧ、ジオレイン酸ＰＧ、ジオレイン酸ポリグリセリル−６、ポリグリセリル−２オレイル、酒石酸ジアルキル（Ｃ１４，１５）（ＳＥ）、ジ酢酸ステアリン酸グリセリル、ジステアリン酸グリコール、ジステアリン酸ＰＥＧ−２、ジステアリン酸ＰＥＧ、ジステアリン酸ＰＥＧ−トリメチロールプロパン、ジステアリン酸ＰＰＧ−２０メチルグルコース、ジステアリン酸ポリグリセリル、ジセテアリルリン酸ＭＥＡ、ジパルミチン酸ＰＥＧ−３、ジヒドロキシルエチルラウラミンオキシド、ジラウリル酸ＰＥＧ、ジリシノレイン酸ＰＥＧ、ステアリン酸スクロース、オレイン酸スクロース、ヤシ油酢酸スクロース、水酸化レシチン、水添ダイズ脂肪酸グリセリル、水添レシチン、ジヒドロキシエチルステアリルベタイン、ジメチルステアラミン、ステアラミンオキシド、ステアリルトリモニウムサッカリン、ステアラミド、ステアラミドＤＥＡ、（ステアリン酸／リンゴ酸）グリセリル、ステアリン酸ＰＥＧ−２、ステアリン酸ＴＥＡ、ステアリン酸ステアレス、ステアリン酸ステアロイルジヒドロキシイソブチルアミド、スルホコハク酸ＰＥＧ−２オレアミド２Ｎａ、スルホコハク酸ＰＥＧ−５ラウラミド２Ｎａ、セトリモニウムサッカリン、セテアリルアルコール、セテアリル硫酸Ｎａ、ポリクオタニウム−４、デカイソステアリン酸ポリグリセリル−１０、デカオレイン酸ポリグリセリル−１０、デカステアリン酸ポリグリセリル−１０、カチオン化デキストラン−２、テトラオレイン酸ソルベス、オレフィン（Ｃ１４−１６）スルホン酸Ｎａ、ドデシルベンゼンスルホン酸ＴＥＡ、トリイソステアリン酸ＰＥＧ−１０グリセリル、トリイソステアリン酸ポリグリセリル−２、ポリソルベート８５、トリオレイン酸ポリグリセリル−１０、ポリソルベート６５、トリステアリン酸ポリグリセリル−１０、トリ（イソステアリン酸ＰＥＧ−３）トリメチロールプロパン、トリＰＥＧ−８アルキル（Ｃ１２−１５）リン酸、パーフルオロアルキルＰＥＧリン酸、パーフルオロアルキルリン酸ＤＥＡ、パーム核脂肪酸アミドＤＥＡ、パーム核脂肪酸アミドエチルヒドロキシエチルアミノプロピオン酸Ｎａ、パーム核脂肪酸アミドプロピルベタイン、パルミタミドＭＥＡ、パルミチン酸ＰＥＧ、ポリクオタニウム−４、ＰＣＡイソステアリン酸グリセレス−２５、ＰＣＡオレイン酸グリセリル、プロピオン酸ＰＰＧ−２ミリスチル、ラウラミノプロピオン酸Ｎａ、へ蓋ステアリン酸ポリグリセリル−１０、ベヘナミンオキシド、ステアラルコニウムヘクトライト、ペンタイソステアリン酸ポリグリセリル−１０、ペンタオレイン酸ＰＥＧ−４０ソルビット、ペンタオレイン酸ポリグリセリル、ペンタステアリン酸ポリグリセリル−１０、水添ココグリセリル、ポリアクリル酸Ｎａ、ポリアクリル酸Ｋ、ポリクオタニウム−６、ＰＥＧ−２ヒマシ油、ＰＥＧ−６カプリン酸グリセリル、アラキデス−２０、ノノキシノール、イソセテス、オレイン酸ＰＥＧ−１０グリセリル、コハク酸ＰＥＧ−５０水添ヒマシ油、コレス、ステアレス、セテス−８リン酸、トリデセス、酢酸トリデセス、ＰＥＧ／ＰＰＧ−１／２コポリマー、ＰＰＧ−１セテス−１、ポリオキシエチレンシ脂肪酸ジエタノールアミド、ジラウレス−４リン酸、（グリセリン／オキシブチレン）コポリマーステアリル、ＰＰＧ−８ソルビットヒマシ油、ＰＰＧ−１０メチルグルコース、ミリスタミドＤＥＡ、ミリスチン酸ＰＥＧ、ミリスチン酸ミレス−３、ミリストイルメチルタウリンＮａ、綿実脂肪酸グリセリル、イソステアリン酸ＰＥＧ、イソステアリン酸ＰＥＧ−２０水添ヒマシ油、イソステアリン酸ポリグリセリル、ＰＥＧ−１ラウリン酸アミドＭＥＡ、オレイン酸ソルビタン、オレイン酸ＰＥＧ、オレイン酸ＰＥＧ−６ソルビタン、オレイン酸ポリグリセリル、ステアリン酸グリセリン、ステアリン酸ソルビタン、ステアリン酸ＰＧ、ステアリン酸ＰＥＧ、ステアリン酸ポリグリセリル、パルミチン酸ソルビタン、ポリソルベート４０、ミリスチン酸ポリグリセリル−１０、ラウリン酸ソルビタン、ラウリン酸−１０ソルビタン、ラウリン酸グリセリル、ラウリン酸ＰＥＧ−２、ラウリン酸ＰＥＧ１０ソルビタン、ラウリン酸ＰＥＧソルビット、ラウリン酸ポリグリセリル−４、ラノリン脂肪酸グリセリル、ココベタイン、ヤシ脂肪酸ＴＥＡ、コカミドプロピルベタイン、ココイル加水分解コラーゲン、ココイルサルコシンＮａ、ココイルタウリンＮａ、ココイルメチルアラニンＮａ、コミコイルメチルタウリンＭｇ、ラウリミノジプロピオン酸Ｎａ、ラウリルベタイン、ラウラミンオキシド、ラウラミドプロピルベタイン、ラウロイル加水分解コラーゲンＮａ、ラウラミドＤＥＡ、ラウリン酸ＴＥＡ、ラウリン酸ＰＧ、ラウリン酸ＰＥＧ−１２グリセリル、（ラウラミド／ミリスタミド）ＤＥＡ、ラウラミドＭＩＰＡ、ラウラミドＭＥＡ、ラウリルヒドロキシスルタイン、ラウリル硫酸Ｎａ、ラウロイルグルタミン酸ＴＥＡ、ラウロイルサルコシンＮａ、ラウロイルメチルアラニンＮａ、ラウリン酸ポリオキシエチレン水添ヒマシ油、ラノリン脂肪酸アミドＤＥＡ、ラノリン脂肪酸ＰＥＧ、リゾレシチン、リシノレイン酸ポリグリセリル−６、リノレアミドＤＥＡ、ジ牛脂アルキルジモニウム硫酸セルロース、（ＰＥＧ／ＰＰＧ／ブチレン／ジメチコン）コポリマー、ジメチコンコポリオール、ジメチコンコポリオールエチル、（ＰＥＧメチコン／オレイルＰＰＧメチコン／ジメチコン）コポリマー等。
【０１２２】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される収斂剤の一例としては次のものが考えられる：イクタモール、ｐ−フェノールスルホン酸亜鉛等。
【０１２３】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される紫外線吸収剤の一例としては次のものが考えられる：オキシベンゾン−３、サリチル酸フェニル、シノキサート、パラアミノ安息香酸エチル、２−（２−ヒドロキシ−５−メチルフェニル）ベンゾトリアゾール等。
【０１２４】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される消炎剤の一例としては次のものが考えられる：塩化リゾチーム、グアイアズレンスルホン酸Ｎａ等。
【０１２５】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される痒み止めの一例としては次のものが考えられる：ジフェンヒドラミンＨＣｌ。
【０１２６】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される発毛促進剤の一例としては次のものが考えられる：カンタリスチンキ、トウガラシチンキ、ニコチン酸ベンジル、ノニル酸バニリルアミド等。
【０１２７】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される染毛剤の一例としては次のものが考えられる：ピロガロール等。
【０１２８】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される増粘剤の一例としては次のものが考えられる：ロジン、トラガント、クインシード、メチルセルローズ、ＰＶＰ等。
【０１２９】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される保湿剤の一例としては次のものが考えられる：グリセリン、プロピレングリコール、ポリエチレングリコール等。
【０１３０】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用される皮膜剤の一例としては次のものが考えられる：天然ゴムラテックス等。
【０１３１】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用されるホルモン剤の一例としては次のものが考えられる：エストラジオール、エストロン、エチニルエストラジオール、ジエチルスチルベストロール、ヘキセストロール等。
【０１３２】
本発明の洗浄液、うがい液、石鹸液、シャンプー、リンス、石鹸、傷口洗浄液、漂白剤、クレンザー、目洗浄液、手足洗浄液、シミ・そばかす・くすみ・ほくろ除去剤、口腔洗浄液、練歯磨、ＩＣ基盤洗浄液、洗顔料、鼻洗浄液、輸送機械洗浄液、顔手足洗浄用おしぼり、めがねクリーナー、耳・鼻・顔洗浄用綿棒の製造に利用されるビタミンの一例としては次のものが考えられる：ビタミンＡ、酢酸レチノール、パルミチン酸レチノール、レチノイン酸、チアミン塩酸塩、チアミン硝酸塩、リボフラビン、パンテノール、パンテニルエチルエーテル、パントテン酸、塩酸ピリドキシン、ジパルミチン酸ピリドキシン、ジラウリン酸ピリドキシン、シアノコバラミン、ニコチン酸、ニコチン酸アミド、ニコチン酸トコフェロール、葉酸、Ｌ−アスコルビン酸、ビタミンＤ２、ビタミンＤ３、エルゴシカルシフェロール、コレカルシフェロール、ビタミンＥ、ｄｌ−α−トコフェロール、酢酸ｄｌ−α−トコフェロール等。
【０１３３】
本発明の深層水［海面下２００メートル以上の深海から取水した深層海水、湧昇海水または、深層水］を濃縮して得られる苦汁の微生物、動植物、魚介類、哺乳類等に対する一般的な効果としては、以下のような効果が認められる。１．水圏、土壌圏の好気性菌、通性菌の生育を促進する。２．有機物、荷電粒子の凝集作用を有する。３．浄化水中の食物連鎖を高める。４．水圏、土壌圏の植物、動物、魚類の生育促進作用を有する。５．飲料水をミネラルウォーターに変える。６．風呂水の鉱泉水化が起きる。皮膚への温泉効果が現れ、血流が盛んになり、湯冷めし難い。７．炊飯水に添加することによってふっくらと炊きあがり、炊き立て飯の味が２−３日間持続する。８．水産養殖池に添加する事によって、水質浄化、ウイルスの発生を抑制、ヘドロの発酵を抑制、藻類の発生を抑制等の効果を有する。養殖エビ、魚類の健全化、巨大化等の効果が現れる。また、ウイルスフリー（ｖｉｒｕｓ−ｆｒｅｅ）の稚エビ、親エビの生産が可能となる（参考文献：  Ｅ．  Ｉｄａｋａ  ｅｔ  ａｌ．，  Ａｐｐｌｉｃａｔｉｏｎ  ｏｆ  ａｅｒａｔｅｄ  ｂｉｏ  ｓｈｅｌｆ  ｐｕｒｉｆｉｃａｔｉｏｎ  ｔｏ  ｐｏｎｄｓ  ａｎｄ  ｌａｋｅｓ，  Ｒｅｓｅａｒｃｈ  Ｒｅｐｏｒｔ  ｏｆ  Ｃｅｎｔｅｒ  ｆｏｒ  Ｃｏｏｐｅｒａｔｉｖｅ  Ｒｅｓｅａｒｃｈ，  Ｇｉｆｕ  Ｕｎｉｖｅｒｓｉｔｙ，  （２），  ６２−６９  （１９９２），  Ｉ．  Ｈｏｒｉｕｃｈｉ，  Ｅ．  Ｉｄａｋａ  ｅｔ  ａｌ．，  Ｗａｔｅｒ  Ｔｒｅａｔｍｅｎｔ  Ｍｅｔｈｏｄ  ｉｎ  Ｐｒａｗｎ  Ｃｕｌｔｕｒｅ  Ｐｏｎｄｓ  ｔｈｒｏｕｇｈ  Ｍｏｄｅｒｎ  Ｔｅｃｈｎｏｌｏｇｙ，  （Ｔｈａｉｌａｎｄ−Ｊａｐａｎ  Ｂｉｌａｔｅｒａｌ  Ｓｅｍｉｎａｒ  ｏｎ  Ｗａｔｅｒ  Ｔｒｅａｔｍｅｎｔ  Ｍｅｔｈｏｄ  ｉｎ  Ｐｒａｗｎ  Ｃｕｌｔｕｒｅ  Ｐｏｎｄｓ  ｔｈｒｏｕｇｈ  Ｍｏｄｅｒｎ  Ｔｅｃｈｎｏｌｏｇｙ．  Ｓｅｐｔ．  ３０．  １９９２．  Ｅａｓｔｅｒｎ  Ｈｏｔｅｌ，  Ｃｈａｎｔａｂｕｌｉ，  Ｔｈａｉｌａｎｄ，  Ｏｒｇａｎｉｚｅｄ  ｂｙ  Ｍｉｎｉｓｔｒｙ  ｏｆ  Ａｇｒｉｃｕｌｔｕｒｅ  ａｎｄ  Ｃｏｏｐｅｒａｔｉｖｅｓ．，  Ｂａｎｋ  ｏｆ  Ａｙｕｄｈｙａ．），  Ｉ．  Ｈｏｒｉｕｃｈｉ，  Ｅ．  Ｉｄａｋａ，  Ｓ．  Ｋｏｍｕｒａ，  Ａｄｖａｎｃｅｄ  ｂｉｏｔｅｃｈｎｉｃａｌ  ｔｒｅａｔｍｅｎｔ  ｏｆ  ｗａｔｅｒ  ｉｎ  ｉｎｔｅｎｓｉｖｅ  ｐｒａｗｎ  ｃｕｌｔｕｒｅ  ｓｙｓｔｅｍ，  １９ｔｈ  Ｃｏｎｇｒｅｓｓ  ｏｎ  Ｓｃｉｅｎｃｅ  ａｎｄ  Ｔｅｃｈｎｏｌｏｇｙ  ｏｆ  Ｔｈａｉｌａｎｄ，  ８９ｐ，  （２７−２９，  Ｏｃｔ．，  １９９３，  Ｄｕｓｉｔ  Ｊ．  Ｂ．  Ｈｏｔｅｌ，  Ｈａｔ  Ｙａｉ，  Ｓｏｎｇｋｈｌａ））９．害虫の忌避効果を示す。１０．活魚輸送の際噴霧（クルマエビ）、水に添加（魚介類）で長時間輸送可能。１１．人畜屎尿の迅速処理、無臭化が可能。１２．河川湖沼の汚染水の浄化が可能。１３．水産加工廃水の凝集、微生物分解作用による浄化が可能。１４．酵母・微生物の増殖を促進する。１５．漬け物、みそ、醤油、納豆、アルコール類（アルコール、日本酒、焼酎、ウイスキー、ワイン、紹興酒、テキーラ、どぶろく、ビール、発泡酒）等の発酵を促進する。１６．化粧水等に添加する事によって皮膚、毛根細胞の代謝活性化が計られる。１７．ミネラルウォーター（ナチュラルウォーター、ミネラルウォーター、ボトルドウォーター、飲料水）の味覚を向上し、円やかなものにする。１８．料理、食品（インスタント食品、加工食品、生鮮食品、魚介類、野菜、乳児食品、離乳食、家禽用・家畜用・ペット・昆虫用食品）、健康食品（ＡＨＣＣ、ＥＰＡ、ＤＨＡ、ＳＯＤ酵素、ＤＮＡ核酸、亜鉛、アガリクス、アセロラ、アマチャズル、アミノ酸、アルファルファ、アロエ、アントシアニン、イチジク（無花果）、イチョウ葉エキス、イソフラボン、ウーロン茶、ウコン、ウラジロ、大麦若葉エキス、オリゴ糖、カイアポイモ、ガウクルア、カキ肉エキス、カキの葉、核酸、ガジュツ、カテキン、カモミール（カモマイル）、カリン、カルシウム、ガルシニア、カワラケツメイ、甘草、きび酢、キトサン、ギムネマ、キャッツクロー、グァバ茶、クコ、クマ笹、グルコサミン、グルコマンナン、黒ゴマ、黒砂糖、黒酢、黒大豆、クロレラ、桑の葉、ケール、ケフィア、ゲンノショウコ、玄米、高麗人参、ココア、米胚芽、コラーゲン、コンドロイチン、こんぶ、サイリウム、ザクロ、サフラン、サメの軟骨、山査子、しじみエキス、シソ、シベリアジンセン、ジュアール、シリマリン、深海鮫エキス、スギナ、スクアレン、スッポン、スピルリナ、西洋オトギリ草（セントジョーンズワート）、センナ、タウリン、タラの芽、鉄（ヘム鉄・非ヘム鉄）、田三七人参、田七人参、甜茶（てんちゃ）、天麻、冬虫夏草、ドクダミ、杜仲茶、納豆（菌）、納豆キナーゼ、日本山人参、乳酸菌、乳糖、ニンニク、根コンブ、ノコギリヤシエキス、梅肉エキス、ハチの子、はちみつ、ハトムギ、バナバ茶、ハブ茶、ビール酵母、ヒアルロン酸、ひじき、ビフィズス菌、姫マツタケ、ビワの葉、プアール茶、プエラリア、ふかひれ軟骨、ぶどうの種、プラセンタ、フラボノイド、ブルーベリー、プルーン、プロポリス、ペイチー茶、紅麹、紅人参、まいたけ、マカ、松の花粉、松葉エキス、マテ茶、ミツロウ、ムコ多糖類、紫イペ、めぐすりの木、免疫ミルク、木酢液、モロヘイヤ、もろみ酢、ヤツメウナギ、ヤーコン、ユズの種、ヨーグルトきのこ、ヨモギ、羅漢果、羅布麻茶、卵黄油、リコピン、リンゴ酢、ルイボス茶、ルテイン、霊芝、ローヤルゼリー）、ジュース、コーヒー、茶（紅茶、烏龍茶、昆布茶、笹茶、玉露、番茶、緑茶、鳩麦、大麦、柿、ドクダミ、レイシ、アガリクス、冬虫夏草、茸類、プーアール茶、）、アルコール類アルコール、日本酒、焼酎、ウイスキー、ワイン、紹興酒、テキーラ、どぶろく、ビール、発泡酒）、、乳飲料及び、炭酸飲料に添加した場合その味覚を向上し、円やかなものにする。１９．化粧水等に添加することによって、アトピー、エイズ、皮膚病、肩こり等の改善、シミ・そばかす・くすみ・ほくろの除去等に効果が現れる。
【０１３４】
本発明の洗浄剤に利用される、海面下２００メートル以上の深海から取水した深層海水、湧昇海水または、深層水を濃縮して得られる苦汁の比重（ｄ）は１．０１−１．６５の範囲にある。円やかさ等の味覚は当該苦汁の比重（ｄ）に大きく影響を受ける。以下に、苦汁の比重（ｄ）と微生物、キノコのコロニーの生育速度（ｍｍ／ｄａｙ）との関係を示す。
【０１３５】
アガリクス・シルバチカス・シェファー（Ａｇａｒｉｃｕｓ  ｓｉｌｖａｔｉｃｕｓ  Ｓｈａｅｆｆｅｒ）のＳＭＹ（ｓｕｃｒｏｓｅ−ｍａｌｔ  ｅｘｔｒａｃｔ−ｙｅａｓｔ  ｅｘｔｒａｃｔ）寒天培地上におけるコロニーの生育速度は次に示すとおりである：  ０．４  （ｃｏｎｔｒｏｌ），  ０．５  （ｄ＝１．２），  ０．５５  （ｄ＝１．３），  ０．６２  （ｄ＝１．４）（単位  ｍｍ／ｄａｙ）。従って、苦汁の至適比重は１．４である。
【０１３６】
アガリクス・フィアルディー・ペグラー（Ａｇａｒｉｃｕｓ  ｆｉａｒｄｉｉ  Ｐｅｇｌｅｒ）のＳＭＹ寒天培地上におけるコロニーの生育速度は次に示すとおりである：  ０．４  （ｃｏｎｔｒｏｌ），  ０．４８  （ｄ＝１．２），  ０．５３  （ｄ＝１．３），  ０．６０  （ｄ＝１．４）（単位  ｍｍ／ｄａｙ）従って、苦汁の至適比重は１．４である。
【０１３７】
冬虫夏草（Ｃｏｒｄｙｃｅｐｓ  ｓｉｎｅｎｓｉｓ  （Ｂｅｒｋｌｅｙ）  Ｓａｃｃａｒｄｏ）のＳＭＹ寒天培地上におけるコロニーの生育速度は次に示すとおりである：  ０．２６  （ｃｏｎｔｒｏｌ），  ０．３０  （ｄ＝１．２），  ０．３５  （ｄ＝１．３），  ０．４０  （ｄ＝１．４）（単位  ｍｍ／ｄａｙ）従って、苦汁の至適比重は１．４である。
【０１３８】
アエロモナス・ハイドロフィラ・２４Ｂ（Ａｅｒｏｍｏｎａｓ  ｈｙｄｒｏｐｈｉｌａ  ｖａｒ．  ２４Ｂ）は発明者によって染色工場排水溝の汚泥中より単離・命名された微生物である。２４Ｂ株のＳＭＹ寒天培地上におけるコロニーの生育速度は次に示すとおりである：  ０．２４  （ｃｏｎｔｒｏｌ），  ０．３  （ｄ＝１．２），  ０．３４  （ｄ＝１．３），  ０．４２  （ｄ＝１．４）（単位  ｍｍ／ｄａｙ）。従って、苦汁の至適比重は１．４である。（参考文献：Ｅ．  Ｉｄａｋａ  ｅｔ  ａｌ．，  Ｄｅｇｒａｄａｔｉｏｎ  ｏｆ  ａｚｏ  ｃｏｍｐｏｕｎｄｓ  ｂｙ  Ａｅｒｏｍｏｎａｓ  ｈｙｄｒｏｐｈｉｌａ  ｖａｒ．  ２４Ｂ，  Ｊ．  Ｓｏｃ．  Ｄｙｅｒｓ  Ｃｏｌｏｕｒ．  ｖｏｌ．９４，  ９１−９４  （１９７８））
【０１３９】
植物色素ゼブリニン（ｚｅｂｒｉｎｉｎ）は発明者によって発見命名・構造決定されたアシル化アントシアニンである。ｐＨ６．５での、５日後の色素の安定性は以下の通りである：５５％（ｃｏｎｔｒｏｌ），  ５８％（（ｄ＝１．２），  ６４％（ｄ＝１．３），  ６８％（ｄ＝１．４）。従って、苦汁の至適比重は１．４である。（参考文献：Ｅ．  Ｉｄａｋａ  ｅｔ  ａｌ．，  Ｓｔｒｕｃｔｕｒｅ  ｏｆ  ｚｅｂｒｉｎｉｎ，  ａ  ｎｏｖｅｌ  ａｃｙｌａｔｅｄ  ａｎｔｈｏｃｙａｎｉｎ  ｉｓｏｌａｔｅｄ  ｆｒｏｍ  Ｚｅｂｒｉｎａ  ｐｅｎｄｕｌａ，  Ｔｅｔｒａｈｅｄｒｏｎ  Ｌｅｔｔ．，  ｖｏｌ．２８  （１７）  １９０１−１９０４  （１９８７））
【０１４０】
本発明の苦汁の至適ｐＨをｐＨ５−１１の範囲で調べた。ｐＨ調整は鉱酸混合液（リン酸：硫酸（２：１））または、水酸化カルシウムを用いた。
アガリクス・シルバチカス・シェファー（Ａｇａｒｉｃｕｓ  ｓｉｌｖａｔｉｃｕｓ  Ｓｈａｅｆｆｅｒ）のＳＭＹ（ｓｕｃｒｏｓｅ−ｍａｌｔ  ｅｘｔｒａｃｔ−ｙｅａｓｔ  ｅｘｔｒａｃｔ）寒天培地上におけるコロニーの生育速度は次に示すとおりである：  ０．４  （ｃｏｎｔｒｏｌ），  ０．２  （ｐＨ５），  ０．３  （ｐＨ６），  ０．５４  （ｐＨ６．５），  ０．５０  （ｐＨ７），  ０．５２  （ｐＨ７．８），  ０．４８  （ｐＨ８．５），  ０．４０  （ｐＨ９．２），  ０．３５  （ｐＨ１０．２），  ０．２  （ｐＨ１１），（単位  ｍｍ／ｄａｙ）従って、苦汁の至適ｐＨは６．５−８．５である。
【０１４１】
【実施例】
以下、実施例により本発明を説明する。
【実施例１】
稀土鉱石２．５Ｋｇ、トルマリン２．５Ｋｇ、長石５Ｋｇを１０Ｋｇ湿式ボールミルで２４０時間擦って粒子径２ミクロン以下に破砕する。さらに、海面下２００メートル以上の深海から取水した深層海水、湧昇海水または、深層水を濃縮して得られる苦汁３ｗ／ｖ％を添加する。得られた、混合液を攪拌機で攪拌してエマルジョンとする。このエマルジョンを既成のタイル（１４０  ｍｍ  ｘ  １４０  ｍｍ  ｘ８  ｍｍ）５枚に釉薬として塗布し、スぺーサー（７０  ｍｍ  ｘ  ２５  ｍｍ  ｘ  １０  ｍｍ）１０枚を１組として井桁に組み上げ５段の放射線発生体として、焼き上げ一体の陶磁器とした。これらは放射能濃度は３７０Ｂｑ／ｇ以下で、核原料物質、核燃料物質及び原子炉の規制に関する法律（施行例第１９条）、電離放射線障害防止規制（労働省第４１号）で、いずれも対象外である。
【０１４２】
深層水［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）］や、これらの水を逆浸透膜（ｒｅｖｅｒｓｅ  ｏｓｍｏｓｉｓ  ｍｅｍｂｒａｎｅ）を通過させることによって得た純水、深層水を蒸留して得た純水（蒸留水）等、原水や稀釈に用いた水はいずれも発生体に浸漬したものを使用した。
【０１４３】
浸漬した水をそのまままたは、１０００倍濃縮後、放射線量を測定したところ、ＢＧ（Ｂａｃｋ  Ｇｒｏｕｎｄ）と同様で、いずれも放射能は観測されなかった。水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成が認められる。水の味覚は非常にまろやかなものに変化していた。２４時間および、１年間常温放置下後一般細菌、大腸菌群等の検出テストを行った：一般細菌：０個／ｍｌ、大腸菌群：不検出。蒸留水を発生体処理したもので、レタス（Ｌａｃｔｕｃａ  ｓａｔｉｖａ  Ｐａｒｕｋｅ）の発芽試験を行ったところ、無処理のものに比較して発芽が促進された。その後の、生育にも顕著な差がみられた。苦汁を発生体処理したもので、アトピー患者の皮膚に噴霧したところ、アトピーが速やかに軽減した。水のクラスターの  微細化によって、水そのものの生物活性が高められているものと推定される。また、水のクラスターの微細化は、夾雑物とのミセル形成がより、微細化され、容易に起こる。従って、水の洗浄力が１０−４００％  向上する。
【０１４４】
蒸留水に発生体を２４時間浸漬処理ものと、未処理の蒸留水の蒸発速度の比較を行ったところ、処理水のほうが未処理水に比べて蒸発速度が遅くなった。このことは、処理によって水分子の構造化が生じているものと思われる（綿抜邦彦、久保田昌治監修、新しい水の科学と利用技術、  １７２，  （サイエンスフォーラム、１９９２））。構造化によって、不溶性夾雑物の取り込み、可溶化が促進され、処理水の洗浄力が向上するものと思われる。以下の実施例では、原水、純水、稀釈水等は発生体に２４時間浸漬処理したものを使用した。
構造化の一般的な方法としては、電磁波照射（ｘ−ｒａｙ，  ＵＶ，  ＩＲ，  ｍｉｃｒｏｗａｖｅ，  ｒａｄｉｏｗａｖｅ）、粒子線照射（ｎｅｕｔｒｏｎ，  ｐｒｏｔｏｎ，  ｅｌｅｃｔｒｏｎ，  ｐｈｏｔｏｎ，  Ｒｎ，  α−ｒａｙ，  ｎｅｕｔｒｉｎｏ）、電磁場照射、核磁気共鳴等によっても可能であり、深層水、濃縮深層水、稀釈水、純水、蒸留水等を直接的または／および、間接的にこれら各種照射をすることによって容易に構造化される（綿抜邦彦、久保田昌治監修、新しい水の科学と利用技術、（１９９２）サイエンスフォーラム）。
【０１４５】
【実施例２】
稀土鉱石２．５Ｋｇ、トルマリン２．５Ｋｇ、長石５Ｋｇを１０Ｋｇ湿式ボールミルで２４０時間擦って粒子径２ミクロン以下に破砕する。さらに、海面下２００メートル以上の深海から取水した深層海水、湧昇海水または、深層水を濃縮して得られる苦汁３ｗ／ｖ％を添加する。得られた、混合液を攪拌機で攪拌してエマルジョンとする。バインダーを加えて、φ７  ｍｍ  程度のボール（４００−６００  ｍｇ／個）に焼き上げる。ボール  ２００  個をメッシュの密閉ケースに入れて洗浄剤とする。家庭用洗濯機に投入することによって水道水が微細構造化され、水自身の洗浄力によって、衣類等に付着した、汗、タンパク質、泥等のイオン性・中性の夾雑物（汚れ）は可溶化され、水中にミセルとして乖離される。通常の洗濯用洗剤による洗浄力の向上は必要性がない。
【０１４６】
【実施例３】
稀土鉱石２．５Ｋｇ、トルマリン２．５Ｋｇ、長石５Ｋｇを１０Ｋｇ湿式ボールミルで２４０時間擦って粒子径２ミクロン以下に破砕する。さらに、海面下２００メートル以上の深海から取水した深層海水、湧昇海水または、深層水を濃縮して得られる苦汁３ｗ／ｖ％を添加する。得られた、混合液を攪拌機で攪拌してエマルジョンとする。バインダーを加えて、φ７  ｍｍ  程度のボール（４００−６００  ｍｇ／個）に焼き上げる。ステンレス製充填カラムにボールを２０Ｋｇ充填し、水道に直結した。カラム通過水によって、乗用車、各種車両、電車、航空機等を高圧洗浄することによって、付着した夾雑物は容易に可溶化され、剥離する。カラムを通過させた処理水は、車両壁面やガラス壁面で水滴を形成せず流れやすく、乾燥後の水残査（水垢）による汚れが生じないので、洗浄後のふき取り作業が必要ない。このことは、電車、航空機等大型車両の洗浄後のふき取り不要であることの大きなメリットが生じる。
【０１４７】
あらかじめ、苦汁３ｗ／ｖ％、鉱酸３ｗ／ｖ％の洗浄液を調整し、処理水中に、１００００倍稀釈で加え、洗浄液とした。本洗浄液で電車を洗浄した場合、ボディーの金属ピンホールが、苦汁成分でキレートされ、夾雑物（この場合、パンタグラフからの金属の切削による汚れ）が車体金属と直接結合して頑固な汚れとなるのを防止する。本カラム洗浄水で洗浄することによって、電車の屋根から側壁にかけての金属汚れが付着しにくくなり、汚れも落ちやすくなる。
【０１４８】
【実施例４】
蒸留水を井桁状放射線発生体に２４時間浸し、洗浄液とする。本洗浄液は、洗浄液と基盤との接触角が大きく、ＩＣ基盤の洗浄に使用できる。蒸発乾燥後、残査がない。
【０１４９】
【実施例５】
あらかじめ、蒸留水で稀釈して苦汁３ｗ／ｖ％、鉱酸３ｗ／ｖ％の洗浄液を調整し、実施例４の処理水中に、１００００倍稀釈で加え、洗浄液とした。本洗浄液は、実施例４の洗浄液よりも、洗浄力が優れており、ＩＣ基盤の洗浄に使用できる。さらに、実施例４の洗浄液で二度洗いをすることによって、蒸発乾燥後の残査をなくすことができる。
【０１５０】
【実施例６】
あらかじめ、蒸留水で稀釈して苦汁３ｗ／ｖ％、鉱酸３ｗ／ｖ％の洗浄液を調整し、実施例４の処理水中に、１００００倍稀釈で加え、稀釈液とした。本稀釈液に、アルコール（ＭｅＯＨ，  ＥｔＯＨ，  ｉｓｏｐｒｏｐａｎｏｌ等）１−５０ｗ／ｖ％を加えて洗浄剤とした。本洗浄剤は、実施例５の洗浄液よりも、洗浄力が優れており、ＩＣ基盤の洗浄に使用できる。さらに、実施例４の洗浄液で二度洗いをすることによって、蒸発乾燥後の残査をなくすことができる。
【０１５１】
【実施例７】
あらかじめ、蒸留水で稀釈して苦汁３ｗ／ｖ％、鉱酸３ｗ／ｖ％の洗浄液を調整し、実施例４の処理水中に、１００００倍稀釈で加え、稀釈液とした。本稀釈液に、アルコール（ＭｅＯＨ，  ＥｔＯＨ，  ｉｓｏｐｒｏｐａｎｏｌ等）１−７０ｗ／ｖ％を加えて滅菌し洗浄剤とした。本洗浄剤をタオル、ティッシューまたは、不織布（２００  ｘ  ２５０  ｍｍ）に２０重量％しみ込ませ、顔手足洗浄用おしぼりとした。本洗浄剤を不織布（１００  ｘ  １５０  ｍｍ）に２０重量％しみ込ませ、めがねクリーナーとした。本洗浄剤を綿棒にしみ込ませ耳・鼻・顔洗浄用綿棒とした。防腐剤としてパラベン等を加えることも可能である。金／白金／パラジウム／イットリウム／ロジウム／銀／ジルコニウム／ルビジウムの各粒子または箔０−１００ｐｐｍを加えることも可能である。
【０１５２】
【実施例８】
あらかじめ、水で稀釈して苦汁３ｗ／ｖ％、鉱酸３ｗ／ｖ％の洗浄液を調整し、処理水中に、１００００倍稀釈で加え、稀釈液とした。本稀釈液に、アルコール（ＭｅＯＨ，  ＥｔＯＨ，  ｉｓｏｐｒｏｐａｎｏｌ等）１−７０ｗ／ｖ％、保湿剤（κ−カラギーナン、多糖体、フコイダン、スクワラン等）０．１−１ｗ／ｖ％を加えて洗浄剤とした。本洗浄剤をタオル、ティッシューまたは、不織布（２００  ｘ  ２５０  ｍｍ）に２０重量％しみ込ませ、滅菌し顔手足洗浄用おしぼりとした。本おしぼりは、使用後しっとり感が持続する。また、洗浄・殺菌効果も示す。防腐剤としてパラベン等を加えることも可能である。金／白金／パラジウム／イットリウム／ロジウム／銀／ジルコニウム／ルビジウムの各粒子または箔０−１００ｐｐｍを加えることも可能である。
【０１５３】
【実施例９】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。本稀釈液に、アルコール（ＭｅＯＨ，  ＥｔＯＨ，  ｉｓｏｐｒｏｐａｎｏｌ等）１−７０％、保湿剤（κ−カラギーナン、多糖体、フコイダン、スクワラン等）０．１−４ｗ／ｖ％、金／白金／パラジウム／イットリウム／ロジウム／銀／ジルコニウム／ルビジウムの各粒子または箔２０ｐｐｍを加えて滅菌し洗浄剤とした。金／白金／パラジウム／イットリウム／ロジウム／銀／ジルコニウム／ルビジウムの各粒子または箔の効果は以下の論文を参照：吉井隆、田代圭介、今井功、Ｆｒａｇｒａｎｃｅ  Ｊ．  （２），  ４９−５４，  （１９９１），  平野孝雄、Ｆｒａｇｒａｎｃｅ  Ｊ．，  （２），  ５５−５８，  （１９９１），  伊奈伸太郎、Ｆｒａｇｒａｎｃｅ  Ｊ．，  （２），  ５９−６１  （１９９１）。
【０１５４】
【実施例１０】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。本稀釈液に、アミノ酸０．１−５ｗ／ｖ％、コラーゲン０．１−７０ｗ／ｖ％、ヒアルロン酸０．５−７０ｗ／ｖ％、ヤシエッセンス０．５−４５％、クレイパウダー１−２５ｗ／ｖ％、保湿剤（κ−カラギーナン、多糖体、フコイダン、スクワラン等）０−１０ｗ／ｖ％、金／白金／パラジウム／イットリウム／ロジウム／銀／ジルコニウム／ルビジウムの各粒子または箔０−１００ｐｐｍを加えて洗浄剤とした。ｐＨ５−７．２の範囲で調整した。乳児の肌着洗濯、キッチンでの食器、野菜洗浄、住まいの洗浄用として素肌に優しい効果がある。さらに、パインエキスまたは、酵素（パパイン、セルラーゼ、プロテアーゼ、リパーゼ等）１−１５％添加することによってタンパク洗浄効果等特定の機能を高めることも可能である。
【０１５５】
【実施例１１】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。ヨウ素１−１０ｗ／ｖ％、ヨウ化カリウム０−４ｗ／ｖ％、エタノール０−７ｖ／ｖ％を加えてのど・うがい洗浄剤とした。金／白金／パラジウム／イットリウム／ロジウム／銀／ジルコニウム／ルビジウムの各粒子または箔０−１００ｐｐｍを加えることも可能である。
【０１５６】
【実施例１２】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。ヨウ素１−１０ｗ／ｖ％、ヨウ化カリウム０−４ｗ／ｖ％、エタノール３０−７０ｖ／ｖ％を加えて傷口洗浄剤とした。金／白金／パラジウム／イットリウム／ロジウム／銀／ジルコニウム／ルビジウムの各粒子または箔０−１００ｐｐｍを加えることも可能である。
【０１５７】
【実施例１３】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。クロルヘキシジン０−５重量％、チモール０−５重量％、ｌ−メントール０−５重量％、ボルネオール０−５重量％、銅クロロフィリンナトリウム０−７重量％、桂皮油０−１０重量％を加えてうがい用のど・口腔洗浄剤とした。金／白金／パラジウム／イットリウム／ロジウム／銀／ジルコニウム／ルビジウムの各粒子または箔０−１００ｐｐｍを加えることも可能である。
【０１５８】
【実施例１４】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。尿素１０−４０％、アルコール（ＥｔＯＨ，  ｉｓｏｐｒｏｐａｎｏｌ）０−７０ｖ／ｖ％を加えて皮膚・手足角質除去洗浄剤とした。アミノ酸０−１０ｗ／ｖ％、保湿剤０−５ｗ／ｖ％、金／白金／パラジウム／イットリウム／ロジウム／銀／ジルコニウム／ルビジウムの各粒子または箔０−１００ｐｐｍ等を加えることも可能である。軟膏の形体にすることも可能である。
【０１５９】
【実施例１５】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。塩化ベンゼトニウム０−３０ｗ／ｖ％、硼砂０．１０ｗ／ｖ％、エデト酸ナトリウム０−２０ｗ／ｖ％を添加して逆性石けん液とした。殺菌消毒力が強く、芽胞のない細菌。真菌類に抗菌力を有する。グラム陽性菌には、陰性菌よりも効果がある。結核菌、ウィルス等に対する殺菌効果は認められない。手足、皮膚、粘膜、膣洗浄に効果が認められる。器具洗浄にも効果が認められる。本剤を１００−２００倍稀釈で使用が可能である。アミノ酸０−１０ｗ／ｖ％、アルコール０−３０ｖ／ｖ％、保湿剤０−５％、金／白金／パラジウム／イットリウム／ロジウム／銀／ジルコニウム／ルビジウムの各粒子または箔０−１００ｐｐｍ等を加えることも可能である。
【０１６０】
【実施例１６】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。直鎖アルキルベンゼンスルホン酸ナトリウム１−１５ｗ／ｖ％、界面活性剤１−１５ｗ／ｖ％、脂肪酸アルカノールアミド１−１５ｗ／ｖ％を添加し洗浄液とした。アミノ酸０−１０ｗ／ｖ％、アルコール０−３０ｖ／ｖ％、保湿剤０−５ｗ／ｖ％、金／白金／パラジウム／イットリウム／ロジウム／銀／ジルコニウム／ルビジウムの各粒子または箔０−１００ｐｐｍ等を加えることも可能である。
【０１６１】
【実施例１７】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。グリセリン１−２５％、可溶化剤（ポリオキシエチレン硬化ひまし油）１−１５ｗ／ｖ％、防腐剤０．１−２ｗ／ｖ％、クエン酸ナトリウム０．１−３ｗ／ｖ％、エタノール０−１０ｗ／ｖ％を添加し、口腔洗浄液とした。口臭のもとになる汚れ、雑菌の付着を膨潤させて除去する効果を有する。アミノ酸０−１０ｗ／ｖ％、保湿剤０−５ｗ／ｖ％、金／白金／パラジウム／イットリウム／ロジウム／銀／ジルコニウム／ルビジウムの各粒子または箔０−１００ｐｐｍ等を加えることも可能である。
【０１６２】
【実施例１８】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。次亜塩素酸ナトリウム１−１５ｗ／ｖ％、界面活性剤１−１５ｗ／ｖ％を添加し漂白用洗浄剤とした。金／白金／パラジウム／イットリウム／ロジウム／銀／ジルコニウム／ルビジウムの各粒子または箔０−１００ｐｐｍ等を加えることも可能である。
【０１６３】
【実施例１９】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。過炭酸ナトリウム１０−７０ｗ／ｖ％を添加し漂白用洗浄剤とした。金／白金／パラジウム／イットリウム／ロジウム／銀／ジルコニウム／ルビジウムの各粒子または箔０−１００ｐｐｍ等を加えることも可能である。
【０１６４】
【実施例２０】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。植物エキス（甘草、桃の葉、海藻、高麗人参、クロレラ）１０−４０ｗ／ｖ％、グリセリン１−２０ｗ／ｖ％、グリチルリチン酸ジカリウム０．５−５ｗ／ｖ％、１，３−ブチレングリコール０．１−１０ｗ／ｖ％、アルギン酸ナトリウム０．５−４ｗ／ｖ％、カラギーナン０．５−７ｗ／ｖ％を添加し、顔、手足洗浄剤（ｓｋｉｎ  ｔｒｅａｔｍｅｎｔ）とした。金／白金／パラジウム／イットリウム／ロジウム／銀／ジルコニウム／ルビジウムの各粒子または箔０−１００ｐｐｍ等を加えることも可能である。
【０１６５】
【実施例２１】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。毛髪柔軟剤（塩化アルキルトリメチルアンモニウム）０．５−１０％、ふけ防止剤（ピリチオン亜鉛）０．５−１０％、乳化剤（モノオレイン酸ポリオキシエチレンソルビタン）０．５−１５％、アルコール（セタノール、オレイルアルコール）０．５−２５ｗ／ｖ％、保湿剤（ポリビニルピロリドン）０．５−１０ｗ／ｖ％、ｐＨ調整剤（クエン酸）０．１−２ｗ／ｖ％を添加し、リンスとした。金／銀／プラチナ／パラジウム／イットリウム／ロジウム／銅／モリブデン／レニウム／ジルコニウム／ルテニウム／イリジウム／亜鉛／ニッケル／オスミウム／チタン／ニオブ／アルミニウム／マンガン／バナジウム等の粒子、粉末、繊維、箔、ゾル、ゲル、ミセルを０−１０００ｐｐｍ添加することも可能である。
【０１６６】
【実施例２２】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。エデト酸塩０．５−５ｗ／ｖ％、トリエタノールアミン０．５−１０ｗ／ｖ％、プロピレングリコール１−２５ｗ／ｖ％、保湿成分（アロエエキス）１−１５ｗ／ｖ％、メントール０．１−６ｗ／ｖ％を配合し、ひげそり用洗浄剤とした。ガス（ＬＰ  ｇａｓ）を加えてスプレーフォーム（ｓｈａｖｉｎｇ  ｆｏａｍ）とすることもできる。
【０１６７】
【実施例２３】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。アクリノール０．０１−５ｗ／ｖ％を配合し、洗浄剤（殺菌消毒用）とした。原液または、２−２０倍稀釈で口腔内の消毒殺菌に使用することができる。原液のまま、切り傷、擦り傷、刺し傷、かき傷、靴擦れ、創傷面の殺菌、消毒のための洗浄剤として使用可能である。
【０１６８】
【実施例２４】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。塩酸ジブカイン０．１−３％、塩酸ナファゾリン０．１−３％、マレイン酸クロルフェニラミン０．１−１０％、塩化ベンゼトニウム０．１−１％を配合し、皮膚洗浄剤とした。擦り傷等に使用可能である。
【０１６９】
【実施例２５】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。アクリノール０．０１−５ｗ／ｖ％、酸化亜鉛１−３０ｗ／ｖ％、次没食子酸ビスマス０−３ｗ／ｖ％、弟切草流エキス０−１０ｗ／ｖ％、タンニン酸０−５ｗ／ｖ％を配合し、洗浄剤（殺菌消毒用）とした。原液または、２−２０倍稀釈で口腔内の消毒殺菌に使用することができる。原液のまま、切り傷、擦り傷、刺し傷、かき傷、靴擦れ、創傷面の殺菌、消毒のための洗浄剤として使用可能である。アミノ酸０−１０％、保湿剤０−５％、金／銀／プラチナ／パラジウム／イットリウム／ロジウム／銅／モリブデン／レニウム／ジルコニウム／ルテニウム／イリジウム／亜鉛／ニッケル／オスミウム／チタン／ニオブ／アルミニウム／マンガン／バナジウム等の粒子、粉末、繊維、箔、ゾル、ゲル、ミセルを０−１０００ｐｐｍ添加することも可能である。
【０１７０】
【実施例２６】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。植物保湿剤（アロエエキス）０．１−５ｗ／ｖ％、セタノール１−１０ｗ／ｖ％、ミリスチン酸イソプロピル１−２０ｗ／ｖ％、セチル硫酸ナトリウム０．１−５ｗ／ｖ％、色素、香料、防腐剤を配合し、顔手足洗浄剤（ｃｒｅａｍ）とした。アミノ酸０−１０ｗ／ｖ％、金／銀／プラチナ／パラジウム／イットリウム／ロジウム／銅／モリブデン／レニウム／ジルコニウム／ルテニウム／イリジウム／亜鉛／ニッケル／オスミウム／チタン／ニオブ／アルミニウム／マンガン／バナジウム等の粒子、粉末、繊維、箔、ゾル、ゲル、ミセルを０−１０００ｐｐｍ添加することも可能である。
【０１７１】
【実施例２７】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。ビタミンＡ酢酸エステル０．１−１ｗ／ｖ％、グリチルレチン酸０．１−１ｗ／ｖ％、ｄｌ−カンフル０．１−１５ｗ／ｖ％、グリセリン３０−７０ｗ／ｖ％を配合し、顔手足洗浄剤（ｃｒｅａｍ）とした。アミノ酸０−１０％、金／白金／パラジウム／イットリウム／ロジウム／銀／ジルコニウム／ルビジウムの各粒子または箔０−１００ｐｐｍ等を加えることも可能である。
【０１７２】
【実施例２８】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。ガーゼ付き絆創膏に０．１−３０ｗ／ｖ％を含ませ、湿潤させた。創傷面の保護として装着することができる。
【０１７３】
【実施例２９】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。研磨剤５０−９９ｗ／ｖ％、珪酸系鉱物１−５％、界面活性剤１−１０ｗ／ｖ％に本稀釈液１−２５ｗ／ｖ％を配合し、洗浄剤（クレンザー）とした。調理台、流し、タイル、風呂、衛生陶器の洗浄に利用可能である。
【０１７４】
【実施例３０】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。アクリノール０．０１−５ｗ／ｖ％、酸化亜鉛１−３０ｗ／ｖ％、タンニン酸０−５％、本稀釈液０．１−２５ｗ／ｖ％を配合し、洗浄剤（殺菌消毒用）とした。原粉末は切り傷、擦り傷、刺し傷、かき傷、靴擦れ、創傷面の殺菌、消毒のための洗浄剤として使用可能である。アミノ酸０−１０ｗ／ｖ％、保湿剤０−５ｗ／ｖ％、金／銀／プラチナ／パラジウム／イットリウム／ロジウム／銅／モリブデン／レニウム／ジルコニウム／ルテニウム／イリジウム／亜鉛／ニッケル／オスミウム／チタン／ニオブ／アルミニウム／マンガン／バナジウム等の粒子、粉末、繊維、箔、ゾル、ゲル、ミセルを０−１０００ｐｐｍ添加することも可能である。
【０１７５】
【実施例３１】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。塩化ベンザルコニウム０−２５ｗ／ｖ％を配合し、洗浄剤（殺菌消毒用）とした。原液は切り傷、擦り傷、刺し傷、かき傷、靴擦れ、創傷面の殺菌、消毒のための洗浄剤として使用可能である。アミノ酸０−１０ｗ／ｖ％、保湿剤０−５ｗ／ｖ％、金／白金／パラジウム／イットリウム／ロジウム／銀／ジルコニウム／ルビジウムの各粒子または箔０−１００ｐｐｍ等を加えることも可能である。スプレーとすることも可能である。
【０１７６】
【実施例３２】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。アズレンスルホン酸ナトリウム０−２ｗ／ｖ％を配合し、洗浄剤（のど、目殺菌消毒用）とした。アミノ酸０−１０ｗ／ｖ％、金／白金／パラジウム／イットリウム／ロジウム／銀／ジルコニウム／ルビジウムの各粒子または箔０−１００ｐｐｍ等を加えることも可能である。
【０１７７】
【実施例３３】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。ｄｌ−カンフル１−２５ｗ／ｖ％、ｌ−メントール０−５ｗ／ｖ％、ユーカリ油１−５ｗ／ｖ％、サリチル酸メチル０．１−３ｗ／ｖ％、テレビン油０．１−２ｗ／ｖ％、ワセリン６０−９５ｗ／ｖ％、酸化チタン０．１−１．５ｗ／ｖ％を配合し、顔手足用洗浄剤（ｃｒｅａｍ）とした。アミノ酸０−１０ｗ／ｖ％、ビタミン０．５ｗ／ｖ％、保湿剤０−５ｗ／ｖ％、金／白金／パラジウム／イットリウム／ロジウム／銀／ジルコニウム／ルビジウムの各粒子または箔０−１００ｐｐｍ等を加えることも可能である。リップスティックとすることも可能である。
【０１７８】
【実施例３４】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。水溶性アズレン０−１ｗ／ｖ％を配合し、洗浄剤（目殺菌消毒用）とした。アミノ酸０−１０ｗ／ｖ％等を加えることも可能である。
【０１７９】
【実施例３５】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。グリチルレチン酸０．１−１．５ｗ／ｖ％、酢酸トコフェロール１−８ｗ／ｖ％、ヒノキチオール０．０５−２ｗ／ｖ％、塩酸クロルヘキシジン０．０５−３ｗ／ｖ％、本稀釈液０．１−３０ｗ／ｖ％を配合し口腔洗浄剤とした。歯肉炎、歯槽膿漏等に効果が認められる。アミノ酸０−１０ｗ／ｖ％、ビタミン０．５ｗ／ｖ％、保湿剤０−５ｗ／ｖ％、金／白金／パラジウム／イットリウム／ロジウム／銀／ジルコニウム／ルビジウムの各粒子または箔０−１００ｐｐｍ等を加えることも可能である。
【０１８０】
【実施例３６】
苦汁３ｗ／ｖ％、鉱酸３ｗ／ｖ％の混合液を２０００−２００００倍稀釈となるように、以下の混合溶液に添加し、シャンプー（５００  ｇ）とした：金／白金／パラジウム／イットリウム／ロジウム／銀／ジルコニウム／ルビジウムの各粒子または箔５０ｐｐｍ、植物油（オリーブ、ミツロウ、ホホバ、ナタネ、ククイナッツ等）５ｗ／ｖ％、、ダイズエキス３ｗ／ｖ％、加水分解酵母エキス、スクワラン、コカミドＤＥＡ、ココイルグルタミン酸ＴＥＡ、ココアンホ酢酸Ｎａ、ラウラミドＤＥＡ、オクタニウム−１０、ポリクオタニウム−１０、グリチルリチン酸２Ｋ、ステアリン酸ＰＥＧ−１４０、ステアリン酸グリコール、フェノキシエタノール、アミノ酸（グリシン、アラニン、バリン、ロイシン、イソロイシン、プロリン、セリン、アスパラギン、グルタミン、システイン、リシン、アルギニン等）、シルクエキス、オレフィン（Ｃ１４−１５）スルホン酸Ｎａ、グリセリン各０−５ｗ／ｖ％、水（構造水）を加えて１００％とする。
【０１８１】
【実施例３７】
苦汁３％、鉱酸（リン酸）／塩（ヒアルロン酸Ｎａ、グリチルリチン酸２Ｋ）５ｗ／ｖ％の混合液を２０００−２００００倍稀釈となるように、以下の混合溶液に添加し、ヘアートニック（５００  ｇ）とした：金／白金／パラジウム／イットリウム／ロジウム／銀／ジルコニウム／ルビジウムの各粒子または箔５０ｐｐｍ、植物抽出油（オリーブ、ミツロウ、ホホバ、ナタネ、ククイナッツ、イランイラン、サンダルウッド、パチュリー、ベチバー、クローブ、コリアンダー、シナモン、ブラックペッパー、ローレル、ジャスミン、スパイクラベンダー、ゼラニウム、ネロリ、ラバンジン、ラベンダー、リンデン、ローズ、ローマンカモミール、サイブレス、シダーウッド、ジュニパーベリー、ティートリー、パイン、バーチ、プチグレン、ユーカリ、ローズウッド、オレンジ、グレープフルーツ、シトロネラ、ベルガモット、マンダリン、メリッサ、ライム、レモン、レモナグラス、キャロットシード、クラリセージ、スペアミント、セージ、バジル、ヒソップ、フェンネル、ペパーミント、マージョラム、ヤロウ、ローズマリー等のうちから１〜５種類）０−１０％、、植物抽出物（ダイズ、オタネニンジン、シコン、サンショウ、センブリ、タンポポ、ハイビスカス、マロウ、ミント、レモンバーム、ローズヒップス、ローズ、エルダーフラワー、ジャーマンカモミール、ヒソップンデン、アンズ、発芽玄米、ハス、ウメ、ビワ、プラム、ゴボウ、キャベツ、ブロッコリー、長芋、ユキノシタ、セロリー、小豆、糠、オオバク、スギナ、アシタバ、アボカド、アマチャ、アルテア、アルニカ、キダチアロエ、アロエベラ、イタドリ、イノンド、インドジャボク、イラクサ、イリス、イチョウ、イラクサウイキョウ、ウイキョウ、ウスバサイシン、ウツボグサ、ウンシュウミカン、ウコン、エゴノキ、エビスグサ、エンジュ、エンジツ、エゾウコギ、エチナシ、エンメイソウ、オオツヅラフジ、オケラ、オニノヤガラ、オウゴン、オウバク、オウレン、オトギリソウ、オドリコソウ、オランダカラシ、カカオ、カガミグサ、ガジュツ、カタクリ、ガマ、カラスビシャク、カワラケツメイ、カンゾウ、カッコン、カノコソウ、カミツレ、カワラヨモギ、キキョウ、キササゲ、キハダ、キョウチクトウ、キンミズヒキ、キイチゴ、キウイ、キュウリ、クチナシ、クコ、クズ、クスノキ、クマザサ、クララ、クレマティス、クロレラ、ケイノキ、ケシ、ゲンチアナ、ゲンノショウコ、コエンドロ、コガネバチ、ゴシュユ、コーヒーノキ、コブシ、コンフリー、サイシン、サフラン、サルビア、サンシュユ、サボンソウ、サンザシ、サンショウ、ジギタリス、シャクナゲ、シャクヤク、ショウガ、シラン、シア、キノコ（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ  、イリオモテクマゼミタケ、スズキセミタケ、コゴメセミタケ、コニシセミタケ、セミノハリセンボン、セミタケ、ヒグラシタケ、シロセミタケ、トサノセミタケ、イネゴセミタケ、ヒナセミタケ、イシカリセミタケ、アイヌセミタケ、オオセミタケ、アブラゼミタケ、ハヤカワセミタケ、ツブノセミタケ、ウンカハリタケ、ハゴロモツブタケ、アワフキムシタケ、ヨコバイタケ、カイガラムシタケ、カメムシタケ、サナギタケ、タマサナギタケ、シロサナギタケ、オオミノサナギタケ、ヒメサナギタケ、ベニイモムシタケ、イラガハリタケ、エゾサナギタケ、ラクロムシタケ、コガネムシタケ、テッポウムシタケ、ニッコウムシタケ、オグラムシタケ、ミヤマムシタケ、カブヤマツブタケ、オサムシタンポタケ、サヌキクチムシタケ、ムラサキクビオレタケ、コメツキムシタケ、クチキカノツノタケ、オサムシタケ、ゾウムシタケ、ハチタケ、ヒメハリタケ、アリタケ、マルミアリタケ、ケラタケ、ゴキブリタケ、ヤンマタケ、シロアリタケ、ハエヤドリタケ、アブヤドリタケ、オグラクモタケ、ハスノミクモタケ、サンゴクモタケ、ウスジロクモタケ、タイワンハダニツブタケ、ハナヤスリタケ、トウマタンポタケ、セイヨウバッカクタケ、ササバッカクタケ、サンチュウムシタケモドキ、トウマタンポタケ、キビノムシタケモドキ等（清水大典、冬虫夏草図鑑、（１９９７）家の光協会）等）、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ）、サンザシ、サンショウ、シア、ジオウ、シナノキ、シモツケソウ、シャクヤク、ショウブ、シラカバ、シロバナムシヨケギク、スズラン、スイカズラ、セイヨウオトギリソウ、セイヨウキズタ、セイヨウサンザシ、セイヨウニワトコ、セイヨウネズ、セイヨウノコギリソウ、セイヨウハッカ、ゼニアオイ、センキュウ、センブリ、セージ、ソウハクヒ、ソテツ、タイソウ、タイム、タマザキツヅラフジ、チガヤ、チクセツニンジン、チョウセンゴミシ、チンピ、ツルドクダミ、テンダイウヤク、トウガシ、トウキ、トウゴマ、トウワタ、トウキンセンカ、トウニン、トウヒ、ドクダミ、トマト、トルメンチラ、ナンテン、ニガキ、ニワトコ、ニンニク、ハシリドコロ、ハッカ、ハトムギ、バクモンドウ、パセリ、パリエタリア、ハマメリス、ビャクダン、ヒヨス、フキタンポポ、ブクリョウ、ブッチャーブルーム、ブドウ、プルーン、ヘチマ、ベニバナ、ベラドンナ、ホオノキ、ボタン、ポンタピ、ホップ、マツ、マツホド、マロニエ、ミシマサイコ、メリッサ、ママ、ムラサキ、ムラサキオモト、オモト、モヤシ、ヤグルマギク、ヤマゴボウ、ヤマノイモ、ユーカリ、ユズ、ヨクイニン、ヨモギ、ヨウシュチョウセンアサガオ、リンドウ、リンゴ、ルイボス、レタス、レモン、レンゲソウ、ログウッド、ローズヒップ、ローズマリー、ローマカミツレ、ロベリア、ワレモコウ、ウイキョウ、クチナシ、ボタン���クロレラ、サルビア、パイン、キラヤステビア、デイゴ、赤キャベツ、紫蘇、モズク、昆布、セリ、アサガオ、アサ、アオキ、アマドコロ、アミガサユリ、ワタ、カヤ、バラ、ブドウ、ネギ、ニンニク、レタス、ホウレンソウ、タマネギ、ダイコン、イネ、オオムギ、コムギ、エンバク、ライムギ、アワ、キビ、ヒエ、シコクビエ、ソバ、ジャガイモ、サツマイモ、インゲン、ライマメ、フジマメ、ナタマメ、エンドウ、ソラマメ、ラッカセイ、クワ、タバコ、テンサイ、キクイモ、シチトウイ、フトイ、カンゾウ、サンカクイ、イグサ、コリヤナギ、アマ、タイマ、チョマ、ボウマ、ツナソ、ケナフ、ロゼルアサ、ノリアサ、ミツマタ、コウゾ、マオラン、シザルアサ、ナタネ、ゴマ、エゴマ、ハゼノキ、ココヤシ、ウルシ、アイタデ、ホップ、コンニャク、トロロアオイ、ケシ、ジョチュウギク、ニホンハッカ、ヒマ、ジギタリス、ミブヨモギ、クラムヨモギ、ロシアムラサキグサ、アメリカアリタソウ、ミシマサイコ、キハダ、ジオウ、オウレン、トウキ、サルトリイバラ、ドクウツギ、セネガ、アオツヅラフジ、クロウメモドキ、クスノキ、アブラギリ、アカクローバー、シロクローバ、アルファルファ、オーチャードグラス、フェスク、ライグラス、チモシー、ソルガム、シバ、西洋シバ、ナス、トウガラシ、ピーマン、ペピーノ、マクワウリ、メロン、シロウリ、スイカ、ヘチマ、カボチャ、ユウガオ、トウガン、ツルレイシ、ハクサイ、カブ、カラシナ、ワサビ、ワサビダイコン、ネギ、リーキ、ラッキョウ、ニラ、ワケギ、アスパラガス、ゴボウアザミ、シュンギク、フキ、アーチチョーク、ミツバ、ハマボウフウ、クレソン、ウド、チョロギ、フダンソウ、オカヒジキ、サトイモ、ヤマノイモ、クワイ、ハス、ジュンサイ、ショウガ、ミョウガ、ツルナ、オクラ、アイスランドポピー、アスター、アンモビウム、エローサルタン、カスミソウ、カルセオラリヤ、キンギョソウ、キンセンカ、キンレイカ、クレオメ、ケイトウ、コスモス、サクラソウ、サルビア、ジニア、シネラリア、スイートピー、スカビオサ、スターチス、ストック、スミレ、センニチコウ、ツキミソウ、デージー、トルコギキョウ、トレニア、ニチニチソウ、ノースポール、ハナビシソウ、バーベナ、ハルシャギク、ヒマワリ、ヒョウタン、フロックス、ペチュニア、ベニバナ、ホウセンカ、ホリホック、マリーゴールド、ムシトリナデシコ、ルドベキア、ルナリア、ルピナス、ワスレナグサ、アガパンサス、アマドコロ、アルメリア、ウケザキクンシラン、オオキンケイギク、オグルマ、オシロイバナ、オダマキ、オモト、カーネーション、ガーベラ、カランコエ、カンパニュラ、キク、ギボウシ、シオン、シバザクラ、宿根カスミソウ、スイレン、ツワブキ、ナルコユリ、ニューサイラン、ニリンソウ、ハナトリカブト、ハラン、ヒオウギ、ピレオギク、フクジュソウ、ペペロミア、ホウズキ、マーガレット、マツバギク、ミセバヤ、ミヤコワスレ、ムギワラギク、ムラサキツユクサ、ヤグルマソウ、ヤブカンゾウ、ヤブラン、ユウゼンギク、リアトリス、アネモネ、アマリリス、アリウム、イリス、カラー、カラジウム、カンナ、グラジオラス、グロキシニア、クロッカス、クロユリ、グロリオーサ、コルチカム、シクラメン、スイセ���、タマスダレ、ダリヤ、チューリップ、ドイツスズラン、ハマオモト、ヒアシンス、フリージア、ラナンキュラス、リコリス、コルマナリア、サクララン、サボテン、サンセベリヤ、シンビジウム、スパティフィラム、ストレリチア、ディーフェンバキア、デンドロビウム、ナリヤラン、パフィオペディルム、ビルステケラ、ファレノプシス、カンキツ、リンゴ、ナシ、マルメロ、カリン、オウトウ、ユスラウメ、クリ、クルミ、スグリ、キイチゴ、キウイフルーツ、ヤマモモ、アケビ、ナツメ、グミ、ザクロ、ポポー、バナナ、パイナップル、ナツメヤシ、アボカド、マンゴー、パパイア、レンブ、オリーブ、ユッカ、センリョウ、ボタン、ムベ、メギ、ホソバヒイラギナンテン、モクレン、ゴブシ、タイサンボク、アジサイ、バイカウツギ、ウツギ、トベラ、マンサク、ヒュウガミズキ、シモッケ、ヤマブキ、シロヤマブキ、バラ、ハマナス、サクラ、シャリンバイ、ボケ、ビラカンサ、コトネアスター、カイドウ、ナナカマド、ハギ、フジ、ハナズオウ、エニシダ、ポインセチア、ウメモドキ、ムクゲ、フヨウ、マタタビ、ツバキ、サザンカ、ナツツバキ、ビョウヤナギ、ジンチョウゲ、サルスベリ、ヤツデ、アオキ、ハナミヅキ、ブーゲンビレア、ツツジ、シャクナゲ、カルミア、アセビ、ドウダンツツジ、ヤブコウジ、マンリョウ、エゴノキ、キンモクセイ、レンギョウ、ライラック、ブッドレア、ムラサキシキブ、ヤカランダ、クチナシ、サンゴジュ、ガマズミ、カンボク、ハコネウツギ、アベリア、スイカズラ、ビンロウのうちから１〜５種類）０−１０ｗ／ｖ％、加水分解酵母エキス、フェノキシエタノール、アミノ酸（グリシン、アラニン、バリン、ロイシン、イソロイシン、プロリン、セリン、アスパラギン、グルタミン、システイン、リシン、アルギニン等）、加水分解シルク、トルマリン、水溶性コラーゲン、、パンテノール、各０−５ｗ／ｖ％、水（構造水）を加えて１００％とする。
【０１８２】
【実施例３８】
苦汁３ｗ／ｖ％、酸（リン酸、クエン酸、アスコルビン酸、木酢酸、酢酸、安息香酸等）３ｗ／ｖ％の混合液を２０００−２００００倍稀釈となるように、以下の混合溶液に添加し、シャンプー（５００  ｇ）とした：金／白金／パラジウム／イットリウム／ロジウム／銀／ジルコニウム／ルビジウムの各粒子または箔５０ｐｐｍ、植物油（オリーブ、ミツロウ、ホホバ、ナタネ、ククイナッツ等）５ｗ／ｖ％、、ダイズエキス３ｗ／ｖ％、加水分解酵母エキス、スクワラン、コカミドＤＥＡ、ココイルグルタミン酸ＴＥＡ、ココアンホ酢酸Ｎａ、ラウラミドＤＥＡ、オクタニウム−１０、ポリクオタニウム−１０、グリチルリチン酸２Ｋ、ステアリン酸ＰＥＧ−１４０、ステアリン酸グリコール、フェノキシエタノール、アミノ酸（グリシン、アラニン、バリン、ロイシン、イソロイシン、プロリン、セリン、アスパラギン、グルタミン、システイン、リシン、アルギニン等）、シルクエキス、オレフィン（Ｃ１４−１５）スルホン酸Ｎａ、グリセリン各０−５ｗ／ｖ％、水（構造水）を加えて１００％とする。
【０１８３】
【実施例３９】
苦汁（主成分：微量要素）３ｗ／ｖ％、酸（リン酸、クエン酸、酢酸、木酢酸、アスコルビン酸、安息香酸）／塩（ヒアルロン酸Ｎａ、グリチルリチン酸２Ｋ）５％の混合液を２０００−２００００倍稀釈となるように、以下の混合溶液に添加し、ピーリング（５００  ｇ）とした：金／白金／パラジウム／イットリウム／ロジウム／銀／ジルコニウム／ルビジウムの各粒子または箔０−１００ｐｐｍ、植物抽出油（オリーブ、ミツロウ、ホホバ、ナタネ、ククイナッツ、イランイラン、サンダルウッド、パチュリー、ベチバー、クローブ、コリアンダー、シナモン、ブラックペッパー、ローレル、ジャスミン、スパイクラベンダー、ゼラニウム、ネロリ、ラバンジン、ラベンダー、リンデン、ローズ、ローマンカモミール、サイブレス、シダーウッド、ジュニパーベリー、ティートリー、パイン、バーチ、プチグレン、ユーカリ、ローズウッド、オレンジ、グレープフルーツ、シトロネラ、ベルガモット、マンダリン、メリッサ、ライム、レモン、レモナグラス、キャロットシード、クラリセージ、スペアミント、セージ、バジル、ヒソップ、フェンネル、ペパーミント、マージョラム、ヤロウ、ローズマリー、アロエ等のうちから１〜５種類）０−１０％、、植物抽出物（ダイズ、オタネニンジン、シコン、サンショウ、センブリ、タンポポ、ハイビスカス、マロウ、ミント、レモンバーム、ローズヒップス、ローズ、エルダーフラワー、ジャーマンカモミール、ヒソップンデン、アンズ、発芽玄米、ハス、ウメ、ビワ、プラム、ゴボウ、キャベツ、ブロッコリー、長芋、ユキノシタ、セロリー、小豆、糠、オオバク、スギナ、アシタバ、アボカド、アマチャ、アルテア、アルニカ、キダチアロエ、アロエベラ、イタドリ、イノンド、インドジャボク、イラクサ、イリス、イチョウ、イラクサウイキョウ、ウイキョウ、ウスバサイシン、ウツボグサ、ウンシュウミカン、ウコン、エゴノキ、エビスグサ、エンジュ、エンジツ、エゾウコギ、エチナシ、エンメイソウ、オオツヅラフジ、オケラ、オニノヤガラ、オウゴン、オウバク、オウレン、オトギリソウ、オドリコソウ、オランダカラシ、カカオ、カガミグサ、ガジュツ、カタクリ、ガマ、カラスビシャク、カワラケツメイ、カンゾウ、カッコン、カノコソウ、カミツレ、カワラヨモギ、キキョウ、キササゲ、キハダ、キョウチクトウ、キンミズヒキ、キイチゴ、キウイ、キュウリ、クチナシ、クコ、クズ、クスノキ、クマザサ、クララ、クレマティス、クロレラ、ケイノキ、ケシ、ゲンチアナ、ゲンノショウコ、コエンドロ、コガネバチ、ゴシュユ、コーヒーノキ、コブシ、コンフリー、サイシン、サフラン、サルビア、サンシュユ、サボンソウ、サンザシ、サンショウ、ジギタリス、シャクナゲ、シャクヤク、ショウガ、シラン、シア、キノコ（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ  、イリオモテクマゼミタケ、スズキセミタケ、コゴメセミタケ、コニシセミタケ、セミノハリセンボン、セミタケ、ヒグラシタケ、シロセミタケ、トサノセミタケ、イネゴセミタケ、ヒナセミタケ、イシカリセミタケ、アイヌセミタケ、オオセミタケ、アブラゼミタケ、ハヤカワセミタケ、ツブノセミタケ、ウンカハリタケ、ハゴロモツブタケ、アワフキムシタケ、ヨコバイタケ、カイガラムシタケ、カメムシタケ、サナギタケ、タマサナギタケ、シロサナギタケ、オオミノサナギタケ、ヒメサナギタケ、ベニイモムシタケ、イラガハリタケ、エゾサナギタケ、ラクロムシタケ、コガネムシタケ、テッポウムシタケ、ニッコウムシタケ、オグラムシタケ、ミヤマムシタケ、カブヤマツブタケ、オサムシタンポタケ、サヌキクチムシタケ、ムラサキクビオレタケ、コメツキムシタケ、クチキカノツノタケ、オサムシタケ、ゾウムシタケ、ハチタケ、ヒメハリタケ、アリタケ、マルミアリタケ、ケラタケ、ゴキブリタケ、ヤンマタケ、シロアリタケ、ハエヤドリタケ、アブヤドリタケ、オグラクモタケ、ハスノミクモタケ、サンゴクモタケ、ウスジロクモタケ、タイワンハダニツブタケ、ハナヤスリタケ、トウマタンポタケ、セイヨウバッカクタケ、ササバッカクタケ、サンチュウムシタケモドキ、トウマタンポタケ、キビノムシタケモドキ等（清水大典、冬虫夏草図鑑、（１９９７）家の光協会）等）、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ）、サンザシ、サンショウ、シア、ジオウ、シナノキ、シモツケソウ、シャクヤク、ショウブ、シラカバ、シロバナムシヨケギク、スズラン、スイカズラ、セイヨウオトギリソウ、セイヨウキズタ、セイヨウサンザシ、セイヨウニワトコ、セイヨウネズ、セイヨウノコギリソウ、セイヨウハッカ、ゼニアオイ、センキュウ、センブリ、セージ、ソウハクヒ、ソテツ、タイソウ、タイム、タマザキツヅラフジ、チガヤ、チクセツニンジン、チョウセンゴミシ、チンピ、ツルドクダミ、テンダイウヤク、トウガシ、トウキ、トウゴマ、トウワタ、トウキンセンカ、トウニン、トウヒ、ドクダミ、トマト、トルメンチラ、ナンテン、ニガキ、ニワトコ、ニンニク、ハシリドコロ、ハッカ、ハトムギ、バクモンドウ、パセリ、パリエタリア、ハマメリス、ビャクダン、ヒヨス、フキタンポポ、ブクリョウ、ブッチャーブルーム、ブドウ、プルーン、ヘチマ、ベニバナ、ベラドンナ、ホオノキ、ボタン、ポンタピ、ホップ、マツ、マツホド、マロニエ、ミシマサイコ、メリッサ、ママ、ムラサキ、ムラサキオモト、オモト、モヤシ、ヤグルマギク、ヤマゴボウ、ヤマノイモ、ユーカリ、ユズ、ヨクイニン、ヨモギ、ヨウシュチョウセンアサガオ、リンドウ、リンゴ、ルイボス、レタス、レモン、レンゲソウ、ログウッド、ローズヒップ、ロ���ズマリー、ローマカミツレ、ロベリア、ワレモコウ、ウイキョウ、クチナシ、ボタン、クロレラ、サルビア、パイン、キラヤステビア、デイゴ、赤キャベツ、紫蘇、モズク、昆布、セリ、アサガオ、アサ、アオキ、アマドコロ、アミガサユリ、ワタ、カヤ、バラ、ブドウ、ネギ、ニンニク、レタス、ホウレンソウ、タマネギ、ダイコン、イネ、オオムギ、コムギ、エンバク、ライムギ、アワ、キビ、ヒエ、シコクビエ、ソバ、ジャガイモ、サツマイモ、インゲン、ライマメ、フジマメ、ナタマメ、エンドウ、ソラマメ、ラッカセイ、クワ、タバコ、テンサイ、キクイモ、シチトウイ、フトイ、カンゾウ、サンカクイ、イグサ、コリヤナギ、アマ、タイマ、チョマ、ボウマ、ツナソ、ケナフ、ロゼルアサ、ノリアサ、ミツマタ、コウゾ、マオラン、シザルアサ、ナタネ、ゴマ、エゴマ、ハゼノキ、ココヤシ、ウルシ、アイタデ、ホップ、コンニャク、トロロアオイ、ケシ、ジョチュウギク、ニホンハッカ、ヒマ、ジギタリス、ミブヨモギ、クラムヨモギ、ロシアムラサキグサ、アメリカアリタソウ、ミシマサイコ、キハダ、ジオウ、オウレン、トウキ、サルトリイバラ、ドクウツギ、セネガ、アオツヅラフジ、クロウメモドキ、クスノキ、アブラギリ、アカクローバー、シロクローバ、アルファルファ、オーチャードグラス、フェスク、ライグラス、チモシー、ソルガム、シバ、西洋シバ、ナス、トウガラシ、ピーマン、ペピーノ、マクワウリ、メロン、シロウリ、スイカ、ヘチマ、カボチャ、ユウガオ、トウガン、ツルレイシ、ハクサイ、カブ、カラシナ、ワサビ、ワサビダイコン、ネギ、リーキ、ラッキョウ、ニラ、ワケギ、アスパラガス、ゴボウアザミ、シュンギク、フキ、アーチチョーク、ミツバ、ハマボウフウ、クレソン、ウド、チョロギ、フダンソウ、オカヒジキ、サトイモ、ヤマノイモ、クワイ、ハス、ジュンサイ、ショウガ、ミョウガ、ツルナ、オクラ、アイスランドポピー、アスター、アンモビウム、エローサルタン、カスミソウ、カルセオラリヤ、キンギョソウ、キンセンカ、キンレイカ、クレオメ、ケイトウ、コスモス、サクラソウ、サルビア、ジニア、シネラリア、スイートピー、スカビオサ、スターチス、ストック、スミレ、センニチコウ、ツキミソウ、デージー、トルコギキョウ、トレニア、ニチニチソウ、ノースポール、ハナビシソウ、バーベナ、ハルシャギク、ヒマワリ、ヒョウタン、フロックス、ペチュニア、ベニバナ、ホウセンカ、ホリホック、マリーゴールド、ムシトリナデシコ、ルドベキア、ルナリア、ルピナス、ワスレナグサ、アガパンサス、アマドコロ、アルメリア、ウケザキクンシラン、オオキンケイギク、オグルマ、オシロイバナ、オダマキ、オモト、カーネーション、ガーベラ、カランコエ、カンパニュラ、キク、ギボウシ、シオン、シバザクラ、宿根カスミソウ、スイレン、ツワブキ、ナルコユリ、ニューサイラン、ニリンソウ、ハナトリカブト、ハラン、ヒオウギ、ピレオギク、フクジュソウ、ペペロミア、ホウズキ、マーガレット、マツバギク、ミセバヤ、ミヤコワスレ、ムギワラギク、ムラサキツユクサ、ヤグルマソウ、ヤブカンゾウ、ヤブラン、ユウゼンギク、リアトリス、アネモネ、アマリリス、アリウム、イリス、カラー、カラジウム、カンナ、グラジオラス、グ���キシニア、クロッカス、クロユリ、グロリオーサ、コルチカム、シクラメン、スイセン、タマスダレ、ダリヤ、チューリップ、ドイツスズラン、ハマオモト、ヒアシンス、フリージア、ラナンキュラス、リコリス、コルマナリア、サクララン、サボテン、サンセベリヤ、シンビジウム、スパティフィラム、ストレリチア、ディーフェンバキア、デンドロビウム、ナリヤラン、パフィオペディルム、ビルステケラ、ファレノプシス、カンキツ、リンゴ、ナシ、マルメロ、カリン、オウトウ、ユスラウメ、クリ、クルミ、スグリ、キイチゴ、キウイフルーツ、ヤマモモ、アケビ、ナツメ、グミ、ザクロ、ポポー、バナナ、パイナップル、ナツメヤシ、アボカド、マンゴー、パパイア、レンブ、オリーブ、ユッカ、センリョウ、ボタン、ムベ、メギ、ホソバヒイラギナンテン、モクレン、ゴブシ、タイサンボク、アジサイ、バイカウツギ、ウツギ、トベラ、マンサク、ヒュウガミズキ、シモッケ、ヤマブキ、シロヤマブキ、バラ、ハマナス、サクラ、シャリンバイ、ボケ、ビラカンサ、コトネアスター、カイドウ、ナナカマド、ハギ、フジ、ハナズオウ、エニシダ、ポインセチア、ウメモドキ、ムクゲ、フヨウ、マタタビ、ツバキ、サザンカ、ナツツバキ、ビョウヤナギ、ジンチョウゲ、サルスベリ、ヤツデ、アオキ、ハナミヅキ、ブーゲンビレア、ツツジ、シャクナゲ、カルミア、アセビ、ドウダンツツジ、ヤブコウジ、マンリョウ、エゴノキ、キンモクセイ、レンギョウ、ライラック、ブッドレア、ムラサキシキブ、ヤカランダ、クチナシ、サンゴジュ、ガマズミ、カンボク、ハコネウツギ、アベリア、スイカズラ、糠、ビンロウうちから１〜５種類）０−１０ｗ／ｖ％、加水分解酵母エキス、アルコール（フェノキシエタノール、１，３−ブチレングリコール）アミノ酸（グリシン、アラニン、バリン、ロイシン、イソロイシン、プロリン、セリン、アスパラギン、グルタミン、システイン、リシン、アルギニン等）、加水分解シルク、水溶性コラーゲン、糖（グルコース、シュクロース、キシロース、トレハロース、リブロース、マンノース、ガラクトース、リボース、アラビノース、ラクトース、マルトース、セロビオース等）、塩（グリチルリチン酸２Ｋ、ＰＣＡ−Ｎａ、ＫＯＨ、Ｃａ（ＯＨ）２）、ＰＥＧ−２０ソルビタンココエート、アラントイン、カルボマー、各０−５ｗ／ｖ％、水（構造水）を加えて１００％とする。
【０１８４】
【実施例４０】
苦汁３ｗ／ｖ％、酸（リン酸、クエン酸、酢酸、木酢酸、アスコルビン酸、安息香酸）／塩（ヒアルロン酸Ｎａ、グリチルリチン酸２Ｋ）５ｗ／ｖ％の混合液を２０００−２００００倍稀釈となるように、以下の混合溶液に添加し、ローション（５００  ｇ）とした：金／白金／パラジウム／イットリウム／ロジウム／銀／ジルコニウム／ルビジウムの各粒子または箔０−１００ｐｐｍ、植物抽出油（オリーブ、チョウジ、ミツロウ、ホホバ、ナタネ、ククイナッツ、イランイラン、サンダルウッド、パチュリー、ベチバー、クローブ、コリアンダー、シナモン、ブラックペッパー、ローレル、ジャスミン、スパイクラベンダー、ゼラニウム、ネロリ、ラバンジン、ラベンダー、リンデン、ローズ、ローマンカモミール、サイブレス、シダーウッド、ジュニパーベリー、ティートリー、パイン、バーチ、プチグレン、ユーカリ、ローズウッド、オレンジ、グレープフルーツ、シトロネラ、ベルガモット、マンダリン、メリッサ、ライム、レモン、レモナグラス、キャロットシード、クラリセージ、スペアミント、セージ、バジル、ヒソップ、フェンネル、ペパーミント、マージョラム、ヤロウ、ローズマリー、アロエ等のうちから１〜５種類）０−１０ｗ／ｖ％、、植物抽出物（ダイズ、オタネニンジン、シコン、サンショウ、センブリ、タンポポ、ハイビスカス、マロウ、ミント、レモンバーム、ローズヒップス、ローズ、エルダーフラワー、ジャーマンカモミール、ヒソップンデン、アンズ、発芽玄米、ハス、ウメ、ビワ、プラム、ゴボウ、キャベツ、ブロッコリー、長芋、ユキノシタ、セロリー、小豆、糠、オオバク、スギナ、アシタバ、アボカド、アマチャ、アルテア、アルニカ、キダチアロエ、アロエベラ、イタドリ、イノンド、インドジャボク、イラクサ、イリス、イチョウ、イラクサウイキョウ、ウイキョウ、ウスバサイシン、ウツボグサ、ウンシュウミカン、ウコン、エゴノキ、エビスグサ、エンジュ、エンジツ、エゾウコギ、エチナシ、エンメイソウ、オオツヅラフジ、オケラ、オニノヤガラ、オウゴン、オウバク、オウレン、オトギリソウ、オドリコソウ、オランダカラシ、カカオ、カガミグサ、ガジュツ、カタクリ、ガマ、カラスビシャク、カワラケツメイ、カンゾウ、カッコン、カノコソウ、カミツレ、カワラヨモギ、キキョウ、キササゲ、キハダ、キョウチクトウ、キンミズヒキ、キイチゴ、キウイ、キュウリ、クチナシ、クコ、クズ、クスノキ、クマザサ、クララ、クレマティス、クロレラ、ケイノキ、ケシ、ゲンチアナ、ゲンノショウコ、コエンドロ、コガネバチ、ゴシュユ、コーヒーノキ、コブシ、コンフリー、サイシン、サフラン、サルビア、サンシュユ、サボンソウ、サンザシ、サンショウ、ジギタリス、シャクナゲ、シャクヤク、ショウガ、シラン、シア、キノコ（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草（Ｃｏｒｄｙｃｅｐｓｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ  、イリオモテクマゼミタケ、スズキセミタ��、コゴメセミタケ、コニシセミタケ、セミノハリセンボン、セミタケ、ヒグラシタケ、シロセミタケ、トサノセミタケ、イネゴセミタケ、ヒナセミタケ、イシカリセミタケ、アイヌセミタケ、オオセミタケ、アブラゼミタケ、ハヤカワセミタケ、ツブノセミタケ、ウンカハリタケ、ハゴロモツブタケ、アワフキムシタケ、ヨコバイタケ、カイガラムシタケ、カメムシタケ、サナギタケ、タマサナギタケ、シロサナギタケ、オオミノサナギタケ、ヒメサナギタケ、ベニイモムシタケ、イラガハリタケ、エゾサナギタケ、ラクロムシタケ、コガネムシタケ、テッポウムシタケ、ニッコウムシタケ、オグラムシタケ、ミヤマムシタケ、カブヤマツブタケ、オサムシタンポタケ、サヌキクチムシタケ、ムラサキクビオレタケ、コメツキムシタケ、クチキカノツノタケ、オサムシタケ、ゾウムシタケ、ハチタケ、ヒメハリタケ、アリタケ、マルミアリタケ、ケラタケ、ゴキブリタケ、ヤンマタケ、シロアリタケ、ハエヤドリタケ、アブヤドリタケ、オグラクモタケ、ハスノミクモタケ、サンゴクモタケ、ウスジロクモタケ、タイワンハダニツブタケ、ハナヤスリタケ、トウマタンポタケ、セイヨウバッカクタケ、ササバッカクタケ、サンチュウムシタケモドキ、トウマタンポタケ、キビノムシタケモドキ等（清水大典、冬虫夏草図鑑、（１９９７）家の光協会）等）、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ）、サンザシ、サンショウ、シア、ジオウ、シナノキ、シモツケソウ、シャクヤク、ショウブ、シラカバ、シロバナムシヨケギク、スズラン、スイカズラ、セイヨウオトギリソウ、セイヨウキズタ、セイヨウサンザシ、セイヨウニワトコ、セイヨウネズ、セイヨウノコギリソウ、セイヨウハッカ、ゼニアオイ、センキュウ、センブリ、セージ、ソウハクヒ、ソテツ、タイソウ、タイム、タマザキツヅラフジ、チガヤ、チクセツニンジン、チョウセンゴミシ、チンピ、ツルドクダミ、テンダイウヤク、トウガシ、トウキ、トウゴマ、トウワタ、トウキンセンカ、トウニン、トウヒ、ドクダミ、トマト、トルメンチラ、ナンテン、ニガキ、ニワトコ、ニンニク、ハシリドコロ、ハッカ、ハトムギ、バクモンドウ、パセリ、パリエタリア、ハマメリス、ビャクダン、ヒヨス、フキタンポポ、ブクリョウ、ブッチャーブルーム、ブドウ、プルーン、ヘチマ、ベニバナ、ベラドンナ、ホオノキ、ボタン、ポンタピ、ホップ、マツ、マツホド、マロニエ、ミシマサイコ、メリッサ、ママ、ムラサキ、ムラサキオモト、オモト、モヤシ、ヤグルマギク、ヤマゴボウ、ヤマノイモ、ユーカリ、ユズ、ヨクイニン、ヨモギ、ヨウシュチョウセンアサガオ、リンドウ、リンゴ、ルイボス、レタス、レモン、レンゲソウ、ログウッド、ローズヒップ、ローズマリー、ローマカミツレ、ロベリア、ワレモコウ、ウイキョウ、クチナシ、ボタン、クロレラ、サルビア、パイン、キラヤステビア、デイゴ、赤キャベツ、紫蘇、モズク、昆布、セリ、アサガオ、アサ、アオキ、アマドコロ、アミガサユリ、ワタ、カヤ、バラ、ブドウ、ネギ、ニンニク、レタス、ホウレンソウ、タマネギ、ダイコン、イネ、オオムギ、コムギ、エンバク、ライムギ、アワ、キビ、ヒエ、シコクビエ、ソバ、ジャガイモ、サツマイモ、インゲン、ライマメ、フジマメ、ナタマメ、エンドウ、ソラマメ、ラッカセイ、クワ、タバコ、テンサイ、キクイモ、シチトウイ、フトイ、カンゾウ、サンカクイ、イグサ、コリヤナギ、アマ、タイマ、チョマ、ボウマ、ツナソ、ケナフ、ロゼルアサ、ノリアサ、ミツマタ、コウゾ、マオラン、シザルアサ、ナタネ、ゴマ、エゴマ、ハゼノキ、ココヤシ、ウルシ、アイタデ、ホップ、コンニャク、トロロアオイ、ケシ、ジョチュウギク、ニホンハッカ、ヒマ、ジギタリス、ミブヨモギ、クラムヨモギ、ロシアムラサキグサ、アメリカアリタソウ、ミシマサイコ、キハダ、ジオウ、オウレン、トウキ、サルトリイバラ、ドクウツギ、セネガ、アオツヅラフジ、クロウメモドキ、クスノキ、アブラギリ、アカクローバー、シロクローバ、アルファルファ、オーチャードグラス、フェスク、ライグラス、チモシー、ソルガム、シバ、西洋シバ、ナス、トウガラシ、ピーマン、ペピーノ、マクワウリ、メロン、シロウリ、スイカ、ヘチマ、カボチャ、ユウガオ、トウガン、ツルレイシ、ハクサイ、カブ、カラシナ、ワサビ、ワサビダイコン、ネギ、リーキ、ラッキョウ、ニラ、ワケギ、アスパラガス、ゴボウアザミ、シュンギク、フキ、アーチチョーク、ミツバ、ハマボウフウ、クレソン、ウド、チョロギ、フダンソウ、オカヒジキ、サトイモ、ヤマノイモ、クワイ、ハス、ジュンサイ、ショウガ、ミョウガ、ツルナ、オクラ、アイスランドポピー、アスター、アンモビウム、エローサルタン、カスミソウ、カルセオラリヤ、キンギョソウ、キンセンカ、キンレイカ、クレオメ、ケイトウ、コスモス、サクラソウ、サルビア、ジニア、シネラリア、スイートピー、スカビオサ、スターチス、ストック、スミレ、センニチコウ、ツキミソウ、デージー、トルコギキョウ、トレニア、ニチニチソウ、ノースポール、ハナビシソウ、バーベナ、ハルシャギク、ヒマワリ、ヒョウタン、フロックス、ペチュニア、ベニバナ、ホウセンカ、ホリホック、マリーゴールド、ムシトリナデシコ、ルドベキア、ルナリア、ルピナス、ワスレナグサ、アガパンサス、アマドコロ、アルメリア、ウケザキクンシラン、オオキンケイギク、オグルマ、オシロイバナ、オダマキ、オモト、カーネーション、ガーベラ、カランコエ、カンパニュラ、キク、ギボウシ、シオン、シバザクラ、宿根カスミソウ、スイレン、ツワブキ、ナルコユリ、ニューサイラン、ニリンソウ、ハナトリカブト、ハラン、ヒオウギ、ピレオギク、フクジュソウ、ペペロミア、ホウズキ、マーガレット、マツバギク、ミセバヤ、ミヤコワスレ、ムギワラギク、ムラサキツユクサ、ヤグルマソウ、ヤブカンゾウ、ヤブラン、ユウゼンギク、リアトリス、アネモネ、アマリリス、アリウム、イリス、カラー、カラジウム、カンナ、グラジオラス、グロキシニア、クロッカス、クロユリ、グロリオーサ、コルチカム、シクラメン、スイセン、タマスダレ、ダリヤ、チューリップ、ドイツスズラン、ハマオモト、ヒアシンス、フリージア、ラナンキュラス、リコリス、コルマナリア、サクララン、サボテン、サンセベリヤ、シンビジウム、スパティフィラム、ストレリチア、ディーフェンバキア、デンドロビウム、ナリヤラン、パフィオペディルム、ビルステケラ、ファレノプシス、カンキツ、リンゴ、ナシ、マルメロ、カリン、オウトウ、ユスラウメ、クリ、クルミ、スグリ、キイチゴ、キウイフルーツ、ヤマモモ、アケビ、ナツメ、グミ、ザクロ、ポポー、バナナ、パイナップル、ナツメヤシ、アボカド、マンゴー、パパイア、レンブ、オリーブ、ユッカ、センリョウ、ボタン、ムベ、メギ、ホソバヒイラギナンテン、モクレン、ゴブシ、タイサンボク、アジサイ、バイカウツギ、ウツギ、トベラ、マンサク、ヒュウガミズキ、シモッケ、ヤマブキ、シロヤマブキ、バラ、ハマナス、サクラ、シャリンバイ、ボケ、ビラカンサ、コトネアスター、カイドウ、ナナカマド、ハギ、フジ、ハナズオウ、エニシダ、ポインセチア、ウメモドキ、ムクゲ、フヨウ、マタタビ、ツバキ、サザンカ、ナツツバキ、ビョウヤナギ、ジンチョウゲ、サルスベリ、ヤツデ、アオキ、ハナミヅキ、ブーゲンビレア、ツツジ、シャクナゲ、カルミア、アセビ、ドウダンツツジ、ヤブコウジ、マンリョウ、エゴノキ、キンモクセイ、レンギョウ、ライラック、ブッドレア、ムラサキシキブ、ヤカランダ、クチナシ、サンゴジュ、ガマズミ、カンボク、ハコネウツギ、アベリア、スイカズラ、糠、ビンロウのうちから１〜５種類）０−１０ｗ／ｖ％、加水分解酵母エキス、アルコール（フェノキシエタノール、フェネチルアルコール、セタノール、１，３−ブチレングリコール）、エステル（酢酸リナリル、酢酸フェネチル、）、アミノ酸（グリシン、アラニン、バリン、ロイシン、イソロイシン、プロリン、セリン、アスパラギン、グルタミン、システイン、リシン、アルギニン等）、加水分解シルク、水溶性コラーゲン、糖（グルコース、シュクロース、キシロース、トレハロース、リブロース、マンノース、ガラクトース、リボース、アラビノース、ラクトース、マルトース、セロビオース等）、生物原料（セラック、ウグイスふん）、リナロール、オイゲノール、ゲラニオール、塩（グリチルリチン酸２Ｋ、ＰＣＡ−Ｎａ、ＫＯＨ、ＮａＯＨ、Ｃａ（ＯＨ）２）、ＰＥＧ−２０ソルビタンココエート、アラントイン、カルボマー、各０−５ｗ／ｖ％、水（構造水）を加えて１００％とする。
【０１８５】
【実施例４１】
苦汁（主成分：微量要素）３ｗ／ｖ％、酸（リン酸、クエン酸、酢酸、木酢酸、アスコルビン酸、安息香酸）／塩（ヒアルロン酸Ｎａ、グリチルリチン酸２Ｋ）５ｗ／ｖ％の混合液を２０００−２００００倍稀釈となるように、以下の混合溶液に添加し、ローション（５００  ｇ）とした：金／白金／パラジウム／イットリウム／ロジウム／銀／ジルコニウム／ルビジウムの各粒子または箔０−１００ｐｐｍ、植物抽出油（オリーブ、チョウジ、ミツロウ、ホホバ、ナタネ、ククイナッツ、イランイラン、サンダルウッド、パチュリー、ベチバー、クローブ、コリアンダー、シナモン、ブラックペッパー、ローレル、ジャスミン、スパイクラベンダー、ゼラニウム、ネロリ、ラバンジン、ラベンダー、リンデン、ローズ、ローマンカモミール、サイブレス、シダーウッド、ジュニパーベリー、ティートリー、パイン、バーチ、プチグレン、ユーカリ、ローズウッド、オレンジ、グレープフルーツ、シトロネラ、ベルガモット、マンダリン、メリッサ、ライム、レモン、レモナグラス、キャロットシード、クラリセージ、スペアミント、セージ、バジル、ヒソップ、フェンネル、ペパーミント、マージョラム、ヤロウ、ローズマリー、アロエ等のうちから１〜５種類）０−１０ｗ／ｖ％、、植物抽出物（ダイズ、オタネニンジン、シコン、サンショウ、センブリ、タンポポ、ハイビスカス、マロウ、ミント、レモンバーム、ローズヒップス、ローズ、エルダーフラワー、ジャーマンカモミール、ヒソップンデン、アンズ、発芽玄米、ハス、ウメ、ビワ、プラム、ゴボウ、キャベツ、ブロッコリー、長芋、ユキノシタ、セロリー、小豆、糠、オオバク、スギナ、アシタバ、アボカド、アマチャ、アルテア、アルニカ、キダチアロエ、アロエベラ、イタドリ、イノンド、インドジャボク、イラクサ、イリス、イチョウ、イラクサウイキョウ、ウイキョウ、ウスバサイシン、ウツボグサ、ウンシュウミカン、ウコン、エゴノキ、エビスグサ、エンジュ、エンジツ、エゾウコギ、エチナシ、エンメイソウ、オオツヅラフジ、オケラ、オニノヤガラ、オウゴン、オウバク、オウレン、オトギリソウ、オドリコソウ、オランダカラシ、カカオ、カガミグサ、ガジュツ、カタクリ、ガマ、カラスビシャク、カワラケツメイ、カンゾウ、カッコン、カノコソウ、カミツレ、カワラヨモギ、キキョウ、キササゲ、キハダ、キョウチクトウ、キンミズヒキ、キイチゴ、キウイ、キュウリ、クチナシ、クコ、クズ、クスノキ、クマザサ、クララ、クレマティス、クロレラ、ケイノキ、ケシ、ゲンチアナ、ゲンノショウコ、コエンドロ、コガネバチ、ゴシュユ、コーヒーノキ、コブシ、コンフリー、サイシン、サフラン、サルビア、サンシュユ、サボンソウ、サンザシ、サンショウ、ジギタリス、シャクナゲ、シャクヤク、ショウガ、シラン、シア、キノコ（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ  、イリオモテクマゼミタケ、スズキセミタケ、コゴメセミタケ、コニシセミタケ、セミノハリセンボン、セミタケ、ヒグラシタケ、シロセミタケ、トサノセミタケ、イネゴセミタケ、ヒナセミタケ、イシカリセミタケ、アイヌセミタケ、オオセミタケ、アブラゼミタケ、ハヤカワセミタケ、ツブノセミタケ、ウンカハリタケ、ハゴロモツブタケ、アワフキムシタケ、ヨコバイタケ、カイガラムシタケ、カメムシタケ、サナギタケ、タマサナギタケ、シロサナギタケ、オオミノサナギタケ、ヒメサナギタケ、ベニイモムシタケ、イラガハリタケ、エゾサナギタケ、ラクロムシタケ、コガネムシタケ、テッポウムシタケ、ニッコウムシタケ、オグラムシタケ、ミヤマムシタケ、カブヤマツブタケ、オサムシタンポタケ、サヌキクチムシタケ、ムラサキクビオレタケ、コメツキムシタケ、クチキカノツノタケ、オサムシタケ、ゾウムシタケ、ハチタケ、ヒメハリタケ、アリタケ、マルミアリタケ、ケラタケ、ゴキブリタケ、ヤンマタケ、シロアリタケ、ハエヤドリタケ、アブヤドリタケ、オグラクモタケ、ハスノミクモタケ、サンゴクモタケ、ウスジロクモタケ、タイワンハダニツブタケ、ハナヤスリタケ、トウマタンポタケ、セイヨウバッカクタケ、ササバッカクタケ、サンチュウムシタケモドキ、トウマタンポタケ、キビノムシタケモドキ等（清水大典、冬虫夏草図鑑、（１９９７）家の光協会）等）、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ）、サンザシ、サンショウ、シア、ジオウ、シナノキ、シモツケソウ、シャクヤク、ショウブ、シラカバ、シロバナムシヨケギク、スズラン、スイカズラ、セイヨウオトギリソウ、セイヨウキズタ、セイヨウサンザシ、セイヨウニワトコ、セイヨウネズ、セイヨウノコギリソウ、セイヨウハッカ、ゼニアオイ、センキュウ、センブリ、セージ、ソウハクヒ、ソテツ、タイソウ、タイム、タマザキツヅラフジ、チガヤ、チクセツニンジン、チョウセンゴミシ、チンピ、ツルドクダミ、テンダイウヤク、トウガシ、トウキ、トウゴマ、トウワタ、トウキンセンカ、トウニン、トウヒ、ドクダミ、トマト、トルメンチラ、ナンテン、ニガキ、ニワトコ、ニンニク、ハシリドコロ、ハッカ、ハトムギ、バクモンドウ、パセリ、パリエタリア、ハマメリス、ビャクダン、ヒヨス、フキタンポポ、ブクリョウ、ブッチャーブルーム、ブドウ、プルーン、ヘチマ、ベニバナ、ベラドンナ、ホオノキ、ボタン、ポンタピ、ホップ、マツ、マツホド、マロニエ、ミシマサイコ、メリッサ、ママ、ムラサキ、ムラサキオモト、オモト、モヤシ、ヤグルマギク、ヤマゴボウ、ヤマノイモ、ユーカリ、ユズ、ヨクイニン、ヨモギ、ヨウシュチョウセンアサガオ、リンドウ、リンゴ、ルイボス、レタス、レモン、レンゲソウ、ログウ���ド、ローズヒップ、ローズマリー、ローマカミツレ、ロベリア、ワレモコウ、ウイキョウ、クチナシ、ボタン、クロレラ、サルビア、パイン、キラヤステビア、デイゴ、赤キャベツ、紫蘇、モズク、昆布、セリ、アサガオ、アサ、アオキ、アマドコロ、アミガサユリ、ワタ、カヤ、バラ、ブドウ、ネギ、ニンニク、レタス、ホウレンソウ、タマネギ、ダイコン、イネ、オオムギ、コムギ、エンバク、ライムギ、アワ、キビ、ヒエ、シコクビエ、ソバ、ジャガイモ、サツマイモ、インゲン、ライマメ、フジマメ、ナタマメ、エンドウ、ソラマメ、ラッカセイ、クワ、タバコ、テンサイ、キクイモ、シチトウイ、フトイ、カンゾウ、サンカクイ、イグサ、コリヤナギ、アマ、タイマ、チョマ、ボウマ、ツナソ、ケナフ、ロゼルアサ、ノリアサ、ミツマタ、コウゾ、マオラン、シザルアサ、ナタネ、ゴマ、エゴマ、ハゼノキ、ココヤシ、ウルシ、アイタデ、ホップ、コンニャク、トロロアオイ、ケシ、ジョチュウギク、ニホンハッカ、ヒマ、ジギタリス、ミブヨモギ、クラムヨモギ、ロシアムラサキグサ、アメリカアリタソウ、ミシマサイコ、キハダ、ジオウ、オウレン、トウキ、サルトリイバラ、ドクウツギ、セネガ、アオツヅラフジ、クロウメモドキ、クスノキ、アブラギリ、アカクローバー、シロクローバ、アルファルファ、オーチャードグラス、フェスク、ライグラス、チモシー、ソルガム、シバ、西洋シバ、ナス、トウガラシ、ピーマン、ペピーノ、マクワウリ、メロン、シロウリ、スイカ、ヘチマ、カボチャ、ユウガオ、トウガン、ツルレイシ、ハクサイ、カブ、カラシナ、ワサビ、ワサビダイコン、ネギ、リーキ、ラッキョウ、ニラ、ワケギ、アスパラガス、ゴボウアザミ、シュンギク、フキ、アーチチョーク、ミツバ、ハマボウフウ、クレソン、ウド、チョロギ、フダンソウ、オカヒジキ、サトイモ、ヤマノイモ、クワイ、ハス、ジュンサイ、ショウガ、ミョウガ、ツルナ、オクラ、アイスランドポピー、アスター、アンモビウム、エローサルタン、カスミソウ、カルセオラリヤ、キンギョソウ、キンセンカ、キンレイカ、クレオメ、ケイトウ、コスモス、サクラソウ、サルビア、ジニア、シネラリア、スイートピー、スカビオサ、スターチス、ストック、スミレ、センニチコウ、ツキミソウ、デージー、トルコギキョウ、トレニア、ニチニチソウ、ノースポール、ハナビシソウ、バーベナ、ハルシャギク、ヒマワリ、ヒョウタン、フロックス、ペチュニア、ベニバナ、ホウセンカ、ホリホック、マリーゴールド、ムシトリナデシコ、ルドベキア、ルナリア、ルピナス、ワスレナグサ、アガパンサス、アマドコロ、アルメリア、ウケザキクンシラン、オオキンケイギク、オグルマ、オシロイバナ、オダマキ、オモト、カーネーション、ガーベラ、カランコエ、カンパニュラ、キク、ギボウシ、シオン、シバザクラ、宿根カスミソウ、スイレン、ツワブキ、ナルコユリ、ニューサイラン、ニリンソウ、ハナトリカブト、ハラン、ヒオウギ、ピレオギク、フクジュソウ、ペペロミア、ホウズキ、マーガレット、マツバギク、ミセバヤ、ミヤコワスレ、ムギワラギク、ムラサキツユクサ、ヤグルマソウ、ヤブカンゾウ、ヤブラン、ユウゼンギク、リアトリス、アネモネ、アマリリス、アリウム、イリス、カラー、カラジウム、カ���ナ、グラジオラス、グロキシニア、クロッカス、クロユリ、グロリオーサ、コルチカム、シクラメン、スイセン、タマスダレ、ダリヤ、チューリップ、ドイツスズラン、ハマオモト、ヒアシンス、フリージア、ラナンキュラス、リコリス、コルマナリア、サクララン、サボテン、サンセベリヤ、シンビジウム、スパティフィラム、ストレリチア、ディーフェンバキア、デンドロビウム、ナリヤラン、パフィオペディルム、ビルステケラ、ファレノプシス、カンキツ、リンゴ、ナシ、マルメロ、カリン、オウトウ、ユスラウメ、クリ、クルミ、スグリ、キイチゴ、キウイフルーツ、ヤマモモ、アケビ、ナツメ、グミ、ザクロ、ポポー、バナナ、パイナップル、ナツメヤシ、アボカド、マンゴー、パパイア、レンブ、オリーブ、ユッカ、センリョウ、ボタン、ムベ、メギ、ホソバヒイラギナンテン、モクレン、ゴブシ、タイサンボク、アジサイ、バイカウツギ、ウツギ、トベラ、マンサク、ヒュウガミズキ、シモッケ、ヤマブキ、シロヤマブキ、バラ、ハマナス、サクラ、シャリンバイ、ボケ、ビラカンサ、コトネアスター、カイドウ、ナナカマド、ハギ、フジ、ハナズオウ、エニシダ、ポインセチア、ウメモドキ、ムクゲ、フヨウ、マタタビ、ツバキ、サザンカ、ナツツバキ、ビョウヤナギ、ジンチョウゲ、サルスベリ、ヤツデ、アオキ、ハナミヅキ、ブーゲンビレア、ツツジ、シャクナゲ、カルミア、アセビ、ドウダンツツジ、ヤブコウジ、マンリョウ、エゴノキ、キンモクセイ、レンギョウ、ライラック、ブッドレア、ムラサキシキブ、ヤカランダ、クチナシ、サンゴジュ、ガマズミ、カンボク、ハコネウツギ、アベリア、スイカズラ、糠、ビンロウのうちから１〜５種類）０−１０ｗ／ｖ％、加水分解酵母エキス、アルコール（ペンチレングリコール、フェノキシエタノール、フェネチルアルコール、セタノール、１，３−ブチレングリコール）、エステル（酢酸リナリル、酢酸フェネチル、）、アミノ酸（グリシン、アラニン、バリン、ロイシン、イソロイシン、プロリン、セリン、アスパラギン、グルタミン、システイン、リシン、アルギニン等）、加水分解シルク、水溶性コラーゲン、ベタイン、トルマリン、シアノコバラミン、糖（グルコース、シュクロース、キシロース、トレハロース、リブロース、マンノース、ガラクトース、リボース、アラビノース、ラクトース、マルトース、セロビオース等）、生物原料（セラック、ウグイスふん）、塩（グリチルリチン酸２Ｋ、ＰＣＡ−Ｎａ、ＫＯＨ、ＮａＯＨ、Ｃａ（ＯＨ）２）、カルボマー、各０−５ｗ／ｖ％、水（構造水）を加えて１００％とする。
【０１８６】
【実施例４２】
苦汁３ｗ／ｖ％、酸（リン酸、クエン酸、酢酸、木酢酸、アスコルビン酸、安息香酸）／塩（ヒアルロン酸Ｎａ、グリチルリチン酸２Ｋ）５ｗ／ｖ％の混合液を２０００−２００００倍稀釈となるように、以下の混合溶液に添加し、クリーム（５００  ｇ）とした：金／白金／パラジウム／イットリウム／ロジウム／銀／ジルコニウム／ルビジウムの各粒子または箔０−１００ｐｐｍ、植物抽出油（オリーブ、チョウジ、ミツロウ、ホホバ、ナタネ、ククイナッツ、イランイラン、サンダルウッド、パチュリー、ベチバー、クローブ、コリアンダー、シナモン、ブラックペッパー、ローレル、ジャスミン、スパイクラベンダー、ゼラニウム、ネロリ、ラバンジン、ラベンダー、リンデン、ローズ、ローマンカモミール、サイブレス、シダーウッド、ジュニパーベリー、ティートリー、パイン、バーチ、プチグレン、ユーカリ、ローズウッド、オレンジ、グレープフルーツ、シトロネラ、ベルガモット、マンダリン、メリッサ、ライム、レモン、レモナグラス、キャロットシード、クラリセージ、スペアミント、セージ、バジル、ヒソップ、フェンネル、ペパーミント、マージョラム、ヤロウ、ローズマリー、アロエ等のうちから１〜５種類）０−１０ｗ／ｖ％、、植物抽出物（ダイズ、オタネニンジン、シコン、サンショウ、センブリ、タンポポ、ハイビスカス、マロウ、ミント、レモンバーム、ローズヒップス、ローズ、エルダーフラワー、ジャーマンカモミール、ヒソップンデン、アンズ、発芽玄米、ハス、ウメ、ビワ、プラム、ゴボウ、キャベツ、ブロッコリー、長芋、ユキノシタ、セロリー、小豆、糠、オオバク、スギナ、アシタバ、アボカド、アマチャ、アルテア、アルニカ、キダチアロエ、アロエベラ、イタドリ、イノンド、インドジャボク、イラクサ、イリス、イチョウ、イラクサウイキョウ、ウイキョウ、ウスバサイシン、ウツボグサ、ウンシュウミカン、ウコン、エゴノキ、エビスグサ、エンジュ、エンジツ、エゾウコギ、エチナシ、エンメイソウ、オオツヅラフジ、オケラ、オニノヤガラ、オウゴン、オウバク、オウレン、オトギリソウ、オドリコソウ、オランダカラシ、カカオ、カガミグサ、ガジュツ、カタクリ、ガマ、カラスビシャク、カワラケツメイ、カンゾウ、カッコン、カノコソウ、カミツレ、カワラヨモギ、キキョウ、キササゲ、キハダ、キョウチクトウ、キンミズヒキ、キイチゴ、キウイ、キュウリ、クチナシ、クコ、クズ、クスノキ、クマザサ、クララ、クレマティス、クロレラ、ケイノキ、ケシ、ゲンチアナ、ゲンノショウコ、コエンドロ、コガネバチ、ゴシュユ、コーヒーノキ、コブシ、コンフリー、サイシン、サフラン、サルビア、サンシュユ、サボンソウ、サンザシ、サンショウ、ジギタリス、シャクナゲ、シャクヤク、ショウガ、シラン、シア、キノコ（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ、イリオモテクマゼミタケ、スズキセミタケ��コゴメセミタケ、コニシセミタケ、セミノハリセンボン、セミタケ、ヒグラシタケ、シロセミタケ、トサノセミタケ、イネゴセミタケ、ヒナセミタケ、イシカリセミタケ、アイヌセミタケ、オオセミタケ、アブラゼミタケ、ハヤカワセミタケ、ツブノセミタケ、ウンカハリタケ、ハゴロモツブタケ、アワフキムシタケ、ヨコバイタケ、カイガラムシタケ、カメムシタケ、サナギタケ、タマサナギタケ、シロサナギタケ、オオミノサナギタケ、ヒメサナギタケ、ベニイモムシタケ、イラガハリタケ、エゾサナギタケ、ラクロムシタケ、コガネムシタケ、テッポウムシタケ、ニッコウムシタケ、オグラムシタケ、ミヤマムシタケ、カブヤマツブタケ、オサムシタンポタケ、サヌキクチムシタケ、ムラサキクビオレタケ、コメツキムシタケ、クチキカノツノタケ、オサムシタケ、ゾウムシタケ、ハチタケ、ヒメハリタケ、アリタケ、マルミアリタケ、ケラタケ、ゴキブリタケ、ヤンマタケ、シロアリタケ、ハエヤドリタケ、アブヤドリタケ、オグラクモタケ、ハスノミクモタケ、サンゴクモタケ、ウスジロクモタケ、タイワンハダニツブタケ、ハナヤスリタケ、トウマタンポタケ、セイヨウバッカクタケ、ササバッカクタケ、サンチュウムシタケモドキ、トウマタンポタケ、キビノムシタケモドキ等（清水大典、冬虫夏草図鑑、（１９９７）家の光協会）等）、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）  Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ）、サンザシ、サンショウ、シア、ジオウ、シナノキ、シモツケソウ、シャクヤク、ショウブ、シラカバ、シロバナムシヨケギク、スズラン、スイカズラ、セイヨウオトギリソウ、セイヨウキズタ、セイヨウサンザシ、セイヨウニワトコ、セイヨウネズ、セイヨウノコギリソウ、セイヨウハッカ、ゼニアオイ、センキュウ、センブリ、セージ、ソウハクヒ、ソテツ、タイソウ、タイム、タマザキツヅラフジ、チガヤ、チクセツニンジン、チョウセンゴミシ、チンピ、ツルドクダミ、テンダイウヤク、トウガシ、トウキ、トウゴマ、トウワタ、トウキンセンカ、トウニン、トウヒ、ドクダミ、トマト、トルメンチラ、ナンテン、ニガキ、ニワトコ、ニンニク、ハシリドコロ、ハッカ、ハトムギ、バクモンドウ、パセリ、パリエタリア、ハマメリス、ビャクダン、ヒヨス、フキタンポポ、ブクリョウ、ブッチャーブルーム、ブドウ、プルーン、ヘチマ、ベニバナ、ベラドンナ、ホオノキ、ボタン、ポンタピ、ホップ、マツ、マツホド、マロニエ、ミシマサイコ、メリッサ、ママ、ムラサキ、ムラサキオモト、オモト、モヤシ、ヤグルマギク、ヤマゴボウ、ヤマノイモ、ユーカリ、ユズ、ヨクイニン、ヨモギ、ヨウシュチョウセンアサガオ、リンドウ、リンゴ、ルイボス、レタス、レモン、レンゲソウ、ログウッド、ローズヒップ、ローズマリー、ローマカミツレ、ロベリア、ワレモコウ、ウイキョウ、クチナシ、ボタン、クロレラ、サルビア、パイン、キラヤステビア、デイゴ、赤キャベツ、紫蘇、モズク、昆布、セリ、アサガオ、アサ、アオキ、アマドコロ、アミガサユリ、ワタ、カヤ、バラ、ブドウ、ネギ、ニンニク、レタス、ホウレンソウ、タマネギ、ダイコン、イネ、オオムギ、コムギ、エンバク、ライムギ、アワ、キビ、ヒエ、シコクビエ、ソバ、ジャガイモ、サツマイモ、インゲン、ライマメ、フジマメ、ナタマメ、エンドウ、ソラマメ、ラッカセイ、クワ、タバコ、テンサイ、キクイモ、シチトウイ、フトイ、カンゾウ、サンカクイ、イグサ、コリヤナギ、アマ、タイマ、チョマ、ボウマ、ツナソ、ケナフ、ロゼルアサ、ノリアサ、ミツマタ、コウゾ、マオラン、シザルアサ、ナタネ、ゴマ、エゴマ、ハゼノキ、ココヤシ、ウルシ、アイタデ、ホップ、コンニャク、トロロアオイ、ケシ、ジョチュウギク、ニホンハッカ、ヒマ、ジギタリス、ミブヨモギ、クラムヨモギ、ロシアムラサキグサ、アメリカアリタソウ、ミシマサイコ、キハダ、ジオウ、オウレン、トウキ、サルトリイバラ、ドクウツギ、セネガ、アオツヅラフジ、クロウメモドキ、クスノキ、アブラギリ、アカクローバー、シロクローバ、アルファルファ、オーチャードグラス、フェスク、ライグラス、チモシー、ソルガム、シバ、西洋シバ、ナス、トウガラシ、ピーマン、ペピーノ、マクワウリ、メロン、シロウリ、スイカ、ヘチマ、カボチャ、ユウガオ、トウガン、ツルレイシ、ハクサイ、カブ、カラシナ、ワサビ、ワサビダイコン、ネギ、リーキ、ラッキョウ、ニラ、ワケギ、アスパラガス、ゴボウアザミ、シュンギク、フキ、アーチチョーク、ミツバ、ハマボウフウ、クレソン、ウド、チョロギ、フダンソウ、オカヒジキ、サトイモ、ヤマノイモ、クワイ、ハス、ジュンサイ、ショウガ、ミョウガ、ツルナ、オクラ、アイスランドポピー、アスター、アンモビウム、エローサルタン、カスミソウ、カルセオラリヤ、キンギョソウ、キンセンカ、キンレイカ、クレオメ、ケイトウ、コスモス、サクラソウ、サルビア、ジニア、シネラリア、スイートピー、スカビオサ、スターチス、ストック、スミレ、センニチコウ、ツキミソウ、デージー、トルコギキョウ、トレニア、ニチニチソウ、ノースポール、ハナビシソウ、バーベナ、ハルシャギク、ヒマワリ、ヒョウタン、フロックス、ペチュニア、ベニバナ、ホウセンカ、ホリホック、マリーゴールド、ムシトリナデシコ、ルドベキア、ルナリア、ルピナス、ワスレナグサ、アガパンサス、アマドコロ、アルメリア、ウケザキクンシラン、オオキンケイギク、オグルマ、オシロイバナ、オダマキ、オモト、カーネーション、ガーベラ、カランコエ、カンパニュラ、キク、ギボウシ、シオン、シバザクラ、宿根カスミソウ、スイレン、ツワブキ、ナルコユリ、ニューサイラン、ニリンソウ、ハナトリカブト、ハラン、ヒオウギ、ピレオギク、フクジュソウ、ペペロミア、ホウズキ、マーガレット、マツバギク、ミセバヤ、ミヤコワスレ、ムギワラギク、ムラサキツユクサ、ヤグルマソウ、ヤブカンゾウ、ヤブラン、ユウゼンギク、リアトリス、アネモネ、アマリリス、アリウム、イリス、カラー、カラジウム、カンナ、グラジオラス、グロキシニア、クロッカス、クロユリ、グロリオーサ、コルチカム、シクラメン、スイセン、タマスダレ、ダリヤ、チューリップ、ドイツスズラン、ハマオモト、ヒアシンス、フリージア、ラナンキュラス、リコリス、コルマナリア、サクララン、サボテン、サンセベリヤ、シンビジウム、スパティフィラム、ストレリチア、ディーフェンバキア、デンドロビウム、ナリヤラン、パフィオペディルム、ビルステケラ、ファレノプシス、カンキツ、リンゴ、ナシ、マルメロ、カリン、オウトウ、ユスラウメ、クリ、クルミ、スグリ、キイチゴ、キウイフルーツ、ヤマモモ、アケビ、ナツメ、グミ、ザクロ、ポポー、バナナ、パイナップル、ナツメヤシ、アボカド、マンゴー、パパイア、レンブ、オリーブ、ユッカ、センリョウ、ボタン、ムベ、メギ、ホソバヒイラギナンテン、モクレン、ゴブシ、タイサンボク、アジサイ、バイカウツギ、ウツギ、トベラ、マンサク、ヒュウガミズキ、シモッケ、ヤマブキ、シロヤマブキ、バラ、ハマナス、サクラ、シャリンバイ、ボケ、ビラカンサ、コトネアスター、カイドウ、ナナカマド、ハギ、フジ、ハナズオウ、エニシダ、ポインセチア、ウメモドキ、ムクゲ、フヨウ、マタタビ、ツバキ、サザンカ、ナツツバキ、ビョウヤナギ、ジンチョウゲ、サルスベリ、ヤツデ、アオキ、ハナミヅキ、ブーゲンビレア、ツツジ、シャクナゲ、カルミア、アセビ、ドウダンツツジ、ヤブコウジ、マンリョウ、エゴノキ、キンモクセイ、レンギョウ、ライラック、ブッドレア、ムラサキシキブ、ヤカランダ、クチナシ、サンゴジュ、ガマズミ、カンボク、ハコネウツギ、アベリア、スイカズラ、ビンロウのうちから１〜５種類）０−１０ｗ／ｖ％、加水分解酵母エキス、アルコール（ペンチレングリコール、フェノキシエタノール、フェネチルアルコール、セタノール、ベヘニルアルコール、１，３−ブチレングリコール）、エステル（酢酸リナリル、酢酸フェネチル、ステアリン酸グリセリル、セスキオレイン酸ソルビタン、ステアリン酸ＰＥＧ−１０グリセリル、ステアリン酸ＰＥＧ−２０グリセリル）、アミノ酸（グリシン、アラニン、バリン、ロイシン、イソロイシン、プロリン、セリン、アスパラギン、グルタミン、システイン、リシン、アルギニン等）、加水分解シルク、水溶性コラーゲン、ビタミンＡ、顔料（酸化チタン、酸化鉄、酸化亜鉛、カオリン）、塩（グリチルリチン酸２Ｋ、ＰＣＡ−Ｎａ、ＫＯＨ、ＮａＯＨ、Ｃａ（ＯＨ）２）、スクワラン、オレイン酸イソデシル、カルボマー、各０−５ｗ／ｖ％、水（構造水）を加えて１００％とする。
【０１８７】
【実施例４３】
苦汁３ｗ／ｖ％、酸（リン酸、クエン酸、酢酸、木酢酸、アスコルビン酸、安息香酸のうちから０〜３種類）／塩（ヒアルロン酸Ｎａ、グリチルリチン酸２Ｋ）５ｗ／ｖ％の混合液を２０００−２００００倍稀釈となるように、以下の混合溶液に添加し、クリーム（５００  ｇ）とした：金／白金／パラジウム／イットリウム／ロジウム／銀／ジルコニウム／ルビジウムの各粒子または箔０−１００ｐｐｍ、植物抽出油（オリーブ、チョウジ、ミツロウ、ホホバ、ナタネ、ククイナッツ、イランイラン、サンダルウッド、パチュリー、ベチバー、クローブ、コリアンダー、シナモン、ブラックペッパー、ローレル、ジャスミン、スパイクラベンダー、ゼラニウム、ネロリ、ラバンジン、ラベンダー、リンデン、ローズ、ローマンカモミール、サイブレス、シダーウッド、ジュニパーベリー、ティートリー、パイン、バーチ、プチグレン、ユーカリ、ローズウッド、オレンジ、グレープフルーツ、シトロネラ、ベルガモット、マンダリン、メリッサ、ライム、レモン、レモナグラス、キャロットシード、クラリセージ、スペアミント、セージ、バジル、ヒソップ、フェンネル、ペパーミント、マージョラム、ヤロウ、ローズマリー、アロエ等のうちから１〜５種類）０−１０％、、植物抽出物（ダイズ、オタネニンジン、シコン、サンショウ、センブリ、タンポポ、ハイビスカス、マロウ、ミント、レモンバーム、ローズヒップス、ローズ、エルダーフラワー、ジャーマンカモミール、ヒソップンデン、アンズ、発芽玄米、ハス、ウメ、ビワ、プラム、ゴボウ、キャベツ、ブロッコリー、長芋、ユキノシタ、セロリー、小豆、糠、オオバク、スギナ、アシタバ、アボカド、アマチャ、アルテア、アルニカ、キダチアロエ、アロエベラ、イタドリ、イノンド、インドジャボク、イラクサ、イリス、イチョウ、イラクサウイキョウ、ウイキョウ、ウスバサイシン、ウツボグサ、ウンシュウミカン、ウコン、エゴノキ、エビスグサ、エンジュ、エンジツ、エゾウコギ、エチナシ、エンメイソウ、オオツヅラフジ、オケラ、オニノヤガラ、オウゴン、オウバク、オウレン、オトギリソウ、オドリコソウ、オランダカラシ、カカオ、カガミグサ、ガジュツ、カタクリ、ガマ、カラスビシャク、カワラケツメイ、カンゾウ、カッコン、カノコソウ、カミツレ、カワラヨモギ、キキョウ、キササゲ、キハダ、キョウチクトウ、キンミズヒキ、キイチゴ、キウイ、キュウリ、クチナシ、クコ、クズ、クスノキ、クマザサ、クララ、クレマティス、クロレラ、ケイノキ、ケシ、ゲンチアナ、ゲンノショウコ、コエンドロ、コガネバチ、ゴシュユ、コーヒーノキ、コブシ、コンフリー、サイシン、サフラン、サルビア、サンシュユ、サボンソウ、サンザシ、サンショウ、ジギタリス、シャクナゲ、シャクヤク、ショウガ、シラン、シア、キノコ（アガリクス・ブラゼイ・ムリル（Ａｇａｒｉｃｕｓ  ｂｌａｚｅｉ  Ｍｕｒｒｉｌｌ）、アガリクス・シルバチカス・シェファー（Ａｇａｒｉｃｕｓ  ｓｉｌｖａｔｉｃｕｓ  Ｓｈａｅｆｆｅｒ）、冬虫夏草（Ｃｏｒｄｙｃｅｐｓ  ｓｉｎｅｎｓｉｓ  （Ｂｅｒｋｌｅｙ）  Ｓａｃｃａｒｄｏ，  Ｃｏｒｄｙｃｅｐｓ  ｓｏｂｏｌｉｆｅｒａ  （Ｈｉｌｌ．）  Ｂｅｒｋ．  ｅｔ  Ｂｒｏｏｍｅ  、イリオモテクマゼミタケ、スズキセミタケ、コゴメセミタケ、コニシセミタケ、セミノハリセンボン、セミタケ、ヒグラシタケ、シロセミタケ、トサノセミタケ、イネゴセミタケ、ヒナセミタケ、イシカリセミタケ、アイヌセミタケ、オオセミタケ、アブラゼミタケ、ハヤカワセミタケ、ツブノセミタケ、ウンカハリタケ、ハゴロモツブタケ、アワフキムシタケ、ヨコバイタケ、カイガラムシタケ、カメムシタケ、サナギタケ、タマサナギタケ、シロサナギタケ、オオミノサナギタケ、ヒメサナギタケ、ベニイモムシタケ、イラガハリタケ、エゾサナギタケ、ラクロムシタケ、コガネムシタケ、テッポウムシタケ、ニッコウムシタケ、オグラムシタケ、ミヤマムシタケ、カブヤマツブタケ、オサムシタンポタケ、サヌキクチムシタケ、ムラサキクビオレタケ、コメツキムシタケ、クチキカノツノタケ、オサムシタケ、ゾウムシタケ、ハチタケ、ヒメハリタケ、アリタケ、マルミアリタケ、ケラタケ、ゴキブリタケ、ヤンマタケ、シロアリタケ、ハエヤドリタケ、アブヤドリタケ、オグラクモタケ、ハスノミクモタケ、サンゴクモタケ、ウスジロクモタケ、タイワンハダニツブタケ、ハナヤスリタケ、トウマタンポタケ、セイヨウバッカクタケ、ササバッカクタケ、サンチュウムシタケモドキ、トウマタンポタケ、キビノムシタケモドキ等（清水大典、冬虫夏草図鑑、（１９９７）家の光協会）等）、ハナビラタケ（Ｓｐａｒａｓｓｉｓ  ｃｒｉｓｐａ）、メシマコブ（Ｐｈｅｌｌｉｎｕｓ  ｙｕｃａｔｅｎｓｉｓ）、ヤマブシタケ（Ｈｅｒｉｃｉｕｍ  ｅｒｉｎａｃｅｕｍ  （Ｂｕｌｌ．  ｅｘ  Ｆｒ．）Ｐｅｒｓ）、クロアワビタケ（Ｐｌｅｕｒｏｔｕｓ  ａｂａｌｏｎｕｓ  Ｈａｎ，  Ｃｈｅｎ  ｅｔ  Ｃｈｅｎｇ）、樺のアナ茸、シイタケ、マツタケ、マイタケ、エノキダケ、ナメコ、マッシュルーム、ホンシメジ、エリンギ、ブナシメジ、キクラゲ、サルノコシカケ、レイシ、クロトュフ（Ｔｕｂｅｒ  ｍｅｌａｎｏｓｐｏｒｕｍ）、シロトリュフ）、サンザシ、サンショウ、シア、ジオウ、シナノキ、シモツケソウ、シャクヤク、ショウブ、シラカバ、シロバナムシヨケギク、スズラン、スイカズラ、セイヨウオトギリソウ、セイヨウキズタ、セイヨウサンザシ、セイヨウニワトコ、セイヨウネズ、セイヨウノコギリソウ、セイヨウハッカ、ゼニアオイ、センキュウ、センブリ、セージ、ソウハクヒ、ソテツ、タイソウ、タイム、タマザキツヅラフジ、チガヤ、チクセツニンジン、チョウセンゴミシ、チンピ、ツルドクダミ、テンダイウヤク、トウガシ、トウキ、トウゴマ、トウワタ、トウキンセンカ、トウニン、トウヒ、ドクダミ、トマト、トルメンチラ、ナンテン、ニガキ、ニワトコ、ニンニク、ハシリドコロ、ハッカ、ハトムギ、バクモンドウ、パセリ、パリエタリア、ハマメリス、ビャクダン、ヒヨス、フキタンポポ、ブクリョウ、ブッチャーブルーム、ブドウ、プルーン、ヘチマ、ベニバナ、ベラドンナ、ホオノキ、ボタン、ポンタピ、ホップ、マツ、マツホド、マロニエ、ミシマサイコ、メリッサ、ママ、ムラサキ、ムラサキオモト、オモト、モヤシ、ヤグルマギク、ヤマゴボウ、ヤマノイモ、ユーカリ、ユズ、ヨクイニン、ヨモギ、ヨウシュチョウセンアサガオ、リンドウ、リンゴ、ルイボス、レタス、レモン、レンゲソウ、ログウッド、ローズヒップ、ローズマリー、ローマカミツレ、ロベリア、ワレモコウ、ウイキョウ、クチナシ、ボタン、クロレラ、サルビア、パイン、キラヤステビア、デイゴ、赤キャベツ、紫蘇、モズク、昆布、セリ、アサガオ、アサ、アオキ、アマドコロ、アミガサユリ、ワタ、カヤ、バラ、ブドウ、ネギ、ニンニク、レタス、ホウレンソウ、タマネギ、ダイコン、イネ、オオムギ、コムギ、エンバク、ライムギ、アワ、キビ、ヒエ、シコクビエ、ソバ、ジャガイモ、サツマイモ、インゲン、ライマメ、フジマメ、ナタマメ、エンドウ、ソラマメ、ラッカセイ、クワ、タバコ、テンサイ、キクイモ、シチトウイ、フトイ、カンゾウ、サンカクイ、イグサ、コリヤナギ、アマ、タイマ、チョマ、ボウマ、ツナソ、ケナフ、ロゼルアサ、ノリアサ、ミツマタ、コウゾ、マオラン、シザルアサ、ナタネ、ゴマ、エゴマ、ハゼノキ、ココヤシ、ウルシ、アイタデ、ホップ、コンニャク、トロロアオイ、ケシ、ジョチュウギク、ニホンハッカ、ヒマ、ジギタリス、ミブヨモギ、クラムヨモギ、ロシアムラサキグサ、アメリカアリタソウ、ミシマサイコ、キハダ、ジオウ、オウレン、トウキ、サルトリイバラ、ドクウツギ、セネガ、アオツヅラフジ、クロウメモドキ、クスノキ、アブラギリ、アカクローバー、シロクローバ、アルファルファ、オーチャードグラス、フェスク、ライグラス、チモシー、ソルガム、シバ、西洋シバ、ナス、トウガラシ、ピーマン、ペピーノ、マクワウリ、メロン、シロウリ、スイカ、ヘチマ、カボチャ、ユウガオ、トウガン、ツルレイシ、ハクサイ、カブ、カラシナ、ワサビ、ワサビダイコン、ネギ、リーキ、ラッキョウ、ニラ、ワケギ、アスパラガス、ゴボウアザミ、シュンギク、フキ、アーチチョーク、ミツバ、ハマボウフウ、クレソン、ウド、チョロギ、フダンソウ、オカヒジキ、サトイモ、ヤマノイモ、クワイ、ハス、ジュンサイ、ショウガ、ミョウガ、ツルナ、オクラ、アイスランドポピー、アスター、アンモビウム、エローサルタン、カスミソウ、カルセオラリヤ、キンギョソウ、キンセンカ、キンレイカ、クレオメ、ケイトウ、コスモス、サクラソウ、サルビア、ジニア、シネラリア、スイートピー、スカビオサ、スターチス、ストック、スミレ、センニチコウ、ツキミソウ、デージー、トルコギキョウ、トレニア、ニチニチソウ、ノースポール、ハナビシソウ、バーベナ、ハルシャギク、ヒマワリ、ヒョウタン、フロックス、ペチュニア、ベニバナ、ホウセンカ、ホリホック、マリーゴールド、ムシトリナデシコ、ルドベキア、ルナリア、ルピナス、ワスレナグサ、アガパンサス、アマドコロ、アルメリア、ウケザキクンシラン、オオキンケイギク、オグルマ、オシロイバナ、オダマキ、オモト、カーネーション、ガーベラ、カランコエ、カンパニュラ、キク、ギボウシ、シオン、シバザクラ、宿根カスミソウ、スイレン、ツワブキ、ナルコユリ、ニューサイラン、ニリンソウ、ハナトリカブト、ハラン、ヒオウギ、ピレオギク、フクジュソウ、ペペロミア、ホウズキ、マーガレット、マツバギク、ミセバヤ、ミヤコワスレ、ムギワラギク、ムラサキツユクサ、ヤグルマソウ、ヤブカンゾウ、ヤブラン、ユウゼンギク、リアトリス、アネモネ、アマリリス、アリウム、イリス、カラー、カラジウム、カンナ、グラジオラス、グロキシニア、クロッカス、クロユリ、グロリオーサ、コルチカム、シクラメン、スイセン、タマスダレ、ダリヤ、チューリップ、ドイツスズラン、ハマオモト、ヒアシンス、フリージア、ラナンキュラス、リコリス、コルマナリア、サクララン、サボテン、サンセベリヤ、シンビジウム、スパティフィラム、ストレリチア、ディーフェンバキア、デンドロビウム、ナリヤラン、パフィオペディルム、ビルステケラ、ファレノプシス、カンキツ、リンゴ、ナシ、マルメロ、カリン、オウトウ、ユスラウメ、クリ、クルミ、スグリ、キイチゴ、キウイフルーツ、ヤマモモ、アケビ、ナツメ、グミ、ザクロ、ポポー、バナナ、パイナップル、ナツメヤシ、アボカド、マンゴー、パパイア、レンブ、オリーブ、ユッカ、センリョウ、ボタン、ムベ、メギ、ホソバヒイラギナンテン、モクレン、ゴブシ、タイサンボク、アジサイ、バイカウツギ、ウツギ、トベラ、マンサク、ヒュウガミズキ、シモッケ、ヤマブキ、シロヤマブキ、バラ、ハマナス、サクラ、シャリンバイ、ボケ、ビラカンサ、コトネアスター、カイドウ、ナナカマド、ハギ、フジ、ハナズオウ、エニシダ、ポインセチア、ウメモドキ、ムクゲ、フヨウ、マタタビ、ツバキ、サザンカ、ナツツバキ、ビョウヤナギ、ジンチョウゲ、サルスベリ、ヤツデ、アオキ、ハナミヅキ、ブーゲンビレア、ツツジ、シャクナゲ、カルミア、アセビ、ドウダンツツジ、ヤブコウジ、マンリョウ、エゴノキ、キンモクセイ、レンギョウ、ライラック、ブッドレア、ムラサキシキブ、ヤカランダ、クチナシ、サンゴジュ、ガマズミ、カンボク、ハコネウツギ、アベリア、スイカズラ、ビンロウのうちから１〜５種類）０−１０ｗ／ｖ％、加水分解酵母エキス、アルコール（ペンチレングリコール、フェノキシエタノール、フェネチルアルコール、セタノール、ベヘニルアルコール、１，３−ブチレングリコールのうち１〜４種類）、エステル（酢酸リナリル、酢酸フェネチル、ステアリン酸グリセリル、セスキオレイン酸ソルビタン、ステアリン酸ＰＥＧ−１０グリセリル、ステアリン酸ＰＥＧ−２０グリセリルのうち１〜４種類）、アミノ酸（グリシン、アラニン、バリン、ロイシン、イソロイシン、プロリン、セリン、アスパラギン、グルタミン、システイン、リシン、アルギニン、ヒスチジン、アスパラギン酸、グルタミン酸、トレオニン、チロシン、トリプトファン、フェニルアラニン、メチオニン等のうち１〜４種類）、保湿成分（加水分解シルク、水溶性コラーゲン等のうち１〜２種類）、顔料（酸化チタン、水酸化クロム、黄酸化鉄、カオリン等のうち１〜４種類）、塩（グリチルリチン酸２Ｋ、ＰＣＡ−Ｎａ、ＫＯＨ、ＮａＯＨ、Ｃａ（ＯＨ）２  等のうち１〜４種類）、エモリエント成分（ビタミンＡ、スクワラン、硫酸Ｂａ、酪酸ジヒドロコレステリル、酪酸コレステリル、ラノリン酸脂肪酸エクチルドデシルヒドロキシルステアリン酸コレステリル、ジステアリン酸グリコール等のうち１〜４種類）、乳化成分（オレイン酸イソデシル、セスキオレイン酸ソルビタン、ステアリン酸グリセル、ステアリン酸ＰＧ、テトラオレイン酸ソルベス−６０、トリオレイン酸ソルビタン、ベヘニルアルコール、ポリクオタニウム−７、ポリソルベート−６０、ラウリルアルコ���ル等のうち１〜４種類）、安定化成分（カルボマー等）、各０−５ｗ／ｖ％、水（構造水）を加えて１００％とする。
【０１８８】
【実施例４４】
苦汁３ｗ／ｖ％、酸（リン酸、クエン酸）３％の混合液を１００００倍稀釈となるように、以下の混合溶液に添加し、ＵＶリキッドファンデーション（５００  ｇ）とした：金／白金／パラジウム／イットリウム／ロジウム／銀／ジルコニウム／ルビジウムの各粒子または箔３０ｐｐｍ、油性エモリエント成分（メチルポリシロキサン１０．００ｗ／ｖ％，  デカメチルシクロペンタシロキサン  ３．００ｗ／ｖ％，  オクタメチルシクロテトラシロキサン  １０．５０ｗ／ｖ％，  サラシミツロウ  ０．５ｗ／ｖ％）、着色成分（メチルハイドロジェンポリシロキサン処理黄酸化鉄  １０  ｐｐｍ，  メチルハイドロジェンポリシロキサン処理ベンガラ  １０  ｐｐｍ，  黒酸化鉄  １０  ｐｐｍ，  酸化チタン  １０  ｐｐｍ，  メチルハイドロジェンポリシロキサン・流動パラフィン処理酸化チタン  １０  ｐｐｍ，  メチルハイドロジェンポリシロキサン・流動パラフィン処理タルク  １０  ｐｐｍ）、保湿成分（水溶性コラーゲン  ０．０１ｗ／ｖ％，  ヒアルロン酸Ｎａ  ０．０１ｗ／ｖ％，  プロピレングリコール  １０．４０ｗ／ｖ％，  セージエキス  ０．０５ｗ／ｖ％）、感触改良成分（ナイロンパウダー  ２．５０ｗ／ｖ％）、サンスクリーン成分（ｐ−ジメチルアミノ安息香酸エステル  １．００ｗ／ｖ％）、防腐剤（フェノキシエタノール  １０  ｐｐｍ，  パラベン  ０．２０ｗ／ｖ％）、乳化安定剤（有機変性ヘクトライト  ０．１０ｗ／ｖ％）、酸化防止剤（ＢＨＴ  ０．０２ｗ／ｖ％）。
【０１８９】
【実施例４５】
苦汁）３ｗ／ｖ％、酸（リン酸、クエン酸）３ｗ／ｖ％の混合液を１００００倍稀釈となるように、以下の混合溶液に添加し、クリームファンデーション（５００  ｇ）とした：金箔３０ｐｐｍ、ステアリン酸  １．９４ｗ／ｖ％，  セタノール  ０．８５ｗ／ｖ％，  ラノリン  １．９４ｗ／ｖ％，  流動パラフィン  １１．６４ｗ／ｖ％，  １，３−−ブチレングリコール  ９．３／ｗｖ％，  水溶性コラーゲン  ０．１ｗ／ｖ％，  酸化チタン  １０  ｐｐｍ，  カオリン  １０  ｐｐｍ，  水酸化クロム  １０  ｐｐｍ，黄酸化鉄  １０  ｐｐｍ，  自己乳化型モノステアリン酸グリセリン  １．３ｗ／ｖ％，  セスキオレイン酸ソルビタン  ０．５８ｗ／ｖ％，  モノステアリン酸ＰＯＥソルビタン  ２．２５ｗ／ｖ％，  パラベン  ０．１５ｗ／ｖ％，  水酸化カリウム  ０．１３ｗ／ｖ％，  ビタミンＥ  ０．０２ｗ／ｖ％。金／銀／プラチナ／パラジウム／イットリウム／ロジウム／銅／モリブデン／レニウム／ジルコニウム／ルテニウム／イリジウム／亜鉛／ニッケル／オスミウム／チタン／ニオブ／アルミニウム／マンガン／バナジウム等の粒子、粉末、繊維、箔、ゾル、ゲル、ミセルを０−１０００ｐｐｍ添加することも可能である。
【０１９０】
【実施例４６】
苦汁（主成分：微量要素）３ｗ／ｖ％、酸（リン酸、クエン酸）３ｗ／ｖ％の混合液を１００００倍稀釈となるように、以下の混合溶液に添加し、シミ・そばかす・くすみ・ほくろ除去剤（５００  ｇ）とした：金／白金／パラジウム／イットリウム／ロジウム／銀／ジルコニウム／ルビジウムの各粒子または箔０−３０ｐｐｍ、グリコール酸  ３−２０ｗ／ｖ％，  エタノール  ０−７０ｖ／ｖ％。シミ・そばかす・くすみ等の位置に綿棒等で擦り込む。１日３−６回を３−７日間程度繰り返すことによってシミ・そばかす・くすみの層は酸化されます。ほくろは擦り込みを５−１０日間程度繰り返して酸化させます。酸化された傷跡は完全に消失するまで２−４ケ月程度かかります。飲んだり、目や粘膜、傷口等には付けないこと。付いた場合は、直ちに流水で完全に洗浄すること。
【０１９１】
【実施例４７】
あらかじめ、水で稀釈して苦汁３ｗ／ｖ％、鉱酸３ｗ／ｖ％の洗浄液を調整し、実施例４の処理水中に、１００００倍稀釈で加え、稀釈液とした。脂肪酸ナトリウム２０−９０ｗ／ｖ％、木酢酸１−１５ｗ／ｖ％を配合し、洗浄剤（石鹸）とした。アミノ酸０−１０ｗ／ｖ％、保湿剤０−５ｗ／ｖ％、金／白金／パラジウム／イットリウム／ロジウム／銀／ジルコニウム／ルビジウムの各粒子または箔０−１００ｐｐｍ等を配合することも可能である。
【０１９２】
【実施例４８】
あらかじめ、水で稀釈して苦汁３ｗ／ｖ％、鉱酸３ｗ／ｖ％の洗浄液を調整し、実施例４の処理水中に、１００００倍稀釈で加え、洗浄液とした。本洗浄液は、野菜、花卉園芸植物の洗浄に使用することによって鮮度保持が可能となる。また、生鮮食品、鮮魚、生肉、加工肉、加工食品の洗浄に使用することによっても、鮮度保持効果が発現する。
【０１９３】
【実施例４９】
あらかじめ、水で稀釈して苦汁３ｗ／ｖ％、鉱酸３ｗ／ｖ％の洗浄液を調整し、実施例４の処理水中に、１００００倍稀釈で加え、洗浄液とした。本洗浄剤を、堆肥に散布することによって、放線菌、好気性菌の生育が促進され、清浄な堆肥発酵が可能となる。
【０１９４】
【実施例５０】
あらかじめ、水で稀釈して苦汁３ｗ／ｖ％、鉱酸３ｗ／ｖ％の洗浄液を調整し、実施例４の処理水中に、１００００倍稀釈で加え、洗浄液とした。本洗浄剤を、生ゴミ処理機中の生ゴミに散布することによって、放線菌、好気性菌の生育が促進され、清浄で、効率の良い（ｚｅｒｏ  ｅｍｉｓｓｉｏｎ）生ゴミ発酵が可能となる。
【０１９５】
【実施例５１】
苦汁（主成分：微量要素）３ｗ／ｖ％、酸（リン酸、クエン酸、アスコルビン酸）３ｗ／ｖ％の混合液を１００００倍稀釈となるように、以下の混合溶液に添加し、シミ・そばかす・くすみ・ほくろ除去剤（５００  ｇ）とした：金／白金／パラジウム／イットリウム／ロジウム／銀／ジルコニウム／ルビジウムの各粒子または箔０−３０ｐｐｍ、ハイドロキノン  ５ｗ／ｖ％、乳酸７ｗ／ｖ％、エタノール  ０−２０ｖ／ｖ％。シミ・そばかす・くすみ等の位置に綿棒等で擦り込む。１日３−６回を３−７日間程度繰り返すことによってシミ・そばかす・くすみの層は酸化されます。ほくろは擦り込みを５−１０日間程度繰り返して酸化させます。酸化された傷跡は完全に消失するまで１ケ月程度かかります。飲んだり、目や粘膜、傷口等には付けないこと。付いた場合は、直ちに流水で完全に洗浄すること。
【０１９６】
【実施例５２】
苦汁（主成分：微量要素）３ｗ／ｖ％、酸（リン酸、クエン酸、タンニン酸、ポリグルタミン酸）３−６０ｗ／ｖ％の混合液を１００００倍稀釈となるようにし、水質浄化剤とした。河川・湖沼の浄化、水槽、風呂の浄化に有効である。
【０１９７】
【実施例５３】
深層水を濃縮して得られる苦汁（主成分：微量要素）３％、酸（リン酸、クエン酸）３％の混合液を１００００倍稀釈となるように、以下の混合溶液に添加し、ＵＶリキッドファンデーション（５００  ｇ）とした：金／白金／パラジウム／イットリウム／ロジウム／銀／ジルコニウム／ルビジウムの各粒子または箔３０ｐｐｍ、油性エモリエント成分（メチルポリシロキサン１０．００％，  デカメチルシクロペンタシロキサン  ３．００％，  オクタメチルシクロテトラシロキサン  １０．５０％，  サラシミツロウ  ０．５％）、着色成分（メチルハイドロジェンポリシロキサン処理黄酸化鉄  １０  ｐｐｍ，  メチルハイドロジェンポリシロキサン処理ベンガラ  １０  ｐｐｍ，  黒酸化鉄  １０  ｐｐｍ，  酸化チタン  １０  ｐｐｍ，  メチルハイドロジェンポリシロキサン・流動パラフィン処理酸化チタン  １０  ｐｐｍ，  メチルハイドロジェンポリシロキサン・流動パラフィン処理タルク  １０  ｐｐｍ）、保湿成分（水溶性コラーゲン  ０．０１％，  ヒアルロン酸Ｎａ  ０．０１％，  プロピレングリコール  １０．４０％，  セージエキス  ０．０５％）、感触改良成分（ナイロンパウダー  ２．５０％）、サンスクリーン成分（ｐ−ジメチルアミノ安息香酸エステル  １．００％）、防腐剤（フェノキシエタノール  １０  ｐｐｍ，  パラベン  ０．２０％）、乳化安定剤（有機変性ヘクトライト  ０．１０％）、酸化防止剤（ＢＨＴ  ０．０２％）。
【０１９８】
【実施例５４】
深層水を濃縮して得られる苦汁（主成分：微量要素）３％、酸（リン酸、クエン酸）３％の混合液を１００００倍稀釈となるように、以下の混合溶液に添加し、クリームファンデーション（５００  ｇ）とした：金／白金／パラジウム／イットリウム／ロジウム／銀／ジルコニウム／ルビジウムの各粒子または箔３０ｐｐｍ、ステアリン酸  １．９４％，  セタノール  ０．８５％，  ラノリン  １．９４％，  流動パラフィン  １１．６４％，  １，３−−ブチレングリコール  ９．３％，  水溶性コラーゲン  ０．１％，  酸化チタン  １０  ｐｐｍ，  カオリン  １０  ｐｐｍ，  水酸化クロム  １０  ｐｐｍ，  黄酸化鉄  １０  ｐｐｍ，  自己乳化型モノステアリン酸グリセリン  １．３％，  セスキオレイン酸ソルビタン  ０．５８％，  モノステアリン酸ＰＯＥソルビタン  ２．２５％，  パラベン  ０．１５％，  水酸化カリウム  ０．１３％，  ビタミンＥ  ０．０２％。
【０１９９】
【実施例５５】
深層水を濃縮して得られる苦汁（主成分：微量要素）３％、酸（リン酸、クエン酸）３％の混合液を１００００倍稀釈となるように、以下の混合溶液に添加し、シミ・そばかす・くすみ・ほくろ除去剤（５００  ｇ）とした：金／白金／パラジウム／イットリウム／ロジウム／銀／ジルコニウム／ルビジウムの各粒子または箔０−３０ｐｐｍ、グリコール酸  ３−２０％，  エタノール  ０−７０％。シミ・そばかす・くすみ等の位置に綿棒等で擦り込む。１日３−６回を３−７日間程度繰り返すことによってシミ・そばかす・くすみの層は酸化されます。ほくろは擦り込みを５−１０日間程度繰り返して酸化させる。酸化された傷跡は完全に消失するまで２−４ケ月程度かかる。飲んだり、目や粘膜、傷口等には付けないこと。付いた場合は、直ちに流水で完全に洗浄する必要がある。
【０２００】
【実施例５６】
深層水を濃縮して得られる苦汁（主成分：微量要素）３％、酸（リン酸、クエン酸）３％の混合液を１００００倍稀釈となるように、以下の混合溶液に添加し、ローション（５００  ｇ）とした：構造水５−６０％、ＢＧ０−２％、グリセリン０−２０％、金箔  ２０  ｐｐｍ、シルクエキス、加水分解酵母エキス、水溶性コラーゲン、オタネニンジンエキス、オリーブ油、ダイズエキス、ヒアルロン酸Ｎａ、グリシン、グリチルリチン酸２Ｋ、オイゲノール、ゲラニオール、リナロール、ＫＯＨ、酢酸リナリル、酢酸フェネチル、ＰＥＧ−２０ソルビタンココエート、フェネチルアルコール、フェノキシエタノール、各０−２０％。
【０２０１】
【実施例５７】
深層水を濃縮して得られる苦汁（主成分：微量要素）３％、酸（リン酸、クエン酸）３％の混合液を１００００倍稀釈となるように、以下の混合溶液に添加し、ピーリング（５００  ｇ）とした：構造水０−６０％、ＢＧ０−６％、カルボマー０−１５％、金箔０−２００ｐｐｍ、シルクエキス、加水分解酵母エキス、水溶性コラーゲン、オタネニンジンエキス、オリーブ油、ダイズエキス、ヒアルロン酸Ｎａ、グリシン、グリチルリチン酸２Ｋ、グルコース、アロエベラエキス−１、アラントイン、ＰＥＧ−２０ソルビタンココエート、ＫＯＨ、ＰＣＡ−Ｎａ、フェノキシエタノール、各０−２０％。
【０２０２】
【実施例５８】
深層水を濃縮して得られる苦汁（主成分：微量要素）３％、酸（リン酸、クエン酸）３％の混合液を１００００倍稀釈となるように、以下の混合溶液に添加し、エッセンス（５００  ｇ）とした：構造水０−６０％、グリセリン０−２５％、ＢＧ０−６％、ベタイン０−１０％、カルボマー０−１５％、金箔０−２００ｐｐｍ、シルクエキス、加水分解酵母エキス、水溶性コラーゲン、オタネニンジンエキス、ダイズエキス、ヒアルロン酸Ｎａ、グリシン、メリッサエキス、トルメンチラエキス、ソウハクヒエキス、グリチルリチン酸２Ｋ、アスコルビン酸硫酸２Ｎａ、ポリアクリル酸２Ｋ、ＫＯＨ、フェノキシエタノール、各０−２０％。
【０２０３】
【実施例５９】
深層水を濃縮して得られる苦汁（主成分：微量要素）３％、酸（リン酸、クエン酸）３％の混合液を１００００倍稀釈となるように、以下の混合溶液に添加し、オイリーエッセンス（５００  ｇ）とした：構造水０−６０％、グリセリン０−２５％、ＢＧ０−６％、ベタイン０−１０％、カルボマー０−１５％、金箔０−２００ｐｐｍ、シルクエキス、加水分解酵母エキス、水溶性コラーゲン、オタネニンジンエキス、ダイズエキス、ヒアルロン酸Ｎａ、グリシン、ゴボウエキス、甘草エキス、オウバクエキス、グリチルリチン酸２Ｋアミノカプロン酸、ベタイン、ＫＯＨ、フェノキシエタノール、各０−２０％。
【０２０４】
【実施例６０】
深層水を濃縮して得られる苦汁（主成分：微量要素）３％、酸（リン酸、クエン酸）３％の混合液を１００００倍稀釈となるように、以下の混合溶液に添加し、クリーム（５００  ｇ）とした：構造水０−６０％、スクワラン０−４０％、ステアリン酸０−６０％、ＢＧ０−６％、ベヘニルアルコール０−２０％、ステアリン酸グリセリル（ＳＥ）０−２５％、、カルボマー０−１５％、金箔０−２００ｐｐｍ、トルマリン、トコフェロール、ジメチコン、ビサボロール、セスキオレイン酸ソルビタン、シルクエキス、加水分解酵母エキス、水溶性コラーゲン、オタネニンジンエキス、オリーブ油、ダイズエキス、ヒアルロン酸Ｎａ、グリシン、グリチルリチン酸２Ｋ、アロエベラエキス−１、スギナエキス、ステアリン酸ＰＥＧ−１０グリセリル、ステアリン酸ＰＥＧ−２０グリセリル、ＫＯＨ、フェノキシエタノール、各０−２０％。
【０２０５】
【実施例６１】
深層水を濃縮して得られる苦汁（主成分：微量要素）３％、酸（リン酸、クエン酸）３％の混合液を１００００倍稀釈となるように、以下の混合溶液に添加し、モイスチャークリーム（５００  ｇ）とした：構造水０−６０％、ミネラルオイル０−２５％、ステアリン酸０−６０％、ＢＧ０−６％、ベヘニルアルコール０−２０％、ステアリン酸グリセリル（ＳＥ）０−２５％、、カルボマー０−１５％、金箔０−２００ｐｐｍ、トルマリン、トコフェロール、ジメチコン、セスキオレイン酸ソルビタン、シルクエキス、加水分解酵母エキス、水溶性コラーゲン、オタネニンジンエキス、オリーブ油、ダイズ油、ヒアルロン酸Ｎａ、グリシン、グリチルリチン酸２Ｋ、アロエベラエキス−１、ステアリン酸ＰＥＧ−１０グリセリル、ステアリン酸ＰＥＧ−２０グリセリル、ＫＯＨ、フェノキシエタノール、各０−２０％。
【０２０６】
【実施例６２】
深層水を濃縮して得られる苦汁（主成分：微量要素）３％、酸（リン酸、クエン酸）３％の混合液を１００００倍稀釈となるように、以下の混合溶液に添加し、ディクリーム（５００  ｇ）とした：構造水０−６０％、ステアリン酸０−６０％、ＢＧ０−６％、ベヘニルアルコール０−２０％、ステアリン酸グリセリル（ＳＥ）０−２５％、、カルボマー０−１５％、金箔０−２００ｐｐｍ、トコフェロール、セスキオレイン酸ソルビタン、シルクエキス、加水分解酵母エキス、水溶性コラーゲン、オタネニンジンエキス、オウバクエキス、スギナエキス、オウゴンエキス、ビタミンＡ油、アミノカプロン酸、オリーブ油、ダイズ油、ナタネ油、ヒアルロン酸Ｎａ、グリシン、グリチルリチン酸２Ｋ、アロエベラエキス−１、ステアリン酸ＰＥＧ−１０グリセリル、ステアリン酸ＰＥＧ−２０グリセリル、ＫＯＨ、フェノキシエタノール、各０−２０％。
【０２０７】
【実施例６３】
深層水を濃縮して得られる苦汁（主成分：微量要素）３％、酸（リン酸、クエン酸）３％の混合液を１００００倍稀釈となるように、以下の混合溶液に添加し、ホワイトローション（５００  ｇ）とした：構造水０−６０％、ＢＧ０−６％、カルボマー０−１５％、金箔０−２００ｐｐｍ、シルクエキス、加水分解酵母エキス、水溶性コラーゲン、チョウジ油、リナロール、オイゲノール、ゲラニオール、酢酸リナリル、酢酸フェネチル、ヒアルロン酸Ｎａ、グリシン、グリチルリチン酸２Ｋ、アロエベラエキス−１、ＰＥＧ−２０ソルビタンココエート、フェネチルアルコール、ＫＯＨ、フェノキシエタノール、各０−２０％。
【０２０８】
【実施例６４】
深層水を濃縮して得られる苦汁（主成分：微量要素）３％、酸（リン酸、クエン酸）３％の混合液を１００００倍稀釈となるように、以下の混合溶液に添加し、ホワイトベール（５００  ｇ）とした：構造水０−６０％、ミリスチン酸オクチルドデシル０−４５％、ＢＧ０−６％、カルボマー０−１５％、金箔０−２００ｐｐｍ、シルクエキス、加水分解酵母エキス、水溶性コラーゲン、チョウジ油、ナタネ油、ダイズ油、リナロール、オイゲノール、ゲラニオール、アラントイン、酢酸リナリル、酢酸フェネチル、ヒアルロン酸Ｎａ、グリシン、グリチルリチン酸２Ｋ、セスキオレイン酸ソルビタン、ポリソルベート、ステアリン酸、フェネチルアルコール、ＫＯＨ、フェノキシエタノール、各０−２０％。
【０２０９】
【実施例６５】
深層水を濃縮して得られる苦汁（主成分：微量要素）３％、酸（リン酸、クエン酸）３％の混合液を１００００倍稀釈となるように、以下の混合溶液に添加し、ホワイトピーリング（５００  ｇ）とした：構造水０−６０％、ＢＧ０−６％、カルボマー０−１５％、金箔０−２００ｐｐｍ、シルクエキス、加水分解酵母エキス、水溶性コラーゲン、チョウジ油、リナロール、オイゲノール、ゲラニオール、アラントイン、酢酸リナリル、酢酸フェネチル、ヒアルロン酸Ｎａ、グリシン、グリチルリチン酸２Ｋ、ＰＥＧ−２０ソルビタンココエート、フェネチルアルコール、ＫＯＨ、フェノキシエタノール、各０−２０％。
【０２１０】
【実施例６６】
深層水を濃縮して得られる苦汁（主成分：微量要素）３％、酸（リン酸、クエン酸）３％の混合液を１００００倍稀釈となるように、以下の混合溶液に添加し、エッセンス（５００  ｇ）とした：構造水０−６０％、ＢＧ０−６％、カルボマー０−１５％、金箔０−２００ｐｐｍ、ベタイン、シルクエキス、加水分解酵母エキス、水溶性コラーゲン、トルマリン、ヒアルロン酸Ｎａ、グリシン、グリチルリチン酸２Ｋ、ダイズエキス、シアノコバラミン、ペンチレングリコール、ＫＯＨ、フェノキシエタノール、各０−２０％。
【０２１１】
【実施例６７】
深層水を濃縮して得られる苦汁（主成分：微量要素）３％、酸（リン酸、クエン酸）３％の混合液を１００００倍稀釈となるように、以下の混合溶液に添加し、メイククリアジェル（５００  ｇ）とした：構造水０−６０％、ＢＧ０−６％、カルボマー０−１５％、金箔０−２００ｐｐｍ、ベタイン、シルクエキス、加水分解酵母エキス、水溶性コラーゲン、ヒアルロン酸Ｎａ、グリシン、グリチルリチン酸２Ｋ、ダイズエキス、オリーブ油、ＤＮＡ−Ｋ、ホホバ油、スクワラン、ＫＯＨ、フェノキシエタノール、各０−２０％。
【０２１２】
【実施例６８】
深層水を濃縮して得られる苦汁（主成分：微量要素）３％、酸（リン酸、クエン酸）３％の混合液を１００００倍稀釈となるように、以下の混合溶液に添加し、パック（５００  ｇ）とした：構造水０−６０％、ＢＧ０−６％、ペントナイト０−１５％、金箔０−２００ｐｐｍ、カオリン、シルクエキス、加水分解酵母エキス、グリシン、グリチルリチン酸２Ｋ、ダイズエキス、オリーブ油、カオリン、グリセリン、アミノカプロン酸、スクワラン、ＫＯＨ、フェノキシエタノール、各０−２０％。
【０２１３】
【実施例６９】
深層水を濃縮して得られる苦汁（主成分：微量要素）３％、酸（リン酸、クエン酸）３％の混合液を１００００倍稀釈となるように、以下の混合溶液に添加し、クリーム（５００  ｇ）とした：構造水０−６０％、ステアリン酸０−６０％、ＢＧ０−６％、ベヘニルアルコール０−２０％、ステアリン酸グリセリル（ＳＥ）０−２５％、金箔０−２００ｐｐｍ、トルマリン、ダイズエキス、トコフェロール、セスキオレイン酸ソルビタン、シルクエキス、加水分解酵母エキス、水溶性コラーゲン、アミノカプロン酸、オリーブ油、ダイズ油、ナタネ油、ヒアルロン酸Ｎａ、グリシン、グリチルリチン酸２Ｋ、アロエベラエキス−１、モノステアリン酸ＰＥＧ−１０グリセリル、モノステアリン酸ＰＥＧ−２０グリセリル、ジメチコン、フェノキシエタノール、各０−２０％。
【０２１４】
【実施例７０】
深層水を濃縮して得られる苦汁（主成分：微量要素）３％、酸（リン酸、クエン酸）３％の混合液を１００００倍稀釈となるように、以下の混合溶液に添加し、ボディーローション（５００  ｇ）とした：構造水０−６０％、ＢＧ０−６％、金箔０−２００ｐｐｍ、ダイズエキス、シルクエキス、加水分解酵母エキス、水溶性コラーゲン、オリーブ油、ヒアルロン酸Ｎａ、グリシン、グリチルリチン酸２Ｋ、ＫＯＨ、クエン酸、アルギニン、ＰＥＧ−２０ソルビタンココエート、アラントイン、フェノキシエタノール、各０−２０％。
【０２１５】
【実施例７１】
深層水を濃縮して得られる苦汁（主成分：微量要素）３％、酸（リン酸、クエン酸）３％の混合液を１００００倍稀釈となるように、以下の混合溶液に添加し、ヘアーコンディショナー（５００  ｇ）とした：構造水０−６０％、ヒマワリ油０−３０％、ＢＧ０−６％、金箔０−２００ｐｐｍ、シルクエキス、加水分解酵母エキス、グリチルリチン酸２Ｋ、ダイズエキス、オリーブ油、ホホバ油、スクワラン、ステアリルトリモニウムブロミド、ベヘニルアルコール、ステアリン酸グリセリル、オクタニウム−３３、オレンジ油、褐藻エキス、ナタネ油、ポリクオタニウム−１０、ジオレイン酸ＰＥＧ−１２０メチルグルコース、ジメチコンポリオール、トリメチルシロキシ珪酸、テトラオレイン酸ソルベス−３０、テトラオレイン酸ソルベス−６０、フェノキシエタノール、各０−２０％。
【０２１６】
【実施例７２】
深層水を濃縮して得られる苦汁（主成分：微量要素）３％、酸（リン酸、クエン酸）３％の混合液を１００００倍稀釈となるように、以下の混合溶液に添加し、ヘアートニック（５００  ｇ）とした：構造水０−６０％、ＢＧ０−６％、金箔０−２００ｐｐｍ、シルクエキス、加水分解酵母エキス、グリチルリチン酸２Ｋ、ダイズエキス、オリーブ油、センブリエキス、ナタネ油、シコンエキス、サンショウエキス、パンテノール、アルギニン、フェノキシエタノール、各０−２０％。
【０２１７】
【実施例７３】
深層水を濃縮して得られる苦汁（主成分：微量要素）３％、酸（リン酸、クエン酸）３％の混合液を１０００倍稀釈とした。本構造化濃縮深層水中にマスカラブラシを浸漬し、構造化微量要素をブラシ部分に配位した。本配位を脱離するには強酸性にする必要がある。本構造化マスカラブラシ部分のマイナスイオン発生量は３０００−８０００個／ｃｍ３程度である。ブラシ部分を構造化することによって、睫毛のプラスイオンが除去され睫毛の整形がスムーズになされる。また、睫毛の形が長時間持続する。
【０２１８】
【実施例７４】
深層水を濃縮して得られる苦汁（主成分：微量要素）３％、酸（リン酸、クエン酸）３％の混合液を１０００倍稀釈とした。本構造化濃縮深層水中にメイクアップブラシを浸漬し、構造化微量要素をブラシ部分に配位した。本配位を脱離するには強酸性にする必要がある。本構造化メイクアップブラシ部分のマイナスイオン発生量は３０００−１２０００個／ｃｍ３程度である。ブラシ部分を構造化することによって、肌のプラスイオンが除去され肌に化粧品がスムーズに塗り込むことができる。また、肌への化粧品の定着が長時間持続する。
【０２１９】
【実施例７５】
深層水を濃縮して得られる苦汁（主成分：微量要素）３％、酸（リン酸、クエン酸）３％の混合液を１０００倍稀釈とした。本構造化濃縮深層水中にスポンジを浸漬し、構造化微量要素をスポンジ部分に配位した。本配位を脱離するには強酸性にする必要がある。本構造化スポンジ部分のマイナスイオン発生量は３０００−８０００個／ｃｍ３程度である。スポンジ部分を構造化することによって、肌のプラスイオンが除去され肌に化粧品がスムーズに塗り込むことができる。また、肌への化粧品の定着が長時間持続する。さらに、化粧を落とすときに、マイナスイオン効果によって容易に落とせる。
【０２２０】
【実施例８０】
深層水を濃縮して得られる苦汁（主成分：微量要素）３％、酸（リン酸、クエン酸）３％の混合液を１０００倍稀釈とした。本構造化濃縮深層水中に繊維・不織布・膜を浸漬し、構造化微量要素を繊維・不織布・膜部分に配位した。本配位を脱離するには強酸性にする必要がある。本構造化繊維・不織布・膜部分のマイナスイオン発生量は６０００−１６０００個／ｃｍ３程度である。繊維・不織布・膜部分を構造化することによって、様々なマイナスイオン効果が強く現れる。繊維・不織布・膜は様々な形態に加工することができる。例えば、ブラジャー、ロングラインブラ、ウェストニッパー、ガードル、ハンカチ、サンダル、靴、ストッキング、ぞうきん、パンツ、ズボン、シャツ、手袋、バンド、ベルト、パンティーストッキング、めがね拭き用布、おしぼり、寝具、枕、パジャマ、スタート、タンポン、生理用品、コンドーム、綿、絆創膏、ビニールテープ、紐、帯、着物、肌着、下着、上着、サンダル、めがね、イヤホン、携帯電話、財布、バッグ、鞄、ロープ、椅子、机、家具、化粧道具、化粧品、玩具、乳児用具、乳児用衣服、風呂用具、紙、トイレットペーパー、サニタリー用具、介護用具、台所用具、サランラップ、カーペット、家庭用品、工業用品、レジャー用品、ゴルフ道具、スポーツ用品、エアロピック用品、アスレチック用品等人間の生活・環境・美容・健康に必要なものに遍く利用可能である。繊維に金箔、金糸等を織り込むことも可能である。その際、マイナスイオン効果は２０−６０％増加する。銀／プラチナ／パラジウム／イットリウム／ロジウム／銅等のレアメタルを箔、粒子、ゲル、糸等として織り込んだり、付着・吸着・配位・結合することも可能である。稀土鉱石、長石、トルマリン等の鉱石を織り込んだり、付着・吸着・配位・結合することも可能である。その際、マイナスイオン効果は２０−１０００％増加する。
【０２２１】
【実施例８１】
深層水を濃縮して得られる苦汁（主成分：微量要素）３％、酸（リン酸、クエン酸）３％の混合液を１００００倍稀釈となるように、以下の混合溶液に添加し、ウォッシング（５００  ｇ）とした：構造水０−６０％、ラウロイルグルタミン酸０−６０％、ステアリン酸ＰＥＧ−１４０、モンモリロナイト、ラウラミドＤＥＡ・ＰＥＧ−３０、ジステアリン酸グリコール、ＰＥＧ−６０水添ヒマシ油、イソステアリン酸ＰＥＧ−２０グリセリル、ソルビトール、トリステアリン酸ＰＥＧ−３グリセリル、ヒマワリ油０−３０％、ＢＧ０−６％、金箔０−２００ｐｐｍ、シルクエキス、加水分解酵母エキス、グリチルレチン酸ステアリル、ダイズエキス、オリーブ油、スクワラン、ＰＣＡイソステアリン酸ＰＥＧ−４０、トルマリン、ソウハクヒエキス、ＰＣＡ−Ｎａ、レシチン、脂肪酸（Ｃ１０−３０）（コレステリル／ラノステリル）、ココアンホプロピオン酸Ｎａ、ジパルミチン酸アスコルビル、フェノキシエタノール、各０−２０％。
【０２２２】
【実施例８２】
深層水を濃縮して得られる苦汁（主成分：微量要素）３％、酸（リン酸、クエン酸）３％の混合液を１００００倍稀釈となるように、以下の混合溶液に添加し、乾燥、ウォッシングパウダー（５００  ｇ）とした：グルコース、マンニトール、各０−６０％、ラウロイルグルタミン酸Ｎａ０−６５％、金箔０−２００ｐｐｍ、加水分解酵母エキス、グリシン、ヒアルロン酸Ｎａ、パパイン、アルギニン、各０−３５％。
【０２２３】
【実施例８３】
深層水を濃縮して得られる苦汁（主成分：微量要素）３％、酸（リン酸、クエン酸）３％の混合液を１００００倍稀釈となるように、以下の混合溶液に添加し、クレンジングウォッシュ（５００  ｇ）とした：構造水０−６０％、オレフィン（Ｃ１４−１６）スルホン酸Ｎａ、ステアリン酸ＰＥＧ−１４０、ジオレイン酸ＰＥＧ−１２０メチルグルコース、ステアリン酸グリコール、ラウラミドＤＥＡ、ジステアリン酸グリコール、金箔０−２００ｐｐｍ、シルクエキス、加水分解酵母エキス、グリチルリチン酸２Ｋ、ダイズエキス、オリーブ油、スクワラン、トルマリン、ココアンホ酢酸Ｎａ、オタネニンジンエキス、ヒアルロン酸Ｎａ、グリシン、ニコチン酸トコフェロール、クエン酸、フェノキシエタノール、各０−２０％。
【０２２４】
【実施例８４】
深層水を濃縮して得られる苦汁（主成分：微量要素）３％、酸（リン酸、クエン酸）３％の混合液を１００００倍稀釈となるように、以下の混合溶液に添加し、クレンジングウォッシュ（５００  ｇ）とした：構造水０−６０％、ＢＧ  ０−２５％、ステアリン酸ＰＥＧ−１４０、ジステアリン酸グリコール、ラウラミドＤＥＡ、金箔０−２００ｐｐｍ、シルクエキス、加水分解酵母エキス、グリチルレチン酸ステアリル、ダイズエキス、オリーブ油、スクワラン、ソウハクヒエキス、トルマリン、ココアンホプロピオン酸Ｎａ、モンモリロナイト、グリシン、ラウロイルグルタミン酸Ｎａ、ＰＥＧ−６０水添ヒマシ油、イソステアリン酸ＰＥＧ−２０グリセリル、トリステアリン酸ＰＥＧ−３グリセリル、トルメンチラエキス、ＰＣＡ−Ｎａ、トコフェロール、パルミチン酸アスコルビル、ＰＣＡイソステアリン酸ＰＥＧ−４０水添ヒマシ油、レシチン、脂肪酸（Ｃ１０−３０）（コレステリル／ラノステリル）、フェノキシエタノール、各０−２０％。
【０２２５】
【実施例８５】
深層水を濃縮して得られる苦汁（主成分：微量要素）３％、酸（リン酸、クエン酸）３％の混合液を１００００倍稀釈となるように、以下の混合溶液に添加し、シャンプー（５００  ｇ）とした：構造水０−６０％、オレフィン（Ｃ１４−１５）スルホン酸Ｎａ、グリセリン、コカミドＤＥＡ、ココイルグルタミン酸ＴＥＡ、ココアンホ酢酸Ｎａ、ラウラミドＤＥＡ、オクタニウム−３３、ポリオクタニウム−１０、金箔０−２００ｐｐｍ、シルクエキス、加水分解酵母エキス、グリチルリチン酸Ｎａ、ダイズエキス、オリーブ油、スクワラン、グリシン、ステアリン酸ＰＥＧ−１４０、ステアリン酸グリコール、フェノキシエタノール、各０−２０％。
【０２２６】
【実施例８６】
深層水を濃縮して得られる苦汁（主成分：微量要素）３％、酸（リン酸、クエン酸）３％の混合液を１００００倍稀釈となるように、以下の混合溶液に添加し、ボディーソープ（５００  ｇ）とした：構造水０−６０％、、コカミドＤＥＡ、ココイルグルタミン酸ＴＥＡ、ココアンホ酢酸Ｎａ、金箔０−２００ｐｐｍ、シルクエキス、加水分解酵母エキス、ダイズエキス、オリーブ油、クエン酸、グリシン、ジステアリン酸グリコール、ステアリン酸ＰＥＧ−１４０、ラウロイルメチルアラニンＮａ、ステアリン酸グリコール、フェノキシエタノール、各０−２０％。
【０２２７】
【実施例８７】
深層水を濃縮して得られる苦汁（主成分：微量要素）３％、酸（リン酸、クエン酸）３％の混合液を１００００倍稀釈となるように、以下の混合溶液に添加し、浴槽添加剤（５００  ｇ）とした：構造水０−６０％、、金箔０−２００ｐｐｍ、加水分解酵母エキス、ダイズエキス、カミツレエキス、チンピエキス、トウキエキス、ビワ葉エキス、ヒアルロン酸Ｎａ、ＮａＨＣＯ３、硫酸Ｎａ、グリチルリチン酸２Ｋ、各０−２０％。
【０２２８】
【実施例８８】
深層水を濃縮して得られる苦汁（主成分：微量要素）３％、酸（リン酸、クエン酸）３％の混合液を１０００倍稀釈とした。本構造化濃縮深層水中にマスカラブラシを浸漬し、構造化微量要素をブラシ部分に配位した。本配位を脱離するには強酸性にする必要がある。本構造化マスカラブラシ部分のマイナスイオン発生量は３０００−８０００個／ｃｍ３程度である。ブラシ部分を構造化することによって、睫毛のプラスイオンが除去され睫毛の整形がスムーズになされる。また、睫毛の形が長時間持続する。
【０２２９】
【実施例８９】
深層水を濃縮して得られる苦汁（主成分：微量要素）３％、酸（リン酸、クエン酸）３％の混合液を１０００倍稀釈とした。本構造化濃縮深層水中にメイクアップブラシを浸漬し、構造化微量要素をブラシ部分に配位した。本配位を脱離するには強酸性にする必要がある。本構造化メイクアップブラシ部分のマイナスイオン発生量は３０００−１２０００個／ｃｍ３程度である。ブラシ部分を構造化することによって、肌のプラスイオンが除去され肌に化粧品がスムーズに塗り込むことができる。また、肌への化粧品の定着が長時間持続する。
【０２３０】
【実施例９０】
深層水を濃縮して得られる苦汁（主成分：微量要素）３％、酸（リン酸、クエン酸）３％の混合液を１０００倍稀釈とした。本構造化濃縮深層水中にスポンジを浸漬し、構造化微量要素をスポンジ部分に配位した。本配位を脱離するには強酸性にする必要がある。本構造化スポンジ部分のマイナスイオン発生量は３０００−８０００個／ｃｍ３程度である。スポンジ部分を構造化することによって、肌のプラスイオンが除去され肌に化粧品がスムーズに塗り込むことができる。また、肌への化粧品の定着が長時間持続する。さらに、化粧を落とすときに、マイナスイオン効果によって容易に落とせる。
【０２３１】
【実施例９１】
深層水を濃縮して得られる苦汁（主成分：微量要素）３％、酸（リン酸、クエン酸）３％の混合液を１０００倍稀釈とした。本構造化濃縮深層水中に繊維・不織布・膜を浸漬し、構造化微量要素を繊維・不織布・膜部分に配位した。本配位を脱離するには強酸性にする必要がある。本構造化繊維・不織布・膜部分のマイナスイオン発生量は６０００−１６０００個／ｃｍ３程度である。繊維・不織布・膜部分を構造化することによって、様々なマイナスイオン効果が強く現れる。繊維・不織布・膜は様々な形態に加工することができる。例えば、ブラジャー、ロングラインブラ、ウェストニッパー、ガードル、ハンカチ、サンダル、靴、ストッキング、ぞうきん、パンツ、ズボン、シャツ、手袋、バンド、ベルト、パンティーストッキング、めがね拭き用布、おしぼり、寝具、枕、パジャマ、スタート、タンポン、生理用品、コンドーム、綿、絆創膏、ビニールテープ、紐、帯、着物、肌着、下着、上着、サンダル、めがね、イヤホン、携帯電話、財布、バッグ、鞄、ロープ、椅子、机、家具、化粧道具、化粧品、玩具、乳児用具、乳児用衣服、風呂用具、紙、トイレットペーパー、サニタリー用具、医療用品、介護用具、台所用具、サランラップ、カーペット、家庭用品、工業用品、レジャー用品、ＯＡ機器、ゴルフ道具、スポーツ用品、エアロピック用品、アスレチック用品等人間の生活・環境・美容・健康に必要なものに遍く利用可能である。繊維に金箔、金糸等を織り込むことも可能である。その際、マイナスイオン効果は２０−６０％増加する。銀／プラチナ／パラジウム／イットリウム／ロジウム／銅／イリジウム／モリブデン／オスミウム／タングステン／ガリウム／ジルコニウム／ルビジウム等のレアメタル等を箔、粒子、ゲル、糸等として織り込んだり、付着・吸着・配位・結合することも可能である。稀土鉱石、長石、トルマリン等の鉱石を織り込んだり、付着・吸着・配位・結合することも可能である。その際、マイナスイオン効果は２０−１０００％増加する。繊維・不織布・膜等製造工程において、洗浄・糊付け工程等いかなる工程にも本構造化濃縮深層水を添加処理することが可能である。その際、洗浄液、糊に添加することができる。また、単独で、本構造化濃縮深層水処理工程を設定することができる。本処理がなされた繊維・不織布・膜等は、皮膚に対して殺菌・洗浄・浄化・防臭作用を有する。肌着では、汗の臭い成分を代謝し肌における嫌気性発酵を阻害し防臭効果を示す。生理用品、おむつ等では、おりものや、排出物の嫌気性発酵を阻害し腐敗を防ぎ、防臭効果を示す。
【０２３２】
【実施例９２】
深層水を濃縮して得られる苦汁（主成分：微量要素）３％、酸（鉱酸、クエン酸）３％の混合液を１０００−１００００倍稀釈とした。本構造化濃縮深層水をｐＨ  ４−１３  に酸／塩基／塩で調整しパーマ液とした。パーマ（ｐｅｒｍ，  ｐｅｒｍａｎｅｎｔ  ｗａｖｅ）は、ポリペプチド中のシスチン／システイン（ｃｙｓｔｉｎｅ／ｃｙｓｔｅｉｎｅ，  ＣＴ／Ｃｙｓ）に起因する酸化還元反応（２ＳＨ→Ｓ−Ｓ）や水素結合、ファンデルワールス力の切断・再結合を利用したものである。１液として還元剤チオグリコール酸／ジチオグリコール酸（ｍａｘ．７％／４％、アンモニウム塩／モノエタノールアミン塩、ＴＧＡ（ｔｈｉｏｇｌｙｃｏｌｉｃ  ａｃｉｄ）／ＤＴＧＡ（ｄｉｔｈｉｏｇｌｙｃｏｌｉｃ  ａｃｉｄ））、ＣＴ／Ｃｙｓ、モノエタノールアミン、トリエタノールアミン、重炭酸アンモニウム、ケラチン（ｍｏｉｓｔｕｒｅ  ｅｆｆｅｃｔ）、ムコ多糖、キチン、エデト酸塩、セタノール、ラウリル硫酸塩、パラベン、アミノ変性シリコン、抗炎症剤等を含む（ｐＨ９−１０）。その他、還元剤としてアセチルシステイン、システアミン、チオ乳酸が使用される。２液として酸化剤臭素酸カリウム／臭素酸ナトリウム（２−５％／６−１０％）、過酸化水素、ホルムアルデヒド、ベタイン、微粒子シリコン等を含む。酸性剤としてカルボン酸（クエン酸、リンゴ酸、酒石酸等）が使用される。構造化微量要素はポリペプチドに配位しポリペプチドの構造水となり、Ｓ−Ｓ結合のΔＧ°を下げ、解裂を容易にする。その結果、還元剤が弱くても解裂が起こり、毛髪頭皮への炎症が軽減され、疲労感、肩凝り等脳波（β波、δ波）への影響も軽減される。また、構造化微量要素によって、作業者の手荒れが抑制される。
【０２３３】
【実施例９３】
深層水を濃縮して得られる苦汁（主成分：微量要素、ｄ＝１．０１−１．５６）１ｐｐｍ−３％、塩基（炭酸水素ナトリウム、セスキ炭酸ナトリウム、炭酸ナトリウム、珪酸ナトリウム、水酸化ナトリウム、炭酸水素カリウム、セスキ炭酸カリウム、炭酸カリウム、珪酸カリウム、水酸化カリウム、アンモニア、メチルアミン、ジメチルアミン、トリメチルアミン、エチルアミン、イソプロピルアミン、ジイソプロピルアミン、ジエチルアミン、トリエチルアミン、モノエタノールアミン、ジエタノールアミン、トリエタノールアミン）／塩１．５−４０％の混合液を１−１０００倍稀釈とした。本構造化濃縮深層水をｐＨ  ７−１４  に酸／塩基／塩で調整し構造化（濃縮深層水）アルカリ助剤とした。
同様に、本構造化濃縮深層水をｐＨ  ０−７  に酸／塩基／塩で調整し構造化（濃縮深層水）酸性助剤とした。
同様に、ヘアースプレー、ヘアーマニキュア、ヘアーカラー、ネイルマニキュアを調整し、構造化（濃縮深層水）ヘアースプレー、構造化（濃縮深層水）ヘアーマニキュア、構造化（濃縮深層水）ヘアーカラー、構造化（濃縮深層水）ネイルマニキュアを得た。
構造化微量要素は、毛髪頭皮への炎症が軽減され、疲労感、肩凝り等脳波（β波、δ波）への影響も軽減される。また、構造化微量要素によって、作業者の手荒れ・肌荒れが抑制される。
【０２３４】
【実施例９４】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化純水・構造化蒸留水、構造化イオン交換水、構造化膜浸透水を製造することができる。さらに、これら、様々な製法を単独または組み合わせることによって構造化深層水、構造化海洋深層水、構造化濃縮深層水、構造化温泉水、構造化ミネラルウォーター、構造化ボトルドウォーター、構造化化粧水、構造化（濃縮深層水）パーマ液、構造化（濃縮深層水）アルカリ助剤、構造化（濃縮深層水）酸性助剤を製造することができる。
【０２３５】
海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）から得られた純水（ｐｕｒｅ  ｗａｔｅｒ  ｂｙ  ｍｅｍｂｒａｎｅ  ｆｉｌｔｅｒ，  ＲＯ  ｆｉｌｔｅｒ，  ｉｏｎ  ｅｘｃｈａｎｇｅ  ｆｉｌｔｅｒ）・蒸留水（ｄｉｓｔｉｌｌｅｄ  ｗａｔｅｒ）、または、一般的な純水・蒸留水を直接構造化するには、本発明の放射線・マイナスイオン発生体と水を直接または、間接的に接触させることによって可能である。直接接触では、放射線・マイナスイオン発生体を充填タンク、充填カラム、濾過塔方式をとることが可能である。間接構造化では、深層水の流路または、槽に放射線・マイナスイオン発生体を近接することによって可能である。また、充填済みボトルや、レトルトパックを放射線・マイナスイオン発生体に近接することによっても可能である。苦汁／稀土鉱石／トルマリン／長石の混合物の形態は様々な形態が可能である。混合物を粗い粉末（１０μ−２５ｍｍ  Ｉ．Ｄ．）とすることが可能である。また、稀土鉱石／トルマリン／長石の混合物を微細粉末（１０μＩ．Ｄ．以下）とすることも可能である。これら粉末は、槽、配管等に塗布・付着したり、充填することができる。また、様々な形状の担体に塗布・付着・焼き付けすることができる。これら、様々な製法を単独または組み合わせることによって構造化純水・構造化蒸留水、構造化イオン交換水、構造化膜浸透水を製造することができる。さらに、これら、様々な製法を単独または組み合わせることによって構造化深層水、構造化海洋深層水、構造化濃縮深層水、構造化温泉水、構造化ミネラルウォーター、構造化ボトルドウォーター、構造化化粧水、構造化（濃縮深層水）パーマ液、構造化（濃縮深層水）アルカリ助剤、構造化（濃縮深層水）酸性助剤を製造することができる。
【０２３６】
放射線・マイナスイオン発生体と水を直接または、間接的に接触させた場合、水のクラスターの微細化は１７Ｏ−ＮＭＲ  の半値幅が  １００−１４０  Ｈｚ  から  ４０−６０  Ｈｚ  に低下することによって認められる。また、  ＩＲ  スペクトルで、１８００−６００  ｃｍ−１  近辺に広幅吸収帯が認められ、クラスター形成（構造化（ｓｔｒｕｃｔｕｒｉｚｅｄ））が認められる。（綿貫邦彦、久保田昌治監修、新しい水の科学と利用技術、２１７，  ２３７，  ２６３  サイエンスフォーラム（１９９２））
【０２３７】
構造化の一般的な方法としては、電磁波照射（ｘ−ｒａｙ，  ＵＶ，  ＩＲ，  ｍｉｃｒｏｗａｖｅ，  ｒａｄｉｏｗａｖｅ）、粒子線照射（ｎｅｕｔｒｏｎ，  ｐｒｏｔｏｎ，  ｅｌｅｃｔｒｏｎ，  ｐｈｏｔｏｎ，  Ｒｎ，  α−ｒａｙ，  ｎｅｕｔｒｉｎｏ、崩壊核）、電磁場照射、超伝導核磁気共鳴等によっても可能であり、深層水、濃縮深層水、稀釈水、純水、蒸留水等を直接的または／および、間接的にこれら各種照射をすることによって容易に構造化される（綿抜邦彦、久保田昌治監修、新しい水の科学と利用技術、（１９９２）サイエンスフォーラム）。しかし、いずれの方法によっても、本発明の放射線・マイナスイオン発生体または、苦汁／稀土鉱石／トルマリン／長石の混合物による構造化よりも、構造化の寄与は劣っている。
【０２３８】
本文中［／］は［および、または］を意味する。［％］で特に指定なき場合は［重量％］とする。
【０２３９】
【発明の効果】
原始水においては本来多種のミネラルが含有されていたものと推定される。近来の施肥、農薬散布、連作によって表土は急速に疲弊し、環境水は汚染され、ミネラル成分は表層水、表層土から流出するに至っている。本洗浄剤は、深層水［海面下２００メートル以上の深海から取水した深層海水（ｄｅｅｐ  ｓｅａ  ｗａｔｅｒ）、湧昇（ｕｐｗｅｌｌｉｎｇ）海水または、深層水（ｄｅｅｐ  ｌａｙｅｒ  ｗａｔｅｒ：  地下陸水で、古代に陸封されたもの、または、深層海水が地下深層部に地層を通して侵入した海水）］を濃縮して得られる苦汁（ｂｉｔｔｅｒｎ）に含まれる多様なミネラル成分を微弱な放射線発生体で微細クラスター化（構造化）し、活性化された形で洗浄剤とすることを目的とするものである。放射線とミネラルの相互作用で水素結合やファンデルワールス力が切断されることによって強力な洗浄効果が発現する。